(57)【要約】【課題】導光レンズの出射面から第１色の光および第２色の光を出射する。【解決手段】第１色のＬＥＤ光源1aと第２色のＬＥＤ光源1bとを、ＬＥＤ光源1aの光軸1a'とＬＥＤ光源1bの光軸1b'とが平行になるように配置し、ＬＥＤ光源1aの光を導光する回転可能な導光レンズ2と、ＬＥＤ光源1bの光を導光する回転可能な導光レンズ3を同一形状に形成したＬＥＤ照明装置100において、第１（図１）の状態の時に、導光レンズ3の出射面3mから、導光レンズ3によって導光されたＬＥＤ光源1bからの光と、導光レンズ2の出射面2gから出射し導光レンズ3の接続面3k2,3k3を透過したＬＥＤ光源1aからの光とが出射し、第２（図２）の状態の時に、導光レンズ2の出射面2mから、導光レンズ2によって導光されたＬＥＤ光源1aからの光と、導光レンズ3の出射面3gから出射し導光レンズ2の接続面2k2,2k3を透過したＬＥＤ光源1bからの光とが出射する。【選択図】図１
2012119161.tif 000002
【特許請求の範囲】
【請求項１】
第１色の光を発する第１ＬＥＤ光源（１ａ）と、第１色とは異なる第２色の光を発する第２ＬＥＤ光源（１ｂ）とを、第１ＬＥＤ光源（１ａ）の光軸（１ａ’）と第２ＬＥＤ光源（１ｂ）の光軸（１ｂ’）とが平行になるように配置し、
第１ＬＥＤ光源（１ａ）からの光を導光する第１導光レンズ（２）と、第２ＬＥＤ光源（１ｂ）からの光を導光する第２導光レンズ（３）とを設け、
第１導光レンズ（２）と第２導光レンズ（３）とを同一形状に形成したＬＥＤ照明装置（１００）において、
第１ＬＥＤ光源（１ａ）の光軸（１ａ’）と第１の角度をなして第１ＬＥＤ光源（１ａ）から放射された光が入射する第１入射面（２ａ）を第１導光レンズ（２）に設け、
第１ＬＥＤ光源（１ａ）の光軸（１ａ’）を中心に曲線（ａｂ）を回転させることにより得られる回転面によって第１入射面（２ａ）を構成し、
第１入射面（２ａ）を透過した第１ＬＥＤ光源（１ａ）からの光が第１ＬＥＤ光源（１ａ）の光軸（１ａ’）に平行に進むように、第１入射面（２ａ）を形成し、
第１ＬＥＤ光源（１ａ）の光軸（１ａ’）と第１の角度より大きい第２の角度をなして第１ＬＥＤ光源（１ａ）から放射された光が入射する第２入射面（２ｂ）を第１導光レンズ（２）に設け、
第１ＬＥＤ光源（１ａ）の光軸（１ａ’）を中心に直線または曲線（ｂｃ）を回転させることにより得られる回転面によって第２入射面（２ｂ）を構成し、
第２入射面（２ｂ）を透過した第１ＬＥＤ光源（１ａ）からの光を反射する第１反射面（２ｃ）を第１導光レンズ（２）に設け、
第１ＬＥＤ光源（１ａ）の光軸（１ａ’）を中心に曲線（ｄｅ）を回転させることにより得られる回転面によって第１反射面（２ｃ）を構成し、
第１反射面（２ｃ）から反射光が第１ＬＥＤ光源（１ａ）の光軸（１ａ’）に平行に進むように、第２入射面（２ｂ）および第１反射面（２ｃ）を形成し、
第１入射面（２ａ）からの光および第１反射面（２ｃ）からの光を反射する第２反射面（２ｄ）を第１導光レンズ（２）に設け、
第１ＬＥＤ光源（１ａ）の光軸（１ａ’）と４５°をなす平面によって第２反射面（２ｄ）を構成し、
第２反射面（２ｄ）を第１ＬＥＤ光源（１ａ）の光軸（１ａ’）の一方の側に配置し、
第２反射面（２ｄ）からの光を反射する第３反射面（２ｅ１）と第４反射面（２ｅ２）とを第１導光レンズ（２）に設け、
第２反射面（２ｄ）と平行な平面によって第３反射面（２ｅ１）を構成し、
第２反射面（２ｄ）と平行な平面によって第４反射面（２ｅ２）を構成し、
第３反射面（２ｅ１）および第４反射面（２ｅ２）を第１ＬＥＤ光源（１ａ）の光軸（１ａ’）の一方の側に配置し、
第３反射面（２ｅ１）を第１ＬＥＤ光源（１ａ）の光軸（１ａ’）と第４反射面（２ｅ２）との間に配置し、
第１ＬＥＤ光源（１ａ）の光軸（１ａ’）に垂直な平面により構成された第１接続面（２ｆ１）によって、第３反射面（２ｅ１）と第４反射面（２ｅ２）とを接続し、
第３反射面（２ｅ１）からの光および第４反射面（２ｅ２）からの光が透過する第１出射面（２ｇ）を第１導光レンズ（２）に設け、
第１出射面（２ｇ）を第１ＬＥＤ光源（１ａ）の光軸（１ａ’）の一方の側に配置し、
第１入射面（２ａ）からの光および第１反射面（２ｃ）からの光を反射する第５反射面（２ｈ）を第１導光レンズ（２）に設け、
第１ＬＥＤ光源（１ａ）の光軸（１ａ’）と４５°をなすと共に、第２反射面（２ｄ）に垂直な平面によって第５反射面（２ｈ）を構成し、
第５反射面（２ｈ）を第１ＬＥＤ光源（１ａ）の光軸（１ａ’）の他方の側に配置し、
第５反射面（２ｈ）からの光を反射して第５反射面（２ｈ）に戻す第６反射面（２ｉ）を第１導光レンズ（２）に設け、
第５反射面（２ｈ）と平行な平面によって第６反射面（２ｉ）を構成し、
第５反射面（２ｈ）からの光のうち、第６反射面（２ｉ）によって反射されない光を反射する第７反射面（２ｊ２）と第８反射面（２ｊ３）と第９反射面（２ｊ４）とを第１導光レンズ（２）に設け、
第５反射面（２ｈ）と平行な平面によって第７反射面（２ｊ２）を構成し、
第５反射面（２ｈ）と平行な平面によって第８反射面（２ｊ３）を構成し、
第５反射面（２ｈ）と平行な平面によって第９反射面（２ｊ４）を構成し、
第７反射面（２ｊ２）、第８反射面（２ｊ３）および第９反射面（２ｊ４）を第１ＬＥＤ光源（１ａ）の光軸（１ａ’）の他方の側に配置し、
第９反射面（２ｊ４）を第１ＬＥＤ光源（１ａ）の光軸（１ａ’）と第８反射面（２ｊ３）との間に配置し、
第８反射面（２ｊ３）を第７反射面（２ｊ２）と第９反射面（２ｊ４）との間に配置し、
第１ＬＥＤ光源（１ａ）の光軸（１ａ’）に垂直な平面により構成された第２接続面（２ｋ２）によって、第７反射面（２ｊ２）と第８反射面（２ｊ３）とを接続し、
第１ＬＥＤ光源（１ａ）の光軸（１ａ’）に垂直な平面により構成された第３接続面（２ｋ３）によって、第８反射面（２ｊ３）と第９反射面（２ｊ４）とを接続し、
第７反射面（２ｊ２）、第８反射面（２ｊ３）、第９反射面（２ｊ４）、第２接続面（２ｋ２）および第３接続面（２ｋ３）を、第１ＬＥＤ光源（１ａ）の光軸（１ａ’）方向に第１出射面（２ｇ）よりも第１ＬＥＤ光源（１ａ）から離れた位置に配置し、
第７反射面（２ｊ２）からの光、第８反射面（２ｊ３）からの光および第９反射面（２ｊ４）からの光が透過する第２出射面（２ｍ）を第１導光レンズ（２）に設け、
第２出射面（２ｍ）を第１ＬＥＤ光源（１ａ）の光軸（１ａ’）の他方の側に配置し、
第２ＬＥＤ光源（１ｂ）の光軸（１ｂ’）と第１の角度をなして第２ＬＥＤ光源（１ｂ）から放射された光が入射する第１入射面（３ａ）を第２導光レンズ（３）に設け、
第２ＬＥＤ光源（１ｂ）の光軸（１ｂ’）を中心に曲線（ｆｇ）を回転させることにより得られる回転面によって第２導光レンズ（３）の第１入射面（３ａ）を構成し、
第２導光レンズ（３）の第１入射面（３ａ）を透過した第２ＬＥＤ光源（１ｂ）からの光が第２ＬＥＤ光源（１ｂ）の光軸（１ｂ’）に平行に進むように、第２導光レンズ（３）の第１入射面（３ａ）を形成し、
第２ＬＥＤ光源（１ｂ）の光軸（１ｂ’）と第２の角度をなして第２ＬＥＤ光源（１ｂ）から放射された光が入射する第２入射面（３ｂ）を第２導光レンズ（３）に設け、
第２ＬＥＤ光源（１ｂ）の光軸（１ｂ’）を中心に直線または曲線（ｇｈ）を回転させることにより得られる回転面によって第２導光レンズ（３）の第２入射面（３ｂ）を構成し、
第２導光レンズ（３）の第２入射面（３ｂ）を透過した第２ＬＥＤ光源（１ｂ）からの光を反射する第１反射面（３ｃ）を第２導光レンズ（３）に設け、
第２ＬＥＤ光源（１ｂ）の光軸（１ｂ’）を中心に曲線（ｉｊ）を回転させることにより得られる回転面によって第２導光レンズ（３）の第１反射面（３ｃ）を構成し、
第２導光レンズ（３）の第１反射面（３ｃ）から反射光が第２ＬＥＤ光源（１ｂ）の光軸（１ｂ’）に平行に進むように、第２導光レンズ（３）の第２入射面（３ｂ）および第１反射面（３ｃ）を形成し、
第２導光レンズ（３）の第１入射面（３ａ）からの光および第２導光レンズ（３）の第１反射面（３ｃ）からの光を反射する第２反射面（３ｄ）を第２導光レンズ（３）に設け、
第２ＬＥＤ光源（１ｂ）の光軸（１ｂ’）と４５°をなす平面によって第２導光レンズ（３）の第２反射面（３ｄ）を構成し、
第２導光レンズ（３）の第２反射面（３ｄ）を第２ＬＥＤ光源（１ｂ）の光軸（１ｂ’）の一方の側に配置し、
第２導光レンズ（３）の第２反射面（３ｄ）からの光を反射する第３反射面（３ｅ１）と第４反射面（３ｅ２）とを第２導光レンズ（３）に設け、
第２導光レンズ（３）の第２反射面（３ｄ）と平行な平面によって第２導光レンズ（３）の第３反射面（３ｅ１）を構成し、
第２導光レンズ（３）の第２反射面（３ｄ）と平行な平面によって第２導光レンズ（３）の第４反射面（３ｅ２）を構成し、
第２導光レンズ（３）の第３反射面（３ｅ１）および第４反射面（３ｅ２）を第２ＬＥＤ光源（１ｂ）の光軸（１ｂ’）の一方の側に配置し、
第２導光レンズ（３）の第３反射面（３ｅ１）を第２ＬＥＤ光源（１ｂ）の光軸（１ｂ’）と第２導光レンズ（３）の第４反射面（３ｅ２）との間に配置し、
第２ＬＥＤ光源（１ｂ）の光軸（１ｂ’）に垂直な平面により構成された第２導光レンズ（３）の第１接続面（３ｆ１）によって、第２導光レンズ（３）の第３反射面（３ｅ１）と第２導光レンズ（３）の第４反射面（３ｅ２）とを接続し、
第２導光レンズ（３）の第３反射面（３ｅ１）からの光および第２導光レンズ（３）の第４反射面（３ｅ２）からの光が透過する第１出射面（３ｇ）を第２導光レンズ（３）に設け、
第２導光レンズ（３）の第１出射面（３ｇ）を第２ＬＥＤ光源（１ｂ）の光軸（１ｂ’）の一方の側に配置し、
第２導光レンズ（３）の第１入射面（３ａ）からの光および第２導光レンズ（３）の第１反射面（３ｃ）からの光を反射する第５反射面（３ｈ）を第２導光レンズ（３）に設け、
第２ＬＥＤ光源（１ｂ）の光軸（１ｂ’）と４５°をなすと共に、第２導光レンズ（３）の第２反射面（３ｄ）に垂直な平面によって第２導光レンズ（３）の第５反射面（３ｈ）を構成し、
第２導光レンズ（３）の第５反射面（３ｈ）を第２ＬＥＤ光源（１ｂ）の光軸（１ｂ’）の他方の側に配置し、
第２導光レンズ（３）の第５反射面（３ｈ）からの光を反射して第２導光レンズ（３）の第５反射面（３ｈ）に戻す第６反射面（３ｉ）を第２導光レンズ（３）に設け、
第２導光レンズ（３）の第５反射面（３ｈ）と平行な平面によって第２導光レンズ（３）の第６反射面（３ｉ）を構成し、
第２導光レンズ（３）の第５反射面（３ｈ）からの光のうち、第２導光レンズ（３）の第６反射面（３ｉ）によって反射されない光を反射する第７反射面（３ｊ２）と第８反射面（３ｊ３）と第９反射面（３ｊ４）とを第２導光レンズ（３）に設け、
第２導光レンズ（３）の第５反射面（３ｈ）と平行な平面によって第２導光レンズ（３）の第７反射面（３ｊ２）を構成し、
第２導光レンズ（３）の第５反射面（３ｈ）と平行な平面によって第２導光レンズ（３）の第８反射面（３ｊ３）を構成し、
第２導光レンズ（３）の第５反射面（３ｈ）と平行な平面によって第２導光レンズ（３）の第９反射面（３ｊ４）を構成し、
第２導光レンズ（３）の第７反射面（３ｊ２）、第８反射面（３ｊ３）および第９反射面（３ｊ４）を第２ＬＥＤ光源（１ｂ）の光軸（１ｂ’）の他方の側に配置し、
第２導光レンズ（３）の第９反射面（３ｊ４）を第２ＬＥＤ光源（１ｂ）の光軸（１ｂ’）と第２導光レンズ（３）の第８反射面（３ｊ３）との間に配置し、
第２導光レンズ（３）の第８反射面（３ｊ３）を第２導光レンズ（３）の第７反射面（３ｊ２）と第２導光レンズ（３）の第９反射面（３ｊ４）との間に配置し、
第２ＬＥＤ光源（１ｂ）の光軸（１ｂ’）に垂直な平面により構成された第２導光レンズ（３）の第２接続面（３ｋ２）によって、第２導光レンズ（３）の第７反射面（３ｊ２）と第２導光レンズ（３）の第８反射面（３ｊ３）とを接続し、
第２ＬＥＤ光源（１ｂ）の光軸（１ｂ’）に垂直な平面により構成された第２導光レンズ（３）の第３接続面（３ｋ３）によって、第２導光レンズ（３）の第８反射面（３ｊ３）と第２導光レンズ（３）の第９反射面（３ｊ４）とを接続し、
第２導光レンズ（３）の第７反射面（３ｊ２）、第８反射面（３ｊ３）、第９反射面（３ｊ４）、第２接続面（３ｋ２）および第３接続面（３ｋ３）を、第２ＬＥＤ光源（１ｂ）の光軸（１ｂ’）方向に第２導光レンズ（３）の第１出射面（３ｇ）よりも第２ＬＥＤ光源（１ｂ）から離れた位置に配置し、
第２導光レンズ（３）の第７反射面（３ｊ２）からの光、第２導光レンズ（３）の第８反射面（３ｊ３）からの光および第２導光レンズ（３）の第９反射面（３ｊ４）からの光が透過する第２出射面（３ｍ）を第２導光レンズ（３）に設け、
第２導光レンズ（３）の第２出射面（３ｍ）を第２ＬＥＤ光源（１ｂ）の光軸（１ｂ’）の他方の側に配置し、
第１ＬＥＤ光源（１ａ）および第２ＬＥＤ光源（１ｂ）を、第１ＬＥＤ光源（１ａ）の光軸（１ａ’）および第２ＬＥＤ光源（１ｂ）の光軸（１ｂ’）に垂直な同一平面上に配置し、
第１ＬＥＤ光源（１ａ）の光軸（１ａ’）上における第１ＬＥＤ光源（１ａ）と第１導光レンズ（２）の第１入射面（２ａ）との間隔と、第２ＬＥＤ光源（１ｂ）の光軸（１ｂ’）上における第２ＬＥＤ光源（１ｂ）と第２導光レンズ（３）の第１入射面（３ａ）との間隔とを等しくし、
第１ＬＥＤ光源（１ａ）の光軸（１ａ’）を中心に第１導光レンズ（２）を回転可能に構成し、
第２ＬＥＤ光源（１ｂ）の光軸（１ｂ’）を中心に第２導光レンズ（３）を回転可能に構成し、
第１導光レンズ（２）の第２反射面（２ｄ）と第２導光レンズ（３）の第５反射面（３ｈ）とが最も接近する時に第１導光レンズ（２）の第２反射面（２ｄ）と第２導光レンズ（３）の第５反射面（３ｈ）とが垂直になるように、第１導光レンズ（２）および第２導光レンズ（３）の回転のタイミングを設定し、
第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、第１導光レンズ（２）の第３反射面（２ｅ１）を第１ＬＥＤ光源（１ａ）の光軸（１ａ’）方向に投影した位置に、第２導光レンズ（３）の第２接続面（３ｋ２）が配置され、かつ、第１導光レンズ（２）の第４反射面（２ｅ２）を第１ＬＥＤ光源（１ａ）の光軸（１ａ’）方向に投影した位置に、第２導光レンズ（３）の第３接続面（３ｋ３）が配置され、
第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、第２導光レンズ（３）の第３反射面（３ｅ１）を第２ＬＥＤ光源（１ｂ）の光軸（１ｂ’）方向に投影した位置に、第１導光レンズ（２）の第２接続面（２ｋ２）が配置され、かつ、第２導光レンズ（３）の第４反射面（３ｅ２）を第２ＬＥＤ光源（１ｂ）の光軸（１ｂ’）方向に投影した位置に、第１導光レンズ（２）の第３接続面（２ｋ３）が配置され、
第１導光レンズ（２）の第１出射面（２ｇ）および第２出射面（２ｍ）を第１ＬＥＤ光源（１ａ）の光軸（１ａ’）方向に投影した位置に第２導光レンズ（３）が配置されておらず、第２導光レンズ（３）の第１出射面（３ｇ）および第２出射面（３ｍ）を第２ＬＥＤ光源（１ｂ）の光軸（１ｂ’）方向に投影した位置に第１導光レンズ（２）が配置されていない時に、
第１導光レンズ（２）の第３反射面（２ｅ１）からの第１色の光が、第１導光レンズ（２）の第１出射面（２ｇ）を透過して第１ＬＥＤ光源（１ａ）の光軸（１ａ’）方向に照射され、
第１導光レンズ（２）の第４反射面（２ｅ２）からの第１色の光が、第１導光レンズ（２）の第１出射面（２ｇ）を透過して第１ＬＥＤ光源（１ａ）の光軸（１ａ’）方向に照射され、
第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、
第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、
第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、
第２導光レンズ（３）の第３反射面（３ｅ１）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第４反射面（３ｅ２）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射され、
第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、
第１導光レンズ（２）の第３反射面（２ｅ１）からの第１色の光が、第１導光レンズ（２）の第１出射面（２ｇ）を透過し、次いで、第２導光レンズ（３）の第２接続面（３ｋ２）を透過し、次いで、第２導光レンズ（３）の第２出射面（３ｍ）を透過して第１ＬＥＤ光源（１ａ）の光軸（１ａ’）方向に照射され、
第１導光レンズ（２）の第４反射面（２ｅ２）からの第１色の光が、第１導光レンズ（２）の第１出射面（２ｇ）を透過し、次いで、第２導光レンズ（３）の第３接続面（３ｋ３）を透過し、次いで、第２導光レンズ（３）の第２出射面（３ｍ）を透過して第１ＬＥＤ光源（１ａ）の光軸（１ａ’）方向に照射され、
第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、
第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、
第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、
第２導光レンズ（３）の第３反射面（３ｅ１）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第４反射面（３ｅ２）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、
第１導光レンズ（２）の第３反射面（２ｅ１）からの第１色の光が、第１導光レンズ（２）の第１出射面（２ｇ）を透過して第１ＬＥＤ光源（１ａ）の光軸（１ａ’）方向に照射され、
第１導光レンズ（２）の第４反射面（２ｅ２）からの第１色の光が、第１導光レンズ（２）の第１出射面（２ｇ）を透過して第１ＬＥＤ光源（１ａ）の光軸（１ａ’）方向に照射され、
第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、
第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、
第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、
第２導光レンズ（３）の第３反射面（３ｅ１）からの第２色の光が、第２導光レンズ（３）の第１出射面（３ｇ）を透過し、次いで、第１導光レンズ（２）の第２接続面（２ｋ２）を透過し、次いで、第１導光レンズ（２）の第２出射面（２ｍ）を透過して第２ＬＥＤ光源（１ｂ）の光軸（１ｂ’）方向に照射され、
第２導光レンズ（３）の第４反射面（３ｅ２）からの第２色の光が、第２導光レンズ（３）の第１出射面（３ｇ）を透過し、次いで、第１導光レンズ（２）の第３接続面（２ｋ３）を透過し、次いで、第１導光レンズ（２）の第２出射面（２ｍ）を透過して第２ＬＥＤ光源（１ｂ）の光軸（１ｂ’）方向に照射され、
第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射されることを特徴とするＬＥＤ照明装置（１００）。
【請求項２】
第１導光レンズ（２）の第３反射面（２ｅ１）からの光が第１ＬＥＤ光源（１ａ）の光軸（１ａ’）に平行に進むように、第１導光レンズ（２）の第３反射面（２ｅ１）を形成し、
第１導光レンズ（２）の第４反射面（２ｅ２）からの光が第１ＬＥＤ光源（１ａ）の光軸（１ａ’）に平行に進むように、第１導光レンズ（２）の第４反射面（２ｅ２）を形成し、
第１導光レンズ（２）の第１出射面（２ｇ）を素通し面によって構成し、
第１導光レンズ（２）の第１出射面（２ｇ）を透過した第１導光レンズ（２）の第３反射面（２ｅ１）からの光が透過する第２導光レンズ（３）の第２接続面（３ｋ２）を素通し面によって構成し、
第１導光レンズ（２）の第１出射面（２ｇ）を透過した第１導光レンズ（２）の第４反射面（２ｅ２）からの光が透過する第２導光レンズ（３）の第３接続面（３ｋ３）を素通し面によって構成し、
第２導光レンズ（３）の第７反射面（３ｊ２）からの光が第２ＬＥＤ光源（１ｂ）の光軸（１ｂ’）に平行に進むように、第２導光レンズ（３）の第７反射面（３ｊ２）を形成し、
第２導光レンズ（３）の第８反射面（３ｊ３）からの光が第２ＬＥＤ光源（１ｂ）の光軸（１ｂ’）に平行に進むように、第２導光レンズ（３）の第８反射面（３ｊ３）を形成し、
第２導光レンズ（３）の第９反射面（３ｊ４）からの光が第２ＬＥＤ光源（１ｂ）の光軸（１ｂ’）に平行に進むように、第２導光レンズ（３）の第９反射面（３ｊ４）を形成し、
第２導光レンズ（３）の第２出射面（３ｍ）を素通し面によって構成し、
第２導光レンズ（３）の第３反射面（３ｅ１）からの光が第２ＬＥＤ光源（１ｂ）の光軸（１ｂ’）に平行に進むように、第２導光レンズ（３）の第３反射面（３ｅ１）を形成し、
第２導光レンズ（３）の第４反射面（３ｅ２）からの光が第２ＬＥＤ光源（１ｂ）の光軸（１ｂ’）に平行に進むように、第２導光レンズ（３）の第４反射面（３ｅ２）を形成し、
第２導光レンズ（３）の第１出射面（３ｇ）を素通し面によって構成し、
第２導光レンズ（３）の第１出射面（３ｇ）を透過した第２導光レンズ（３）の第３反射面（３ｅ１）からの光が透過する第１導光レンズ（２）の第２接続面（２ｋ２）を素通し面によって構成し、
第２導光レンズ（３）の第１出射面（３ｇ）を透過した第２導光レンズ（３）の第４反射面（３ｅ２）からの光が透過する第１導光レンズ（２）の第３接続面（２ｋ３）を素通し面によって構成し、
第１導光レンズ（２）の第７反射面（２ｊ２）からの光が第１ＬＥＤ光源（１ａ）の光軸（１ａ’）に平行に進むように、第１導光レンズ（２）の第７反射面（２ｊ２）を形成し、
第１導光レンズ（２）の第８反射面（２ｊ３）からの光が第１ＬＥＤ光源（１ａ）の光軸（１ａ’）に平行に進むように、第１導光レンズ（２）の第８反射面（２ｊ３）を形成し、
第１導光レンズ（２）の第９反射面（２ｊ４）からの光が第１ＬＥＤ光源（１ａ）の光軸（１ａ’）に平行に進むように、第１導光レンズ（２）の第９反射面（２ｊ４）を形成し、
第１導光レンズ（２）の第２出射面（２ｍ）を素通し面によって構成したことを特徴とする請求項１に記載のＬＥＤ照明装置（１００）。
【請求項３】
第２導光レンズ（３）の第３反射面（３ｅ１）に入射する第２色の光を乱反射するための粗面加工を第２導光レンズ（３）の第３反射面（３ｅ１）に施し、
第２導光レンズ（３）の第４反射面（３ｅ２）に入射する第２色の光を乱反射するための粗面加工を第２導光レンズ（３）の第４反射面（３ｅ２）に施し、
第２導光レンズ（３）の第１出射面（３ｇ）を透過する第２色の光を拡散させるための粗面加工を第２導光レンズ（３）の第１出射面（３ｇ）に施し、
第２導光レンズ（３）の第１出射面（３ｇ）からの第２色の光が第１導光レンズ（２）の第２接続面（２ｋ２）を透過する時に拡散するように、第１導光レンズ（２）の第２接続面（２ｋ２）に粗面加工を施し、
第２導光レンズ（３）の第１出射面（３ｇ）からの第２色の光が第１導光レンズ（２）の第３接続面（２ｋ３）を透過する時に拡散するように、第１導光レンズ（２）の第３接続面（２ｋ３）に粗面加工を施し、
第１導光レンズ（２）の第７反射面（２ｊ２）に入射する第１色の光を乱反射するための粗面加工を第１導光レンズ（２）の第７反射面（２ｊ２）に施し、
第１導光レンズ（２）の第８反射面（２ｊ３）に入射する第１色の光を乱反射するための粗面加工を第１導光レンズ（２）の第８反射面（２ｊ３）に施し、
第１導光レンズ（２）の第９反射面（２ｊ４）に入射する第１色の光を乱反射するための粗面加工を第１導光レンズ（２）の第９反射面（２ｊ４）に施し、
第１導光レンズ（２）の第２出射面（２ｍ）を透過する第１色の光および第２色の光を拡散させるための粗面加工を第１導光レンズ（２）の第２出射面（２ｍ）に施し、
第１導光レンズ（２）の第３反射面（２ｅ１）に入射する第１色の光を乱反射するための粗面加工を第１導光レンズ（２）の第３反射面（２ｅ１）に施し、
第１導光レンズ（２）の第４反射面（２ｅ２）に入射する第１色の光を乱反射するための粗面加工を第１導光レンズ（２）の第４反射面（２ｅ２）に施し、
第１導光レンズ（２）の第１出射面（２ｇ）を透過する第１色の光を拡散させるための粗面加工を第１導光レンズ（２）の第１出射面（２ｇ）に施し、
第１導光レンズ（２）の第１出射面（２ｇ）からの第１色の光が第２導光レンズ（３）の第２接続面（３ｋ２）を透過する時に拡散するように、第２導光レンズ（３）の第２接続面（３ｋ２）に粗面加工を施し、
第１導光レンズ（２）の第１出射面（２ｇ）からの第１色の光が第２導光レンズ（３）の第３接続面（３ｋ３）を透過する時に拡散するように、第２導光レンズ（３）の第３接続面（３ｋ３）に粗面加工を施し、
第２導光レンズ（３）の第７反射面（３ｊ２）に入射する第２色の光を乱反射するための粗面加工を第２導光レンズ（３）の第７反射面（３ｊ２）に施し、
第２導光レンズ（３）の第８反射面（３ｊ３）に入射する第２色の光を乱反射するための粗面加工を第２導光レンズ（３）の第８反射面（３ｊ３）に施し、
第２導光レンズ（３）の第９反射面（３ｊ４）に入射する第２色の光を乱反射するための粗面加工を第２導光レンズ（３）の第９反射面（３ｊ４）に施し、
第２導光レンズ（３）の第２出射面（３ｍ）を透過する第１色の光および第２色の光を拡散させるための粗面加工を第２導光レンズ（３）の第２出射面（３ｍ）に施したことを特徴とする請求項１に記載のＬＥＤ照明装置（１００）。
【発明の詳細な説明】
【技術分野】
【０００１】
本発明は、第１色の光を発する第１ＬＥＤ光源と、第１色とは異なる第２色の光を発する第２ＬＥＤ光源とを、第１ＬＥＤ光源の光軸と第２ＬＥＤ光源の光軸とが平行になるように配置し、第１ＬＥＤ光源からの光を導光する第１導光レンズと、第２ＬＥＤ光源からの光を導光する第２導光レンズとを設け、第１導光レンズと第２導光レンズとを同一形状に形成したＬＥＤ照明装置に関する。
【０００２】
特に、本発明は、第２導光レンズの出射面から第１色の光および第２色の光を出射することができ、第１導光レンズの出射面から第１色の光および第２色の光を出射することができるＬＥＤ照明装置に関する。
【０００３】
詳細には、本発明は、第１導光レンズの出射面から第１色の光のみが出射し、かつ、第２導光レンズの出射面から第２色の光のみが出射する状態と、第１導光レンズの出射面から第１色の光のみが出射し、かつ、第２導光レンズの出射面から第１色の光および第２色の光が出射する状態と、第１導光レンズの出射面から第１色の光および第２色の光が出射し、かつ、第２導光レンズの出射面から第２色の光のみが出射する状態とを形成することができるＬＥＤ照明装置に関する。
【背景技術】
【０００４】
従来から、第１ＬＥＤ光源の光軸と第２ＬＥＤ光源の光軸とが平行になるように第１ＬＥＤ光源と第２ＬＥＤ光源とを配置し、第１ＬＥＤ光源からの光を導光する第１導光レンズと、第２ＬＥＤ光源からの光を導光する第２導光レンズとを設け、第１導光レンズと第２導光レンズとを同一形状に形成したＬＥＤ照明装置が知られている。この種のＬＥＤ照明装置の例としては、例えば特許文献１（特開２００８−１６６０７２号公報）の図１０および図１１に記載されたものなどがある。
【０００５】
特許文献１の図１０および図１１に記載されたＬＥＤ照明装置では、第１ＬＥＤ光源から第１導光レンズに入射した光の一部が、第１導光レンズの第１反射面によって反射されて第１ＬＥＤ光源の光軸に垂直に進み、次いで、第１導光レンズの第２反射面によって反射されて第１ＬＥＤ光源の光軸に平行に進み、次いで、第１導光レンズの出射面を透過して第１導光レンズから出射し、第１ＬＥＤ光源の光軸方向に照射される。また、特許文献１の図１０および図１１に記載されたＬＥＤ照明装置では、第２ＬＥＤ光源から第２導光レンズに入射した光の一部が、第２導光レンズの第１反射面によって反射されて第２ＬＥＤ光源の光軸に垂直に進み、次いで、第２導光レンズの第２反射面によって反射されて第２ＬＥＤ光源の光軸に平行に進み、次いで、第２導光レンズの出射面を透過して第２導光レンズから出射し、次いで、第１導光レンズの素通し面を透過して第１導光レンズに入射し、次いで、第１導光レンズの素通し面を透過して第１導光レンズから出射し、第２ＬＥＤ光源の光軸方向に照射される。
【先行技術文献】
【特許文献】
【０００６】
【特許文献１】特開２００８−１６６０７２号公報
【発明の概要】
【発明が解決しようとする課題】
【０００７】
仮に、第１ＬＥＤ光源として第１色の光を発するＬＥＤ光源を用い、第２ＬＥＤ光源として第１色とは異なる第２色の光を発するＬＥＤ光源を用いた場合、特許文献１の図１０および図１１に記載されたＬＥＤ照明装置では、第１ＬＥＤ光源からの第１色の光が第１導光レンズの出射面から出射し、第２ＬＥＤ光源からの第２色の光が第１導光レンズの素通し面から出射する。
【０００８】
つまり、特許文献１の図１０および図１１に記載されたＬＥＤ照明装置では、第１ＬＥＤ光源として第１色の光を発するＬＥＤ光源を用い、第２ＬＥＤ光源として第１色とは異なる第２色の光を発するＬＥＤ光源を用いた場合に、第１ＬＥＤ光源からの第１色の光が、第１導光レンズの出射面に到達することができ、第１導光レンズの出射面から出射することができるものの、第２ＬＥＤ光源からの第２色の光が、第１導光レンズの出射面に到達することができず、第１導光レンズの出射面から出射することができない。
【０００９】
そのため、特許文献１の図１０および図１１に記載されたＬＥＤ照明装置では、第１ＬＥＤ光源として第１色の光を発するＬＥＤ光源を用い、第２ＬＥＤ光源として第１色とは異なる第２色の光を発するＬＥＤ光源を用いた場合に、第１導光レンズの出射面から第１色の光および第２色の光を出射することができず、第２導光レンズの出射面から第１色の光および第２色の光を出射することができない。
【００１０】
前記問題点に鑑み、本発明は、第２導光レンズの出射面から第１色の光および第２色の光を出射することができ、第１導光レンズの出射面から第１色の光および第２色の光を出射することができるＬＥＤ照明装置を提供することを目的とする。
【００１１】
詳細には、本発明は、第１導光レンズの出射面から第１色の光のみが出射し、かつ、第２導光レンズの出射面から第２色の光のみが出射する状態と、第１導光レンズの出射面から第１色の光のみが出射し、かつ、第２導光レンズの出射面から第１色の光および第２色の光が出射する状態と、第１導光レンズの出射面から第１色の光および第２色の光が出射し、かつ、第２導光レンズの出射面から第２色の光のみが出射する状態とを形成することができるＬＥＤ照明装置を提供することを目的とする。
【課題を解決するための手段】
【００１２】
請求項１に記載の発明によれば、第１色の光を発する第１ＬＥＤ光源（１ａ）と、第１色とは異なる第２色の光を発する第２ＬＥＤ光源（１ｂ）とを、第１ＬＥＤ光源（１ａ）の光軸（１ａ’）と第２ＬＥＤ光源（１ｂ）の光軸（１ｂ’）とが平行になるように配置し、
第１ＬＥＤ光源（１ａ）からの光を導光する第１導光レンズ（２）と、第２ＬＥＤ光源（１ｂ）からの光を導光する第２導光レンズ（３）とを設け、
第１導光レンズ（２）と第２導光レンズ（３）とを同一形状に形成したＬＥＤ照明装置（１００）において、
第１ＬＥＤ光源（１ａ）の光軸（１ａ’）と第１の角度をなして第１ＬＥＤ光源（１ａ）から放射された光が入射する第１入射面（２ａ）を第１導光レンズ（２）に設け、
第１ＬＥＤ光源（１ａ）の光軸（１ａ’）を中心に曲線（ａｂ）を回転させることにより得られる回転面によって第１入射面（２ａ）を構成し、
第１入射面（２ａ）を透過した第１ＬＥＤ光源（１ａ）からの光が第１ＬＥＤ光源（１ａ）の光軸（１ａ’）に平行に進むように、第１入射面（２ａ）を形成し、
第１ＬＥＤ光源（１ａ）の光軸（１ａ’）と第１の角度より大きい第２の角度をなして第１ＬＥＤ光源（１ａ）から放射された光が入射する第２入射面（２ｂ）を第１導光レンズ（２）に設け、
第１ＬＥＤ光源（１ａ）の光軸（１ａ’）を中心に直線または曲線（ｂｃ）を回転させることにより得られる回転面によって第２入射面（２ｂ）を構成し、
第２入射面（２ｂ）を透過した第１ＬＥＤ光源（１ａ）からの光を反射する第１反射面（２ｃ）を第１導光レンズ（２）に設け、
第１ＬＥＤ光源（１ａ）の光軸（１ａ’）を中心に曲線（ｄｅ）を回転させることにより得られる回転面によって第１反射面（２ｃ）を構成し、
第１反射面（２ｃ）から反射光が第１ＬＥＤ光源（１ａ）の光軸（１ａ’）に平行に進むように、第２入射面（２ｂ）および第１反射面（２ｃ）を形成し、
第１入射面（２ａ）からの光および第１反射面（２ｃ）からの光を反射する第２反射面（２ｄ）を第１導光レンズ（２）に設け、
第１ＬＥＤ光源（１ａ）の光軸（１ａ’）と４５°をなす平面によって第２反射面（２ｄ）を構成し、
第２反射面（２ｄ）を第１ＬＥＤ光源（１ａ）の光軸（１ａ’）の一方の側に配置し、
第２反射面（２ｄ）からの光を反射する第３反射面（２ｅ１）と第４反射面（２ｅ２）とを第１導光レンズ（２）に設け、
第２反射面（２ｄ）と平行な平面によって第３反射面（２ｅ１）を構成し、
第２反射面（２ｄ）と平行な平面によって第４反射面（２ｅ２）を構成し、
第３反射面（２ｅ１）および第４反射面（２ｅ２）を第１ＬＥＤ光源（１ａ）の光軸（１ａ’）の一方の側に配置し、
第３反射面（２ｅ１）を第１ＬＥＤ光源（１ａ）の光軸（１ａ’）と第４反射面（２ｅ２）との間に配置し、
第１ＬＥＤ光源（１ａ）の光軸（１ａ’）に垂直な平面により構成された第１接続面（２ｆ１）によって、第３反射面（２ｅ１）と第４反射面（２ｅ２）とを接続し、
第３反射面（２ｅ１）からの光および第４反射面（２ｅ２）からの光が透過する第１出射面（２ｇ）を第１導光レンズ（２）に設け、
第１出射面（２ｇ）を第１ＬＥＤ光源（１ａ）の光軸（１ａ’）の一方の側に配置し、
第１入射面（２ａ）からの光および第１反射面（２ｃ）からの光を反射する第５反射面（２ｈ）を第１導光レンズ（２）に設け、
第１ＬＥＤ光源（１ａ）の光軸（１ａ’）と４５°をなすと共に、第２反射面（２ｄ）に垂直な平面によって第５反射面（２ｈ）を構成し、
第５反射面（２ｈ）を第１ＬＥＤ光源（１ａ）の光軸（１ａ’）の他方の側に配置し、
第５反射面（２ｈ）からの光を反射して第５反射面（２ｈ）に戻す第６反射面（２ｉ）を第１導光レンズ（２）に設け、
第５反射面（２ｈ）と平行な平面によって第６反射面（２ｉ）を構成し、
第５反射面（２ｈ）からの光のうち、第６反射面（２ｉ）によって反射されない光を反射する第７反射面（２ｊ２）と第８反射面（２ｊ３）と第９反射面（２ｊ４）とを第１導光レンズ（２）に設け、
第５反射面（２ｈ）と平行な平面によって第７反射面（２ｊ２）を構成し、
第５反射面（２ｈ）と平行な平面によって第８反射面（２ｊ３）を構成し、
第５反射面（２ｈ）と平行な平面によって第９反射面（２ｊ４）を構成し、
第７反射面（２ｊ２）、第８反射面（２ｊ３）および第９反射面（２ｊ４）を第１ＬＥＤ光源（１ａ）の光軸（１ａ’）の他方の側に配置し、
第９反射面（２ｊ４）を第１ＬＥＤ光源（１ａ）の光軸（１ａ’）と第８反射面（２ｊ３）との間に配置し、
第８反射面（２ｊ３）を第７反射面（２ｊ２）と第９反射面（２ｊ４）との間に配置し、
第１ＬＥＤ光源（１ａ）の光軸（１ａ’）に垂直な平面により構成された第２接続面（２ｋ２）によって、第７反射面（２ｊ２）と第８反射面（２ｊ３）とを接続し、
第１ＬＥＤ光源（１ａ）の光軸（１ａ’）に垂直な平面により構成された第３接続面（２ｋ３）によって、第８反射面（２ｊ３）と第９反射面（２ｊ４）とを接続し、
第７反射面（２ｊ２）、第８反射面（２ｊ３）、第９反射面（２ｊ４）、第２接続面（２ｋ２）および第３接続面（２ｋ３）を、第１ＬＥＤ光源（１ａ）の光軸（１ａ’）方向に第１出射面（２ｇ）よりも第１ＬＥＤ光源（１ａ）から離れた位置に配置し、
第７反射面（２ｊ２）からの光、第８反射面（２ｊ３）からの光および第９反射面（２ｊ４）からの光が透過する第２出射面（２ｍ）を第１導光レンズ（２）に設け、
第２出射面（２ｍ）を第１ＬＥＤ光源（１ａ）の光軸（１ａ’）の他方の側に配置し、
第２ＬＥＤ光源（１ｂ）の光軸（１ｂ’）と第１の角度をなして第２ＬＥＤ光源（１ｂ）から放射された光が入射する第１入射面（３ａ）を第２導光レンズ（３）に設け、
第２ＬＥＤ光源（１ｂ）の光軸（１ｂ’）を中心に曲線（ｆｇ）を回転させることにより得られる回転面によって第２導光レンズ（３）の第１入射面（３ａ）を構成し、
第２導光レンズ（３）の第１入射面（３ａ）を透過した第２ＬＥＤ光源（１ｂ）からの光が第２ＬＥＤ光源（１ｂ）の光軸（１ｂ’）に平行に進むように、第２導光レンズ（３）の第１入射面（３ａ）を形成し、
第２ＬＥＤ光源（１ｂ）の光軸（１ｂ’）と第２の角度をなして第２ＬＥＤ光源（１ｂ）から放射された光が入射する第２入射面（３ｂ）を第２導光レンズ（３）に設け、
第２ＬＥＤ光源（１ｂ）の光軸（１ｂ’）を中心に直線または曲線（ｇｈ）を回転させることにより得られる回転面によって第２導光レンズ（３）の第２入射面（３ｂ）を構成し、
第２導光レンズ（３）の第２入射面（３ｂ）を透過した第２ＬＥＤ光源（１ｂ）からの光を反射する第１反射面（３ｃ）を第２導光レンズ（３）に設け、
第２ＬＥＤ光源（１ｂ）の光軸（１ｂ’）を中心に曲線（ｉｊ）を回転させることにより得られる回転面によって第２導光レンズ（３）の第１反射面（３ｃ）を構成し、
第２導光レンズ（３）の第１反射面（３ｃ）から反射光が第２ＬＥＤ光源（１ｂ）の光軸（１ｂ’）に平行に進むように、第２導光レンズ（３）の第２入射面（３ｂ）および第１反射面（３ｃ）を形成し、
第２導光レンズ（３）の第１入射面（３ａ）からの光および第２導光レンズ（３）の第１反射面（３ｃ）からの光を反射する第２反射面（３ｄ）を第２導光レンズ（３）に設け、
第２ＬＥＤ光源（１ｂ）の光軸（１ｂ’）と４５°をなす平面によって第２導光レンズ（３）の第２反射面（３ｄ）を構成し、
第２導光レンズ（３）の第２反射面（３ｄ）を第２ＬＥＤ光源（１ｂ）の光軸（１ｂ’）の一方の側に配置し、
第２導光レンズ（３）の第２反射面（３ｄ）からの光を反射する第３反射面（３ｅ１）と第４反射面（３ｅ２）とを第２導光レンズ（３）に設け、
第２導光レンズ（３）の第２反射面（３ｄ）と平行な平面によって第２導光レンズ（３）の第３反射面（３ｅ１）を構成し、
第２導光レンズ（３）の第２反射面（３ｄ）と平行な平面によって第２導光レンズ（３）の第４反射面（３ｅ２）を構成し、
第２導光レンズ（３）の第３反射面（３ｅ１）および第４反射面（３ｅ２）を第２ＬＥＤ光源（１ｂ）の光軸（１ｂ’）の一方の側に配置し、
第２導光レンズ（３）の第３反射面（３ｅ１）を第２ＬＥＤ光源（１ｂ）の光軸（１ｂ’）と第２導光レンズ（３）の第４反射面（３ｅ２）との間に配置し、
第２ＬＥＤ光源（１ｂ）の光軸（１ｂ’）に垂直な平面により構成された第２導光レンズ（３）の第１接続面（３ｆ１）によって、第２導光レンズ（３）の第３反射面（３ｅ１）と第２導光レンズ（３）の第４反射面（３ｅ２）とを接続し、
第２導光レンズ（３）の第３反射面（３ｅ１）からの光および第２導光レンズ（３）の第４反射面（３ｅ２）からの光が透過する第１出射面（３ｇ）を第２導光レンズ（３）に設け、
第２導光レンズ（３）の第１出射面（３ｇ）を第２ＬＥＤ光源（１ｂ）の光軸（１ｂ’）の一方の側に配置し、
第２導光レンズ（３）の第１入射面（３ａ）からの光および第２導光レンズ（３）の第１反射面（３ｃ）からの光を反射する第５反射面（３ｈ）を第２導光レンズ（３）に設け、
第２ＬＥＤ光源（１ｂ）の光軸（１ｂ’）と４５°をなすと共に、第２導光レンズ（３）の第２反射面（３ｄ）に垂直な平面によって第２導光レンズ（３）の第５反射面（３ｈ）を構成し、
第２導光レンズ（３）の第５反射面（３ｈ）を第２ＬＥＤ光源（１ｂ）の光軸（１ｂ’）の他方の側に配置し、
第２導光レンズ（３）の第５反射面（３ｈ）からの光を反射して第２導光レンズ（３）の第５反射面（３ｈ）に戻す第６反射面（３ｉ）を第２導光レンズ（３）に設け、
第２導光レンズ（３）の第５反射面（３ｈ）と平行な平面によって第２導光レンズ（３）の第６反射面（３ｉ）を構成し、
第２導光レンズ（３）の第５反射面（３ｈ）からの光のうち、第２導光レンズ（３）の第６反射面（３ｉ）によって反射されない光を反射する第７反射面（３ｊ２）と第８反射面（３ｊ３）と第９反射面（３ｊ４）とを第２導光レンズ（３）に設け、
第２導光レンズ（３）の第５反射面（３ｈ）と平行な平面によって第２導光レンズ（３）の第７反射面（３ｊ２）を構成し、
第２導光レンズ（３）の第５反射面（３ｈ）と平行な平面によって第２導光レンズ（３）の第８反射面（３ｊ３）を構成し、
第２導光レンズ（３）の第５反射面（３ｈ）と平行な平面によって第２導光レンズ（３）の第９反射面（３ｊ４）を構成し、
第２導光レンズ（３）の第７反射面（３ｊ２）、第８反射面（３ｊ３）および第９反射面（３ｊ４）を第２ＬＥＤ光源（１ｂ）の光軸（１ｂ’）の他方の側に配置し、
第２導光レンズ（３）の第９反射面（３ｊ４）を第２ＬＥＤ光源（１ｂ）の光軸（１ｂ’）と第２導光レンズ（３）の第８反射面（３ｊ３）との間に配置し、
第２導光レンズ（３）の第８反射面（３ｊ３）を第２導光レンズ（３）の第７反射面（３ｊ２）と第２導光レンズ（３）の第９反射面（３ｊ４）との間に配置し、
第２ＬＥＤ光源（１ｂ）の光軸（１ｂ’）に垂直な平面により構成された第２導光レンズ（３）の第２接続面（３ｋ２）によって、第２導光レンズ（３）の第７反射面（３ｊ２）と第２導光レンズ（３）の第８反射面（３ｊ３）とを接続し、
第２ＬＥＤ光源（１ｂ）の光軸（１ｂ’）に垂直な平面により構成された第２導光レンズ（３）の第３接続面（３ｋ３）によって、第２導光レンズ（３）の第８反射面（３ｊ３）と第２導光レンズ（３）の第９反射面（３ｊ４）とを接続し、
第２導光レンズ（３）の第７反射面（３ｊ２）、第８反射面（３ｊ３）、第９反射面（３ｊ４）、第２接続面（３ｋ２）および第３接続面（３ｋ３）を、第２ＬＥＤ光源（１ｂ）の光軸（１ｂ’）方向に第２導光レンズ（３）の第１出射面（３ｇ）よりも第２ＬＥＤ光源（１ｂ）から離れた位置に配置し、
第２導光レンズ（３）の第７反射面（３ｊ２）からの光、第２導光レンズ（３）の第８反射面（３ｊ３）からの光および第２導光レンズ（３）の第９反射面（３ｊ４）からの光が透過する第２出射面（３ｍ）を第２導光レンズ（３）に設け、
第２導光レンズ（３）の第２出射面（３ｍ）を第２ＬＥＤ光源（１ｂ）の光軸（１ｂ’）の他方の側に配置し、
第１ＬＥＤ光源（１ａ）および第２ＬＥＤ光源（１ｂ）を、第１ＬＥＤ光源（１ａ）の光軸（１ａ’）および第２ＬＥＤ光源（１ｂ）の光軸（１ｂ’）に垂直な同一平面上に配置し、
第１ＬＥＤ光源（１ａ）の光軸（１ａ’）上における第１ＬＥＤ光源（１ａ）と第１導光レンズ（２）の第１入射面（２ａ）との間隔と、第２ＬＥＤ光源（１ｂ）の光軸（１ｂ’）上における第２ＬＥＤ光源（１ｂ）と第２導光レンズ（３）の第１入射面（３ａ）との間隔とを等しくし、
第１ＬＥＤ光源（１ａ）の光軸（１ａ’）を中心に第１導光レンズ（２）を回転可能に構成し、
第２ＬＥＤ光源（１ｂ）の光軸（１ｂ’）を中心に第２導光レンズ（３）を回転可能に構成し、
第１導光レンズ（２）の第２反射面（２ｄ）と第２導光レンズ（３）の第５反射面（３ｈ）とが最も接近する時に第１導光レンズ（２）の第２反射面（２ｄ）と第２導光レンズ（３）の第５反射面（３ｈ）とが垂直になるように、第１導光レンズ（２）および第２導光レンズ（３）の回転のタイミングを設定し、
第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、第１導光レンズ（２）の第３反射面（２ｅ１）を第１ＬＥＤ光源（１ａ）の光軸（１ａ’）方向に投影した位置に、第２導光レンズ（３）の第２接続面（３ｋ２）が配置され、かつ、第１導光レンズ（２）の第４反射面（２ｅ２）を第１ＬＥＤ光源（１ａ）の光軸（１ａ’）方向に投影した位置に、第２導光レンズ（３）の第３接続面（３ｋ３）が配置され、
第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、第２導光レンズ（３）の第３反射面（３ｅ１）を第２ＬＥＤ光源（１ｂ）の光軸（１ｂ’）方向に投影した位置に、第１導光レンズ（２）の第２接続面（２ｋ２）が配置され、かつ、第２導光レンズ（３）の第４反射面（３ｅ２）を第２ＬＥＤ光源（１ｂ）の光軸（１ｂ’）方向に投影した位置に、第１導光レンズ（２）の第３接続面（２ｋ３）が配置され、
第１導光レンズ（２）の第１出射面（２ｇ）および第２出射面（２ｍ）を第１ＬＥＤ光源（１ａ）の光軸（１ａ’）方向に投影した位置に第２導光レンズ（３）が配置されておらず、第２導光レンズ（３）の第１出射面（３ｇ）および第２出射面（３ｍ）を第２ＬＥＤ光源（１ｂ）の光軸（１ｂ’）方向に投影した位置に第１導光レンズ（２）が配置されていない時に、
第１導光レンズ（２）の第３反射面（２ｅ１）からの第１色の光が、第１導光レンズ（２）の第１出射面（２ｇ）を透過して第１ＬＥＤ光源（１ａ）の光軸（１ａ’）方向に照射され、
第１導光レンズ（２）の第４反射面（２ｅ２）からの第１色の光が、第１導光レンズ（２）の第１出射面（２ｇ）を透過して第１ＬＥＤ光源（１ａ）の光軸（１ａ’）方向に照射され、
第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、
第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、
第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、
第２導光レンズ（３）の第３反射面（３ｅ１）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第４反射面（３ｅ２）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射され、
第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、
第１導光レンズ（２）の第３反射面（２ｅ１）からの第１色の光が、第１導光レンズ（２）の第１出射面（２ｇ）を透過し、次いで、第２導光レンズ（３）の第２接続面（３ｋ２）を透過し、次いで、第２導光レンズ（３）の第２出射面（３ｍ）を透過して第１ＬＥＤ光源（１ａ）の光軸（１ａ’）方向に照射され、
第１導光レンズ（２）の第４反射面（２ｅ２）からの第１色の光が、第１導光レンズ（２）の第１出射面（２ｇ）を透過し、次いで、第２導光レンズ（３）の第３接続面（３ｋ３）を透過し、次いで、第２導光レンズ（３）の第２出射面（３ｍ）を透過して第１ＬＥＤ光源（１ａ）の光軸（１ａ’）方向に照射され、
第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、
第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、
第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、
第２導光レンズ（３）の第３反射面（３ｅ１）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第４反射面（３ｅ２）からの第２色の光が、第２導光レンズ（３）の第１出射面（３ｇ）を透過して第２ＬＥＤ光源（１ｂ）の光軸（１ｂ’）方向に照射され、
第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、
第１導光レンズ（２）の第３反射面（２ｅ１）からの第１色の光が、第１導光レンズ（２）の第１出射面（２ｇ）を透過して第１ＬＥＤ光源（１ａ）の光軸（１ａ’）方向に照射され、
第１導光レンズ（２）の第４反射面（２ｅ２）からの第１色の光が、第１導光レンズ（２）の第１出射面（２ｇ）を透過して第１ＬＥＤ光源（１ａ）の光軸（１ａ’）方向に照射され、
第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、
第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、
第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、
第２導光レンズ（３）の第３反射面（３ｅ１）からの第２色の光が、第２導光レンズ（３）の第１出射面（３ｇ）を透過し、次いで、第１導光レンズ（２）の第２接続面（２ｋ２）を透過し、次いで、第１導光レンズ（２）の第２出射面（２ｍ）を透過して第２ＬＥＤ光源（１ｂ）の光軸（１ｂ’）方向に照射され、
第２導光レンズ（３）の第４反射面（３ｅ２）からの第２色の光が、第２導光レンズ（３）の第１出射面（３ｇ）を透過し、次いで、第１導光レンズ（２）の第３接続面（２ｋ３）を透過し、次いで、第１導光レンズ（２）の第２出射面（２ｍ）を透過して第２ＬＥＤ光源（１ｂ）の光軸（１ｂ’）方向に照射され、
第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、
第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射されることを特徴とするＬＥＤ照明装置（１００）が提供される。
【００１３】
請求項２に記載の発明によれば、第１導光レンズ（２）の第３反射面（２ｅ１）からの光が第１ＬＥＤ光源（１ａ）の光軸（１ａ’）に平行に進むように、第１導光レンズ（２）の第３反射面（２ｅ１）を形成し、
第１導光レンズ（２）の第４反射面（２ｅ２）からの光が第１ＬＥＤ光源（１ａ）の光軸（１ａ’）に平行に進むように、第１導光レンズ（２）の第４反射面（２ｅ２）を形成し、
第１導光レンズ（２）の第１出射面（２ｇ）を素通し面によって構成し、
第１導光レンズ（２）の第１出射面（２ｇ）を透過した第１導光レンズ（２）の第３反射面（２ｅ１）からの光が透過する第２導光レンズ（３）の第２接続面（３ｋ２）を素通し面によって構成し、
第１導光レンズ（２）の第１出射面（２ｇ）を透過した第１導光レンズ（２）の第４反射面（２ｅ２）からの光が透過する第２導光レンズ（３）の第３接続面（３ｋ３）を素通し面によって構成し、
第２導光レンズ（３）の第７反射面（３ｊ２）からの光が第２ＬＥＤ光源（１ｂ）の光軸（１ｂ’）に平行に進むように、第２導光レンズ（３）の第７反射面（３ｊ２）を形成し、
第２導光レンズ（３）の第８反射面（３ｊ３）からの光が第２ＬＥＤ光源（１ｂ）の光軸（１ｂ’）に平行に進むように、第２導光レンズ（３）の第８反射面（３ｊ３）を形成し、
第２導光レンズ（３）の第９反射面（３ｊ４）からの光が第２ＬＥＤ光源（１ｂ）の光軸（１ｂ’）に平行に進むように、第２導光レンズ（３）の第９反射面（３ｊ４）を形成し、
第２導光レンズ（３）の第２出射面（３ｍ）を素通し面によって構成し、
第２導光レンズ（３）の第３反射面（３ｅ１）からの光が第２ＬＥＤ光源（１ｂ）の光軸（１ｂ’）に平行に進むように、第２導光レンズ（３）の第３反射面（３ｅ１）を形成し、
第２導光レンズ（３）の第４反射面（３ｅ２）からの光が第２ＬＥＤ光源（１ｂ）の光軸（１ｂ’）に平行に進むように、第２導光レンズ（３）の第４反射面（３ｅ２）を形成し、
第２導光レンズ（３）の第１出射面（３ｇ）を素通し面によって構成し、
第２導光レンズ（３）の第１出射面（３ｇ）を透過した第２導光レンズ（３）の第３反射面（３ｅ１）からの光が透過する第１導光レンズ（２）の第２接続面（２ｋ２）を素通し面によって構成し、
第２導光レンズ（３）の第１出射面（３ｇ）を透過した第２導光レンズ（３）の第４反射面（３ｅ２）からの光が透過する第１導光レンズ（２）の第３接続面（２ｋ３）を素通し面によって構成し、
第１導光レンズ（２）の第７反射面（２ｊ２）からの光が第１ＬＥＤ光源（１ａ）の光軸（１ａ’）に平行に進むように、第１導光レンズ（２）の第７反射面（２ｊ２）を形成し、
第１導光レンズ（２）の第８反射面（２ｊ３）からの光が第１ＬＥＤ光源（１ａ）の光軸（１ａ’）に平行に進むように、第１導光レンズ（２）の第８反射面（２ｊ３）を形成し、
第１導光レンズ（２）の第９反射面（２ｊ４）からの光が第１ＬＥＤ光源（１ａ）の光軸（１ａ’）に平行に進むように、第１導光レンズ（２）の第９反射面（２ｊ４）を形成し、
第１導光レンズ（２）の第２出射面（２ｍ）を素通し面によって構成したことを特徴とする請求項１に記載のＬＥＤ照明装置（１００）が提供される。
【００１４】
請求項３に記載の発明によれば、第２導光レンズ（３）の第３反射面（３ｅ１）に入射する第２色の光を乱反射するための粗面加工を第２導光レンズ（３）の第３反射面（３ｅ１）に施し、
第２導光レンズ（３）の第４反射面（３ｅ２）に入射する第２色の光を乱反射するための粗面加工を第２導光レンズ（３）の第４反射面（３ｅ２）に施し、
第２導光レンズ（３）の第１出射面（３ｇ）を透過する第２色の光を拡散させるための粗面加工を第２導光レンズ（３）の第１出射面（３ｇ）に施し、
第２導光レンズ（３）の第１出射面（３ｇ）からの第２色の光が第１導光レンズ（２）の第２接続面（２ｋ２）を透過する時に拡散するように、第１導光レンズ（２）の第２接続面（２ｋ２）に粗面加工を施し、
第２導光レンズ（３）の第１出射面（３ｇ）からの第２色の光が第１導光レンズ（２）の第３接続面（２ｋ３）を透過する時に拡散するように、第１導光レンズ（２）の第３接続面（２ｋ３）に粗面加工を施し、
第１導光レンズ（２）の第７反射面（２ｊ２）に入射する第１色の光を乱反射するための粗面加工を第１導光レンズ（２）の第７反射面（２ｊ２）に施し、
第１導光レンズ（２）の第８反射面（２ｊ３）に入射する第１色の光を乱反射するための粗面加工を第１導光レンズ（２）の第８反射面（２ｊ３）に施し、
第１導光レンズ（２）の第９反射面（２ｊ４）に入射する第１色の光を乱反射するための粗面加工を第１導光レンズ（２）の第９反射面（２ｊ４）に施し、
第１導光レンズ（２）の第２出射面（２ｍ）を透過する第１色の光および第２色の光を拡散させるための粗面加工を第１導光レンズ（２）の第２出射面（２ｍ）に施し、
第１導光レンズ（２）の第３反射面（２ｅ１）に入射する第１色の光を乱反射するための粗面加工を第１導光レンズ（２）の第３反射面（２ｅ１）に施し、
第１導光レンズ（２）の第４反射面（２ｅ２）に入射する第１色の光を乱反射するための粗面加工を第１導光レンズ（２）の第４反射面（２ｅ２）に施し、
第１導光レンズ（２）の第１出射面（２ｇ）を透過する第１色の光を拡散させるための粗面加工を第１導光レンズ（２）の第１出射面（２ｇ）に施し、
第１導光レンズ（２）の第１出射面（２ｇ）からの第１色の光が第２導光レンズ（３）の第２接続面（３ｋ２）を透過する時に拡散するように、第２導光レンズ（３）の第２接続面（３ｋ２）に粗面加工を施し、
第１導光レンズ（２）の第１出射面（２ｇ）からの第１色の光が第２導光レンズ（３）の第３接続面（３ｋ３）を透過する時に拡散するように、第２導光レンズ（３）の第３接続面（３ｋ３）に粗面加工を施し、
第２導光レンズ（３）の第７反射面（３ｊ２）に入射する第２色の光を乱反射するための粗面加工を第２導光レンズ（３）の第７反射面（３ｊ２）に施し、
第２導光レンズ（３）の第８反射面（３ｊ３）に入射する第２色の光を乱反射するための粗面加工を第２導光レンズ（３）の第８反射面（３ｊ３）に施し、
第２導光レンズ（３）の第９反射面（３ｊ４）に入射する第２色の光を乱反射するための粗面加工を第２導光レンズ（３）の第９反射面（３ｊ４）に施し、
第２導光レンズ（３）の第２出射面（３ｍ）を透過する第１色の光および第２色の光を拡散させるための粗面加工を第２導光レンズ（３）の第２出射面（３ｍ）に施したことを特徴とする請求項１に記載のＬＥＤ照明装置（１００）が提供される。
【発明の効果】
【００１５】
請求項１に記載のＬＥＤ照明装置（１００）では、第１色の光を発する第１ＬＥＤ光源（１ａ）と、第１色とは異なる第２色の光を発する第２ＬＥＤ光源（１ｂ）とが、第１ＬＥＤ光源（１ａ）の光軸（１ａ’）と第２ＬＥＤ光源（１ｂ）の光軸（１ｂ’）とが平行になるように配置されている。また、第１ＬＥＤ光源（１ａ）からの光を導光する第１導光レンズ（２）と、第２ＬＥＤ光源（１ｂ）からの光を導光する第２導光レンズ（３）とが設けられている。更に、第１導光レンズ（２）と第２導光レンズ（３）とが同一形状に形成されている。
【００１６】
詳細には、請求項１に記載のＬＥＤ照明装置（１００）では、第１ＬＥＤ光源（１ａ）の光軸（１ａ’）と第１の角度をなして第１ＬＥＤ光源（１ａ）から放射された光が入射する第１入射面（２ａ）が第１導光レンズ（２）に設けられている。また、第１ＬＥＤ光源（１ａ）の光軸（１ａ’）を中心に曲線（ａｂ）を回転させることにより得られる回転面によって第１入射面（２ａ）が構成されている。更に、第１入射面（２ａ）を透過した第１ＬＥＤ光源（１ａ）からの光が第１ＬＥＤ光源（１ａ）の光軸（１ａ’）に平行に進むように、第１入射面（２ａ）が形成されている。
【００１７】
また、請求項１に記載のＬＥＤ照明装置（１００）では、第１ＬＥＤ光源（１ａ）の光軸（１ａ’）と第１の角度より大きい第２の角度をなして第１ＬＥＤ光源（１ａ）から放射された光が入射する第２入射面（２ｂ）が第１導光レンズ（２）に設けられている。更に、第１ＬＥＤ光源（１ａ）の光軸（１ａ’）を中心に直線または曲線（ｂｃ）を回転させることにより得られる回転面によって第２入射面（２ｂ）が構成されている。
【００１８】
更に、請求項１に記載のＬＥＤ照明装置（１００）では、第２入射面（２ｂ）を透過した第１ＬＥＤ光源（１ａ）からの光を反射する第１反射面（２ｃ）が第１導光レンズ（２）に設けられている。また、第１ＬＥＤ光源（１ａ）の光軸（１ａ’）を中心に曲線（ｄｅ）を回転させることにより得られる回転面によって第１反射面（２ｃ）が構成されている。更に、第１反射面（２ｃ）から反射光が第１ＬＥＤ光源（１ａ）の光軸（１ａ’）に平行に進むように、第２入射面（２ｂ）および第１反射面（２ｃ）が形成されている。
【００１９】
また、請求項１に記載のＬＥＤ照明装置（１００）では、第１入射面（２ａ）からの光および第１反射面（２ｃ）からの光を反射する第２反射面（２ｄ）が第１導光レンズ（２）に設けられている。更に、第１ＬＥＤ光源（１ａ）の光軸（１ａ’）と４５°をなす平面によって第２反射面（２ｄ）が構成されている。また、第２反射面（２ｄ）が第１ＬＥＤ光源（１ａ）の光軸（１ａ’）の一方の側に配置されている。
【００２０】
更に、請求項１に記載のＬＥＤ照明装置（１００）では、第２反射面（２ｄ）からの光を反射する第３反射面（２ｅ１）と第４反射面（２ｅ２）とが第１導光レンズ（２）に設けられている。また、第２反射面（２ｄ）と平行な平面によって第３反射面（２ｅ１）が構成されている。更に、第２反射面（２ｄ）と平行な平面によって第４反射面（２ｅ２）が構成されている。
【００２１】
また、請求項１に記載のＬＥＤ照明装置（１００）では、第３反射面（２ｅ１）および第４反射面（２ｅ２）が第１ＬＥＤ光源（１ａ）の光軸（１ａ’）の一方の側に配置されている。更に、第３反射面（２ｅ１）が第１ＬＥＤ光源（１ａ）の光軸（１ａ’）と第４反射面（２ｅ２）との間に配置されている。また、第１ＬＥＤ光源（１ａ）の光軸（１ａ’）に垂直な平面により構成された第１接続面（２ｆ１）によって、第３反射面（２ｅ１）と第４反射面（２ｅ２）とが接続されている。
【００２２】
更に、請求項１に記載のＬＥＤ照明装置（１００）では、第３反射面（２ｅ１）からの光および第４反射面（２ｅ２）からの光が透過する第１出射面（２ｇ）が第１導光レンズ（２）に設けられている。また、第１出射面（２ｇ）が第１ＬＥＤ光源（１ａ）の光軸（１ａ’）の一方の側に配置されている。
【００２３】
また、請求項１に記載のＬＥＤ照明装置（１００）では、第１入射面（２ａ）からの光および第１反射面（２ｃ）からの光を反射する第５反射面（２ｈ）が第１導光レンズ（２）に設けられている。更に、第１ＬＥＤ光源（１ａ）の光軸（１ａ’）と４５°をなすと共に、第２反射面（２ｄ）に垂直な平面によって第５反射面（２ｈ）が構成されている。また、第５反射面（２ｈ）が第１ＬＥＤ光源（１ａ）の光軸（１ａ’）の他方の側に配置されている。
【００２４】
更に、請求項１に記載のＬＥＤ照明装置（１００）では、第５反射面（２ｈ）からの光を反射して第５反射面（２ｈ）に戻す第６反射面（２ｉ）が第１導光レンズ（２）に設けられている。また、第５反射面（２ｈ）と平行な平面によって第６反射面（２ｉ）が構成されている。
【００２５】
また、請求項１に記載のＬＥＤ照明装置（１００）では、第５反射面（２ｈ）からの光のうち、第６反射面（２ｉ）によって反射されない光を反射する第７反射面（２ｊ２）と第８反射面（２ｊ３）と第９反射面（２ｊ４）とが第１導光レンズ（２）に設けられている。更に、第５反射面（２ｈ）と平行な平面によって第７反射面（２ｊ２）が構成されている。また、第５反射面（２ｈ）と平行な平面によって第８反射面（２ｊ３）が構成されている。更に、第５反射面（２ｈ）と平行な平面によって第９反射面（２ｊ４）が構成されている。
【００２６】
更に、請求項１に記載のＬＥＤ照明装置（１００）では、第７反射面（２ｊ２）、第８反射面（２ｊ３）および第９反射面（２ｊ４）が第１ＬＥＤ光源（１ａ）の光軸（１ａ’）の他方の側に配置されている。また、第９反射面（２ｊ４）が第１ＬＥＤ光源（１ａ）の光軸（１ａ’）と第８反射面（２ｊ３）との間に配置されている。更に、第８反射面（２ｊ３）が第７反射面（２ｊ２）と第９反射面（２ｊ４）との間に配置されている。
【００２７】
また、請求項１に記載のＬＥＤ照明装置（１００）では、第１ＬＥＤ光源（１ａ）の光軸（１ａ’）に垂直な平面により構成された第２接続面（２ｋ２）によって、第７反射面（２ｊ２）と第８反射面（２ｊ３）とが接続されている。更に、第１ＬＥＤ光源（１ａ）の光軸（１ａ’）に垂直な平面により構成された第３接続面（２ｋ３）によって、第８反射面（２ｊ３）と第９反射面（２ｊ４）とが接続されている。また、第７反射面（２ｊ２）、第８反射面（２ｊ３）、第９反射面（２ｊ４）、第２接続面（２ｋ２）および第３接続面（２ｋ３）が、第１ＬＥＤ光源（１ａ）の光軸（１ａ’）方向に第１出射面（２ｇ）よりも第１ＬＥＤ光源（１ａ）から離れた位置に配置されている。
【００２８】
更に、請求項１に記載のＬＥＤ照明装置（１００）では、第７反射面（２ｊ２）からの光、第８反射面（２ｊ３）からの光および第９反射面（２ｊ４）からの光が透過する第２出射面（２ｍ）が第１導光レンズ（２）に設けられている。また、第２出射面（２ｍ）が第１ＬＥＤ光源（１ａ）の光軸（１ａ’）の他方の側に配置されている。
【００２９】
また、請求項１に記載のＬＥＤ照明装置（１００）では、第２ＬＥＤ光源（１ｂ）の光軸（１ｂ’）と第１の角度をなして第２ＬＥＤ光源（１ｂ）から放射された光が入射する第１入射面（３ａ）が、第２導光レンズ（３）に設けられている。更に、第２ＬＥＤ光源（１ｂ）の光軸（１ｂ’）を中心に曲線（ｆｇ）を回転させることにより得られる回転面によって第２導光レンズ（３）の第１入射面（３ａ）が構成されている。また、第２導光レンズ（３）の第１入射面（３ａ）を透過した第２ＬＥＤ光源（１ｂ）からの光が第２ＬＥＤ光源（１ｂ）の光軸（１ｂ’）に平行に進むように、第２導光レンズ（３）の第１入射面（３ａ）が形成されている。
【００３０】
更に、請求項１に記載のＬＥＤ照明装置（１００）では、第２ＬＥＤ光源（１ｂ）の光軸（１ｂ’）と第２の角度をなして第２ＬＥＤ光源（１ｂ）から放射された光が入射する第２入射面（３ｂ）が第２導光レンズ（３）に設けられている。また、第２ＬＥＤ光源（１ｂ）の光軸（１ｂ’）を中心に直線または曲線（ｇｈ）を回転させることにより得られる回転面によって第２導光レンズ（３）の第２入射面（３ｂ）が構成されている。
【００３１】
また、請求項１に記載のＬＥＤ照明装置（１００）では、第２導光レンズ（３）の第２入射面（３ｂ）を透過した第２ＬＥＤ光源（１ｂ）からの光を反射する第１反射面（３ｃ）が第２導光レンズ（３）に設けられている。更に、第２ＬＥＤ光源（１ｂ）の光軸（１ｂ’）を中心に曲線（ｉｊ）を回転させることにより得られる回転面によって第２導光レンズ（３）の第１反射面（３ｃ）が構成されている。また、第２導光レンズ（３）の第１反射面（３ｃ）から反射光が第２ＬＥＤ光源（１ｂ）の光軸（１ｂ’）に平行に進むように、第２導光レンズ（３）の第２入射面（３ｂ）および第１反射面（３ｃ）が形成されている。
【００３２】
更に、請求項１に記載のＬＥＤ照明装置（１００）では、第２導光レンズ（３）の第１入射面（３ａ）からの光および第２導光レンズ（３）の第１反射面（３ｃ）からの光を反射する第２反射面（３ｄ）が第２導光レンズ（３）に設けられっている。また、第２ＬＥＤ光源（１ｂ）の光軸（１ｂ’）と４５°をなす平面によって第２導光レンズ（３）の第２反射面（３ｄ）が構成されている。更に、第２導光レンズ（３）の第２反射面（３ｄ）が第２ＬＥＤ光源（１ｂ）の光軸（１ｂ’）の一方の側に配置されている。
【００３３】
また、請求項１に記載のＬＥＤ照明装置（１００）では、第２導光レンズ（３）の第２反射面（３ｄ）からの光を反射する第３反射面（３ｅ１）と第４反射面（３ｅ２）とが第２導光レンズ（３）に設けられている。更に、第２導光レンズ（３）の第２反射面（３ｄ）と平行な平面によって第２導光レンズ（３）の第３反射面（３ｅ１）が構成されている。また、第２導光レンズ（３）の第２反射面（３ｄ）と平行な平面によって第２導光レンズ（３）の第４反射面（３ｅ２）が構成されている。
【００３４】
更に、請求項１に記載のＬＥＤ照明装置（１００）では、第２導光レンズ（３）の第３反射面（３ｅ１）および第４反射面（３ｅ２）が第２ＬＥＤ光源（１ｂ）の光軸（１ｂ’）の一方の側に配置されている。また、第２導光レンズ（３）の第３反射面（３ｅ１）が第２ＬＥＤ光源（１ｂ）の光軸（１ｂ’）と第２導光レンズ（３）の第４反射面（３ｅ２）との間に配置されている。更に、第２ＬＥＤ光源（１ｂ）の光軸（１ｂ’）に垂直な平面により構成された第２導光レンズ（３）の第１接続面（３ｆ１）によって、第２導光レンズ（３）の第３反射面（３ｅ１）と第２導光レンズ（３）の第４反射面（３ｅ２）とが接続されている。
【００３５】
また、請求項１に記載のＬＥＤ照明装置（１００）では、第２導光レンズ（３）の第３反射面（３ｅ１）からの光および第２導光レンズ（３）の第４反射面（３ｅ２）からの光が透過する第１出射面（３ｇ）が第２導光レンズ（３）に設けられている。更に、第２導光レンズ（３）の第１出射面（３ｇ）が第２ＬＥＤ光源（１ｂ）の光軸（１ｂ’）の一方の側に配置されている。
【００３６】
更に、請求項１に記載のＬＥＤ照明装置（１００）では、第２導光レンズ（３）の第１入射面（３ａ）からの光および第２導光レンズ（３）の第１反射面（３ｃ）からの光を反射する第５反射面（３ｈ）が第２導光レンズ（３）に設けられている。また、第２ＬＥＤ光源（１ｂ）の光軸（１ｂ’）と４５°をなすと共に、第２導光レンズ（３）の第２反射面（３ｄ）に垂直な平面によって第２導光レンズ（３）の第５反射面（３ｈ）が構成されている。更に、第２導光レンズ（３）の第５反射面（３ｈ）が第２ＬＥＤ光源（１ｂ）の光軸（１ｂ’）の他方の側に配置されている。
【００３７】
また、請求項１に記載のＬＥＤ照明装置（１００）では、第２導光レンズ（３）の第５反射面（３ｈ）からの光を反射して第２導光レンズ（３）の第５反射面（３ｈ）に戻す第６反射面（３ｉ）が第２導光レンズ（３）に設けられている。更に、第２導光レンズ（３）の第５反射面（３ｈ）と平行な平面によって第２導光レンズ（３）の第６反射面（３ｉ）が構成されている。
【００３８】
更に、請求項１に記載のＬＥＤ照明装置（１００）では、第２導光レンズ（３）の第５反射面（３ｈ）からの光のうち、第２導光レンズ（３）の第６反射面（３ｉ）によって反射されない光を反射する第７反射面（３ｊ２）と第８反射面（３ｊ３）と第９反射面（３ｊ４）とが第２導光レンズ（３）に設けられている。また、第２導光レンズ（３）の第５反射面（３ｈ）と平行な平面によって第２導光レンズ（３）の第７反射面（３ｊ２）が構成されている。更に、第２導光レンズ（３）の第５反射面（３ｈ）と平行な平面によって第２導光レンズ（３）の第８反射面（３ｊ３）が構成されている。また、第２導光レンズ（３）の第５反射面（３ｈ）と平行な平面によって第２導光レンズ（３）の第９反射面（３ｊ４）が構成されている。
【００３９】
また、請求項１に記載のＬＥＤ照明装置（１００）では、第２導光レンズ（３）の第７反射面（３ｊ２）、第８反射面（３ｊ３）および第９反射面（３ｊ４）が第２ＬＥＤ光源（１ｂ）の光軸（１ｂ’）の他方の側に配置されている。更に、第２導光レンズ（３）の第９反射面（３ｊ４）が第２ＬＥＤ光源（１ｂ）の光軸（１ｂ’）と第２導光レンズ（３）の第８反射面（３ｊ３）との間に配置されている。また、第２導光レンズ（３）の第８反射面（３ｊ３）が第２導光レンズ（３）の第７反射面（３ｊ２）と第２導光レンズ（３）の第９反射面（３ｊ４）との間に配置されている。
【００４０】
更に、請求項１に記載のＬＥＤ照明装置（１００）では、第２ＬＥＤ光源（１ｂ）の光軸（１ｂ’）に垂直な平面により構成された第２導光レンズ（３）の第２接続面（３ｋ２）によって、第２導光レンズ（３）の第７反射面（３ｊ２）と第２導光レンズ（３）の第８反射面（３ｊ３）とが接続されている。また、第２ＬＥＤ光源（１ｂ）の光軸（１ｂ’）に垂直な平面により構成された第２導光レンズ（３）の第３接続面（３ｋ３）によって、第２導光レンズ（３）の第８反射面（３ｊ３）と第２導光レンズ（３）の第９反射面（３ｊ４）とが接続されている。更に、第２導光レンズ（３）の第７反射面（３ｊ２）、第８反射面（３ｊ３）、第９反射面（３ｊ４）、第２接続面（３ｋ２）および第３接続面（３ｋ３）が、第２ＬＥＤ光源（１ｂ）の光軸（１ｂ’）方向に第２導光レンズ（３）の第１出射面（３ｇ）よりも第２ＬＥＤ光源（１ｂ）から離れた位置に配置されている。
【００４１】
また、請求項１に記載のＬＥＤ照明装置（１００）では、第２導光レンズ（３）の第７反射面（３ｊ２）からの光、第２導光レンズ（３）の第８反射面（３ｊ３）からの光および第２導光レンズ（３）の第９反射面（３ｊ４）からの光が透過する第２出射面（３ｍ）が第２導光レンズ（３）に設けられている。更に、第２導光レンズ（３）の第２出射面（３ｍ）が第２ＬＥＤ光源（１ｂ）の光軸（１ｂ’）の他方の側に配置されている。
【００４２】
更に、請求項１に記載のＬＥＤ照明装置（１００）では、第１ＬＥＤ光源（１ａ）および第２ＬＥＤ光源（１ｂ）が、第１ＬＥＤ光源（１ａ）の光軸（１ａ’）および第２ＬＥＤ光源（１ｂ）の光軸（１ｂ’）に垂直な同一平面上に配置されている。また、第１ＬＥＤ光源（１ａ）の光軸（１ａ’）上における第１ＬＥＤ光源（１ａ）と第１導光レンズ（２）の第１入射面（２ａ）との間隔と、第２ＬＥＤ光源（１ｂ）の光軸（１ｂ’）上における第２ＬＥＤ光源（１ｂ）と第２導光レンズ（３）の第１入射面（３ａ）との間隔とが等しくされている。
【００４３】
また、請求項１に記載のＬＥＤ照明装置（１００）では、第１導光レンズ（２）が第１ＬＥＤ光源（１ａ）の光軸（１ａ’）を中心に回転可能に構成されている。更に、第２導光レンズ（３）が第２ＬＥＤ光源（１ｂ）の光軸（１ｂ’）を中心に回転可能に構成されている。また、第１導光レンズ（２）の第２反射面（２ｄ）と第２導光レンズ（３）の第５反射面（３ｈ）とが最も接近する時に第１導光レンズ（２）の第２反射面（２ｄ）と第２導光レンズ（３）の第５反射面（３ｈ）とが垂直になるように、第１導光レンズ（２）および第２導光レンズ（３）の回転のタイミングが設定されている。
【００４４】
更に、請求項１に記載のＬＥＤ照明装置（１００）では、第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、第１導光レンズ（２）の第３反射面（２ｅ１）を第１ＬＥＤ光源（１ａ）の光軸（１ａ’）方向に投影した位置に、第２導光レンズ（３）の第２接続面（３ｋ２）が配置され、かつ、第１導光レンズ（２）の第４反射面（２ｅ２）を第１ＬＥＤ光源（１ａ）の光軸（１ａ’）方向に投影した位置に、第２導光レンズ（３）の第３接続面（３ｋ３）が配置される。
【００４５】
また、請求項１に記載のＬＥＤ照明装置（１００）では、第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、第２導光レンズ（３）の第３反射面（３ｅ１）を第２ＬＥＤ光源（１ｂ）の光軸（１ｂ’）方向に投影した位置に、第１導光レンズ（２）の第２接続面（２ｋ２）が配置され、かつ、第２導光レンズ（３）の第４反射面（３ｅ２）を第２ＬＥＤ光源（１ｂ）の光軸（１ｂ’）方向に投影した位置に、第１導光レンズ（２）の第３接続面（２ｋ３）が配置される。
【００４６】
詳細には、請求項１に記載のＬＥＤ照明装置（１００）では、第１導光レンズ（２）の第１出射面（２ｇ）および第２出射面（２ｍ）を第１ＬＥＤ光源（１ａ）の光軸（１ａ’）方向に投影した位置に第２導光レンズ（３）が配置されておらず、第２導光レンズ（３）の第１出射面（３ｇ）および第２出射面（３ｍ）を第２ＬＥＤ光源（１ｂ）の光軸（１ｂ’）方向に投影した位置に第１導光レンズ（２）が配置されていない時に、第１導光レンズ（２）の第３反射面（２ｅ１）からの第１色の光が、第１導光レンズ（２）の第１出射面（２ｇ）を透過して第１ＬＥＤ光源（１ａ）の光軸（１ａ’）方向に照射され、更に、第１導光レンズ（２）の第４反射面（２ｅ２）からの第１色の光が、第１導光レンズ（２）の第１出射面（２ｇ）を透過して第１ＬＥＤ光源（１ａ）の光軸（１ａ’）方向に照射され、更に、第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、更に、第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、更に、第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、更に、第２導光レンズ（３）の第３反射面（３ｅ１）からの第２色の光が、第２導光レンズ（３）の第１出射面（３ｇ）を透過して第２ＬＥＤ光源（１ｂ）の光軸（１ｂ’）方向に照射され、更に、第２導光レンズ（３）の第４反射面（３ｅ２）からの第２色の光が、第２導光レンズ（３）の第１出射面（３ｇ）を透過して第２ＬＥＤ光源（１ｂ）の光軸（１ｂ’）方向に照射され、更に、第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、更に、第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、更に、第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射される。
【００４７】
また、請求項１に記載のＬＥＤ照明装置（１００）では、第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、第１導光レンズ（２）の第３反射面（２ｅ１）からの第１色の光が、第１導光レンズ（２）の第１出射面（２ｇ）を透過し、次いで、第２導光レンズ（３）の第２接続面（３ｋ２）を透過し、次いで、第２導光レンズ（３）の第２出射面（３ｍ）を透過して第１ＬＥＤ光源（１ａ）の光軸（１ａ’）方向に照射され、更に、第１導光レンズ（２）の第４反射面（２ｅ２）からの第１色の光が、第１導光レンズ（２）の第１出射面（２ｇ）を透過し、次いで、第２導光レンズ（３）の第３接続面（３ｋ３）を透過し、次いで、第２導光レンズ（３）の第２出射面（３ｍ）を透過して第１ＬＥＤ光源（１ａ）の光軸（１ａ’）方向に照射され、更に、第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、更に、第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、更に、第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、更に、第２導光レンズ（３）の第３反射面（３ｅ１）からの第２色の光が、第２導光レンズ（３）の第１出射面（３ｇ）を透過して第２ＬＥＤ光源（１ｂ）の光軸（１ｂ’）方向に照射され、更に、第２導光レンズ（３）の第４反射面（３ｅ２）からの第２色の光が、第２導光レンズ（３）の第１出射面（３ｇ）を透過して第２ＬＥＤ光源（１ｂ）の光軸（１ｂ’）方向に照射され、更に、第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、更に、第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、更に、第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射される。
【００４８】
更に、請求項１に記載のＬＥＤ照明装置（１００）では、第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、第１導光レンズ（２）の第３反射面（２ｅ１）からの第１色の光が、第１導光レンズ（２）の第１出射面（２ｇ）を透過して第１ＬＥＤ光源（１ａ）の光軸（１ａ’）方向に照射され、更に、第１導光レンズ（２）の第４反射面（２ｅ２）からの第１色の光が、第１導光レンズ（２）の第１出射面（２ｇ）を透過して第１ＬＥＤ光源（１ａ）の光軸（１ａ’）方向に照射され、更に、第１導光レンズ（２）の第７反射面（２ｊ２）からの第１色の光が、第１導光レンズ（２）の第２出射面（２ｍ）を透過して第１ＬＥＤ光源（１ａ）の光軸（１ａ’）方向に照射され、更に、第１導光レンズ（２）の第８反射面（２ｊ３）からの第１色の光が、第１導光レンズ（２）の第２出射面（２ｍ）を透過して第１ＬＥＤ光源（１ａ）の光軸（１ａ’）方向に照射され、更に、第１導光レンズ（２）の第９反射面（２ｊ４）からの第１色の光が、第１導光レンズ（２）の第２出射面（２ｍ）を透過して第１ＬＥＤ光源（１ａ）の光軸（１ａ’）方向に照射され、更に、第２導光レンズ（３）の第３反射面（３ｅ１）からの第２色の光が、第２導光レンズ（３）の第１出射面（３ｇ）を透過し、次いで、第１導光レンズ（２）の第２接続面（２ｋ２）を透過し、次いで、第１導光レンズ（２）の第２出射面（２ｍ）を透過して第２ＬＥＤ光源（１ｂ）の光軸（１ｂ’）方向に照射され、更に、第２導光レンズ（３）の第４反射面（３ｅ２）からの第２色の光が、第２導光レンズ（３）の第１出射面（３ｇ）を透過し、次いで、第１導光レンズ（２）の第３接続面（２ｋ３）を透過し、次いで、第１導光レンズ（２）の第２出射面（２ｍ）を透過して第２ＬＥＤ光源（１ｂ）の光軸（１ｂ’）方向に照射され、更に、第２導光レンズ（３）の第７反射面（３ｊ２）からの第２色の光が、第２導光レンズ（３）の第２出射面（３ｍ）を透過して第２ＬＥＤ光源（１ｂ）の光軸（１ｂ’）方向に照射され、更に、第２導光レンズ（３）の第８反射面（３ｊ３）からの第２色の光が、第２導光レンズ（３）の第２出射面（３ｍ）を透過して第２ＬＥＤ光源（１ｂ）の光軸（１ｂ’）方向に照射され、更に、第２導光レンズ（３）の第９反射面（３ｊ４）からの第２色の光が、第２導光レンズ（３）の第２出射面（３ｍ）を透過して第２ＬＥＤ光源（１ｂ）の光軸（１ｂ’）方向に照射される。
【００４９】
換言すれば、請求項１に記載のＬＥＤ照明装置（１００）では、第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、第１導光レンズ（２）の第３反射面（２ｅ１）および第４反射面（２ｅ２）からの第１色の光が、第２導光レンズ（３）の第２出射面（３ｍ）から出射すると共に、第２導光レンズ（３）の第７反射面（３ｊ２）、第８反射面（３ｊ３）および第９反射面（３ｊ４）からの第２色の光が、第２導光レンズ（３）の第２出射面（３ｍ）から出射する。
【００５０】
また、請求項１に記載のＬＥＤ照明装置（１００）では、第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、第１導光レンズ（２）の第７反射面（２ｊ２）、第８反射面（２ｊ３）および第９反射面（２ｊ４）からの第１色の光が、第１導光レンズ（２）の第２出射面（２ｍ）から出射すると共に、第２導光レンズ（３）の第３反射面（３ｅ１）および第４反射面（３ｅ２）からの第２色の光が、第１導光レンズ（２）の第２出射面（２ｍ）から出射する。
【００５１】
すなわち、請求項１に記載のＬＥＤ照明装置（１００）によれば、第２導光レンズ（３）の第２出射面（３ｍ）から第１色の光および第２色の光を出射することができ、第１導光レンズ（２）の第２出射面（２ｍ）から第１色の光および第２色の光を出射することができる。
【００５２】
詳細には、請求項１に記載のＬＥＤ照明装置（１００）では、第１導光レンズ（２）の第１出射面（２ｇ）および第２出射面（２ｍ）を第１ＬＥＤ光源（１ａ）の光軸（１ａ’）方向に投影した位置に第２導光レンズ（３）が配置されておらず、第２導光レンズ（３）の第１出射面（３ｇ）および第２出射面（３ｍ）を第２ＬＥＤ光源（１ｂ）の光軸（１ｂ’）方向に投影した位置に第１導光レンズ（２）が配置されていない時に、第１導光レンズ（２）の第２出射面（２ｍ）から第１色の光のみが出射し、かつ、第２導光レンズ（３）の第２出射面（３ｍ）から第２色の光のみが出射する状態になる。
【００５３】
また、請求項１に記載のＬＥＤ照明装置（１００）では、第１導光レンズ（２）の第２反射面（２ｄ）と第２導光レンズ（３）の第５反射面（３ｈ）とが最も接近し、第１導光レンズ（２）の第２反射面（２ｄ）と第２導光レンズ（３）の第５反射面（３ｈ）とが垂直になる時に、第１導光レンズ（２）の第２出射面（２ｍ）から第１色の光のみが出射し、かつ、第２導光レンズ（３）の第２出射面（３ｍ）から第１色の光および第２色の光が出射する状態になる。
【００５４】
更に、請求項１に記載のＬＥＤ照明装置（１００）では、第２導光レンズ（３）の第２反射面（３ｄ）と第１導光レンズ（２）の第５反射面（２ｈ）とが最も接近し、第２導光レンズ（３）の第２反射面（３ｄ）と第１導光レンズ（２）の第５反射面（２ｈ）とが垂直になる時に、第１導光レンズ（２）の第２出射面（２ｍ）から第１色の光および第２色の光が出射し、かつ、第２導光レンズ（３）の第２出射面（３ｍ）から第２色の光のみが出射する状態になる。
【００５５】
換言すれば、請求項１に記載のＬＥＤ照明装置（１００）によれば、第１導光レンズ（２）の第２出射面（２ｍ）から第１色の光のみが出射し、かつ、第２導光レンズ（３）の第２出射面（３ｍ）から第２色の光のみが出射する状態と、第１導光レンズ（２）の第２出射面（２ｍ）から第１色の光のみが出射し、かつ、第２導光レンズ（３）の第２出射面（３ｍ）から第１色の光および第２色の光が出射する状態と、第１導光レンズ（２）の第２出射面（２ｍ）から第１色の光および第２色の光が出射し、かつ、第２導光レンズ（３）の第２出射面（３ｍ）から第２色の光のみが出射する状態とを形成することができる。
【００５６】
請求項２に記載のＬＥＤ照明装置（１００）では、第１導光レンズ（２）の第３反射面（２ｅ１）からの光（Ｌ２ｅ１）が第１ＬＥＤ光源（１ａ）の光軸（１ａ’）に平行に進むように、第１導光レンズ（２）の第３反射面（２ｅ１）が形成されている。また、第１導光レンズ（２）の第４反射面（２ｅ２）からの光（Ｌ２ｅ２）が第１ＬＥＤ光源（１ａ）の光軸（１ａ’）に平行に進むように、第１導光レンズ（２）の第４反射面（２ｅ２）が形成されている。
【００５７】
更に、請求項２に記載のＬＥＤ照明装置（１００）では、第１導光レンズ（２）の第１出射面（２ｇ）が素通し面によって構成されている。また、第１導光レンズ（２）の第１出射面（２ｇ）を透過した第１導光レンズ（２）の第３反射面（２ｅ１）からの光（Ｌ２ｅ１）が透過する第２導光レンズ（３）の第２接続面（３ｋ２）が素通し面によって構成されている。更に、第１導光レンズ（２）の第１出射面（２ｇ）を透過した第１導光レンズ（２）の第４反射面（２ｅ２）からの光（Ｌ２ｅ２）が透過する第２導光レンズ（３）の第３接続面（３ｋ３）が素通し面によって構成されている。
【００５８】
また、請求項２に記載のＬＥＤ照明装置（１００）では、第２導光レンズ（３）の第７反射面（３ｊ２）からの光（Ｌ３ｊ２）が第２ＬＥＤ光源（１ｂ）の光軸（１ｂ’）に平行に進むように、第２導光レンズ（３）の第７反射面（３ｊ２）が形成されている。更に、第２導光レンズ（３）の第８反射面（３ｊ３）からの光（Ｌ３ｊ３）が第２ＬＥＤ光源（１ｂ）の光軸（１ｂ’）に平行に進むように、第２導光レンズ（３）の第８反射面（３ｊ３）が形成されている。また、第２導光レンズ（３）の第９反射面（３ｊ４）からの光（Ｌ３ｊ４）が第２ＬＥＤ光源（１ｂ）の光軸（１ｂ’）に平行に進むように、第２導光レンズ（３）の第９反射面（３ｊ４）が形成されている。
【００５９】
更に、請求項２に記載のＬＥＤ照明装置（１００）では、第２導光レンズ（３）の第２出射面（３ｍ）が素通し面によって構成されている。また、第２導光レンズ（３）の第３反射面（３ｅ１）からの光（Ｌ３ｅ１）が第２ＬＥＤ光源（１ｂ）の光軸（１ｂ’）に平行に進むように、第２導光レンズ（３）の第３反射面（３ｅ１）が形成されている。更に、第２導光レンズ（３）の第４反射面（３ｅ２）からの光（Ｌ３ｅ２）が第２ＬＥＤ光源（１ｂ）の光軸（１ｂ’）に平行に進むように、第２導光レンズ（３）の第４反射面（３ｅ２）が形成されている。
【００６０】
また、請求項２に記載のＬＥＤ照明装置（１００）では、第２導光レンズ（３）の第１出射面（３ｇ）が素通し面によって構成されている。更に、第２導光レンズ（３）の第１出射面（３ｇ）を透過した第２導光レンズ（３）の第３反射面（３ｅ１）からの光（Ｌ３ｅ１）が透過する第１導光レンズ（２）の第２接続面（２ｋ２）が素通し面によって構成されている。また、第２導光レンズ（３）の第１出射面（３ｇ）を透過した第２導光レンズ（３）の第４反射面（３ｅ２）からの光（Ｌ３ｅ２）が透過する第１導光レンズ（２）の第３接続面（２ｋ３）が素通し面によって構成されている。
【００６１】
更に、請求項２に記載のＬＥＤ照明装置（１００）では、第１導光レンズ（２）の第７反射面（２ｊ２）からの光（Ｌ２ｊ２）が第１ＬＥＤ光源（１ａ）の光軸（１ａ’）に平行に進むように、第１導光レンズ（２）の第７反射面（２ｊ２）が形成されている。また、第１導光レンズ（２）の第８反射面（２ｊ３）からの光（Ｌ２ｊ３）が第１ＬＥＤ光源（１ａ）の光軸（１ａ’）に平行に進むように、第１導光レンズ（２）の第８反射面（２ｊ３）が形成されている。更に、第１導光レンズ（２）の第９反射面（２ｊ４）からの光（Ｌ２ｊ４）が第１ＬＥＤ光源（１ａ）の光軸（１ａ’）に平行に進むように、第１導光レンズ（２）の第９反射面（２ｊ４）が形成されている。また、第１導光レンズ（２）の第２出射面（２ｍ）が素通し面によって構成されている。
【００６２】
そのため、請求項２に記載のＬＥＤ照明装置（１００）では、第１導光レンズ（２）の第２出射面（２ｍ）から第１色の光および第２色の光が出射する時に、第１導光レンズ（２）の第７反射面（２ｊ２）からの第１色の光（Ｌ２ｊ２）によって縞状に光って見える部分（２ｍ２ｊ２）と、第１導光レンズ（２）の第８反射面（２ｊ３）からの第１色の光（Ｌ２ｊ３）によって縞状に光って見える部分（２ｍ２ｊ３）との間に、第２導光レンズ（３）の第３反射面（３ｅ１）からの第２色の光（Ｌ３ｅ１）によって縞状に光って見える部分（２ｍ３ｅ１）が形成されると共に、第１導光レンズ（２）の第８反射面（２ｊ３）からの第１色の光（Ｌ２ｊ３）によって縞状に光って見える部分（２ｍ２ｊ３）と、第１導光レンズ（２）の第９反射面（２ｊ４）からの第１色の光（Ｌ２ｊ４）によって縞状に光って見える部分（２ｍ２ｊ４）との間に、第２導光レンズ（３）の第４反射面（３ｅ２）からの第２色の光（Ｌ３ｅ２）によって縞状に光って見える部分（２ｍ３ｅ２）が形成される。
【００６３】
更に、請求項２に記載のＬＥＤ照明装置（１００）では、第２導光レンズ（３）の第２出射面（３ｍ）から第１色の光および第２色の光が出射する時に、第２導光レンズ（３）の第７反射面（３ｊ２）からの第２色の光（Ｌ３ｊ２）によって縞状に光って見える部分（３ｍ３ｊ２）と、第２導光レンズ（３）の第８反射面（３ｊ３）からの第２色の光（Ｌ３ｊ３）によって縞状に光って見える部分（３ｍ３ｊ３）との間に、第１導光レンズ（２）の第３反射面（２ｅ１）からの第１色の光（Ｌ２ｅ１）によって縞状に光って見える部分（３ｍ２ｅ１）が形成されると共に、第２導光レンズ（３）の第８反射面（３ｊ３）からの第２色の光（Ｌ３ｊ３）によって縞状に光って見える部分（３ｍ３ｊ３）と、第２導光レンズ（３）の第９反射面（３ｊ４）からの第２色の光（Ｌ３ｊ４）によって縞状に光って見える部分（３ｍ３ｊ４）との間に、第１導光レンズ（２）の第４反射面（２ｅ２）からの第１色の光（Ｌ２ｅ２）によって縞状に光って見える部分（３ｍ２ｅ２）が形成される。
【００６４】
換言すれば、請求項２に記載のＬＥＤ照明装置（１００）によれば、第１導光レンズ（２）の第２出射面（２ｍ）から第１色の光および第２色の光が出射する時に、縞状の第１色に光って見える部分（２ｍ２ｊ２，２ｍ２ｊ３，２ｍ２ｊ４）の間に縞状の第２色に光って見える部分（２ｍ３ｅ１，２ｍ３ｅ２）を形成することができ、第２導光レンズ（３）の第２出射面（３ｍ）から第１色の光および第２色の光が出射する時に、縞状の第２色に光って見える部分（３ｍ３ｊ２，３ｍ３ｊ３，３ｍ３ｊ４）の間に縞状の第１色に光って見える部分（３ｍ２ｅ１，３ｍ２ｅ２）を形成することができる。
【００６５】
請求項３に記載のＬＥＤ照明装置（１００）では、第２導光レンズ（３）の第３反射面（３ｅ１）に入射する第２色の光を乱反射するための粗面加工が第２導光レンズ（３）の第３反射面（３ｅ１）に施されている。また、第２導光レンズ（３）の第４反射面（３ｅ２）に入射する第２色の光を乱反射するための粗面加工が第２導光レンズ（３）の第４反射面（３ｅ２）に施されている。更に、第２導光レンズ（３）の第１出射面（３ｇ）を透過する第２色の光を拡散させるための粗面加工が第２導光レンズ（３）の第１出射面（３ｇ）に施されている。
【００６６】
そのため、請求項３に記載のＬＥＤ照明装置（１００）では、第２導光レンズ（３）の第１出射面（３ｇ）から第２色の光が出射する時に、第２導光レンズ（３）の第１出射面（３ｇ）の全体が第２色に光って見える。
【００６７】
また、請求項３に記載のＬＥＤ照明装置（１００）では、第２導光レンズ（３）の第１出射面（３ｇ）からの第２色の光が第１導光レンズ（２）の第２接続面（２ｋ２）を透過する時に拡散するように、第１導光レンズ（２）の第２接続面（２ｋ２）に粗面加工が施されている。更に、第２導光レンズ（３）の第１出射面（３ｇ）からの第２色の光が第１導光レンズ（２）の第３接続面（２ｋ３）を透過する時に拡散するように、第１導光レンズ（２）の第３接続面（２ｋ３）に粗面加工が施されている。
【００６８】
更に、請求項３に記載のＬＥＤ照明装置（１００）では、第１導光レンズ（２）の第７反射面（２ｊ２）に入射する第１色の光を乱反射するための粗面加工が第１導光レンズ（２）の第７反射面（２ｊ２）に施されている。また、第１導光レンズ（２）の第８反射面（２ｊ３）に入射する第１色の光を乱反射するための粗面加工が第１導光レンズ（２）の第８反射面（２ｊ３）に施されている。更に、第１導光レンズ（２）の第９反射面（２ｊ４）に入射する第１色の光を乱反射するための粗面加工が第１導光レンズ（２）の第９反射面（２ｊ４）に施されている。また、第１導光レンズ（２）の第２出射面（２ｍ）を透過する第１色の光および第２色の光を拡散させるための粗面加工が第１導光レンズ（２）の第２出射面（２ｍ）に施されている。
【００６９】
そのため、請求項３に記載のＬＥＤ照明装置（１００）では、第１導光レンズ（２）の第２出射面（２ｍ）から第１色の光および第２色の光が出射する時に、第１導光レンズ（２）の第２出射面（２ｍ）の全体が、第１色と第２色とが混合した第３色に光って見える。
【００７０】
また、請求項３に記載のＬＥＤ照明装置（１００）では、第１導光レンズ（２）の第３反射面（２ｅ１）に入射する第１色の光を乱反射するための粗面加工が第１導光レンズ（２）の第３反射面（２ｅ１）に施されている。更に、第１導光レンズ（２）の第４反射面（２ｅ２）に入射する第１色の光を乱反射するための粗面加工が第１導光レンズ（２）の第４反射面（２ｅ２）に施されている。また、第１導光レンズ（２）の第１出射面（２ｇ）を透過する第１色の光を拡散させるための粗面加工が第１導光レンズ（２）の第１出射面（２ｇ）に施されている。
【００７１】
そのため、請求項３に記載のＬＥＤ照明装置（１００）では、第１導光レンズ（２）の第１出射面（２ｇ）から第１色の光が出射する時に、第１導光レンズ（２）の第１出射面（２ｇ）の全体が第１色に光って見える。
【００７２】
更に、請求項３に記載のＬＥＤ照明装置（１００）では、第１導光レンズ（２）の第１出射面（２ｇ）からの第１色の光が第２導光レンズ（３）の第２接続面（３ｋ２）を透過する時に拡散するように、第２導光レンズ（３）の第２接続面（３ｋ２）に粗面加工が施されている。また、第１導光レンズ（２）の第１出射面（２ｇ）からの第１色の光が第２導光レンズ（３）の第３接続面（３ｋ３）を透過する時に拡散するように、第２導光レンズ（３）の第３接続面（３ｋ３）に粗面加工が施されている。
【００７３】
また、請求項３に記載のＬＥＤ照明装置（１００）では、第２導光レンズ（３）の第７反射面（３ｊ２）に入射する第２色の光を乱反射するための粗面加工が第２導光レンズ（３）の第７反射面（３ｊ２）に施されている。更に、第２導光レンズ（３）の第８反射面（３ｊ３）に入射する第２色の光を乱反射するための粗面加工が第２導光レンズ（３）の第８反射面（３ｊ３）に施されている。また、第２導光レンズ（３）の第９反射面（３ｊ４）に入射する第２色の光を乱反射するための粗面加工が第２導光レンズ（３）の第９反射面（３ｊ４）に施されている。更に、第２導光レンズ（３）の第２出射面（３ｍ）を透過する第１色の光および第２色の光を拡散させるための粗面加工が第２導光レンズ（３）の第２出射面（３ｍ）に施されている。
【００７４】
そのため、請求項３に記載のＬＥＤ照明装置（１００）では、第２導光レンズ（３）の第２出射面（３ｍ）から第１色の光および第２色の光が出射する時に、第２導光レンズ（３）の第２出射面（３ｍ）の全体が、第１色と第２色とが混合した第３色に光って見える。
【００７５】
換言すれば、請求項３に記載のＬＥＤ照明装置（１００）によれば、第１導光レンズ（２）の第２出射面（２ｍ）から第１色の光および第２色の光が出射する時に、第１導光レンズ（２）の第２出射面（２ｍ）の全体が第１色と第２色とが混合した第３色に光って見えるようにすることができ、第２導光レンズ（３）の第２出射面（３ｍ）から第１色の光および第２色の光が出射する時に、第２導光レンズ（３）の第２出射面（３ｍ）の全体が第１色と第２色とが混合した第３色に光って見えるようにすることができる。
【図面の簡単な説明】
【００７６】
【図１】第１の実施形態のＬＥＤ照明装置１００を概略的に示した図である。
【図２】第１の実施形態のＬＥＤ照明装置１００を概略的に示した図である。
【図３】第１の実施形態のＬＥＤ照明装置１００を概略的に示した図である。
【図４】第１の実施形態のＬＥＤ照明装置１００の一部を構成する導光レンズ２の部品図である。
【図５】第１の実施形態のＬＥＤ照明装置１００の一部を構成する導光レンズ２の拡大断面図である。
【図６】第１の実施形態のＬＥＤ照明装置１００の一部を構成する導光レンズ３の部品図である。
【図７】第１の実施形態のＬＥＤ照明装置１００の一部を構成する導光レンズ３の拡大断面図である。
【図８】図３（Ｂ）に示す断面内における第１の実施形態のＬＥＤ照明装置１００のＬＥＤ光源１ａからの光の光路を説明するための図などである。
【図９】図３（Ｃ）に示す断面内における第１の実施形態のＬＥＤ照明装置１００のＬＥＤ光源１ｂからの光の光路を説明するための図などである。
【図１０】図１（Ｂ）に示す断面内における第１の実施形態のＬＥＤ照明装置１００のＬＥＤ光源１ａからの光およびＬＥＤ光源１ｂからの光の光路を説明するための図などである。
【図１１】図２（Ｂ）に示す断面内における第１の実施形態のＬＥＤ照明装置１００のＬＥＤ光源１ａからの光およびＬＥＤ光源１ｂからの光の光路を説明するための図などである。
【図１２】図３（Ｂ）に示す断面内における第２の実施形態のＬＥＤ照明装置１００のＬＥＤ光源１ａからの光の光路を説明するための図などである。
【図１３】図３（Ｃ）に示す断面内における第２の実施形態のＬＥＤ照明装置１００のＬＥＤ光源１ｂからの光の光路を説明するための図などである。
【図１４】図１（Ｂ）に示す断面内における第２の実施形態のＬＥＤ照明装置１００のＬＥＤ光源１ａからの光およびＬＥＤ光源１ｂからの光の光路を説明するための図などである。
【図１５】図２（Ｂ）に示す断面内における第２の実施形態のＬＥＤ照明装置１００のＬＥＤ光源１ａからの光およびＬＥＤ光源１ｂからの光の光路を説明するための図などである。
【図１６】第３の実施形態のＬＥＤ照明装置１００の一部を構成する導光レンズ２の部品図である。
【図１７】第３の実施形態のＬＥＤ照明装置１００の一部を構成する導光レンズ３の部品図である。
【図１８】第４の実施形態のＬＥＤ照明装置１００の一部を構成する導光レンズ２の部品図である。
【図１９】第４の実施形態のＬＥＤ照明装置１００の一部を構成する導光レンズ３の部品図である。
【発明を実施するための形態】
【００７７】
以下、本発明のＬＥＤ照明装置の第１の実施形態について説明する。図１〜図３は第１の実施形態のＬＥＤ照明装置１００を概略的に示した図である。詳細には、図１（Ａ）は導光レンズ２の反射面２ｄ（図４参照）と導光レンズ３の反射面３ｈ（図６参照）とが最も接近し、導光レンズ２の反射面２ｄと導光レンズ３の反射面３ｈとが垂直になる時における第１の実施形態のＬＥＤ照明装置１００の平面図である。図１（Ｂ）は図１（Ａ）のＡ−Ａ線に沿った断面図である。図２（Ａ）は導光レンズ３の反射面３ｄ（図６参照）と導光レンズ２の反射面２ｈ（図４参照）とが最も接近し、導光レンズ３の反射面３ｄと導光レンズ２の反射面２ｈとが垂直になる時における第１の実施形態のＬＥＤ照明装置１００の平面図である。図２（Ｂ）は図２（Ａ）のＢ−Ｂ線に沿った断面図である。図３（Ａ）は導光レンズ２の出射面２ｇ，２ｍをＬＥＤ光源１ａ（図３（Ｂ）参照）の光軸１ａ’の方向（図３（Ｂ）の上下方向）に投影した位置に導光レンズ３が配置されておらず、導光レンズ３の出射面３ｇ，３ｍをＬＥＤ光源１ｂ（図３（Ｃ）参照）の光軸１ｂ’の方向（図３（Ｃ）の上下方向）に投影した位置に導光レンズ２が配置されていない時における第１の実施形態のＬＥＤ照明装置１００の平面図である。図３（Ｂ）は図３（Ａ）のＣ−Ｃ線に沿った断面図、図３（Ｃ）は図３（Ａ）のＤ−Ｄ線に沿った断面図である。
【００７８】
図４は第１の実施形態のＬＥＤ照明装置１００の一部を構成する導光レンズ２の部品図である。詳細には、図４（Ａ）は導光レンズ２の平面図、図４（Ｂ）は導光レンズ２の正面図、図４（Ｃ）は導光レンズ２の右側面図、図４（Ｄ）は図４（Ａ）のＥ−Ｅ線に沿った断面図、図４（Ｅ）は導光レンズ２の左側面図である。図５は第１の実施形態のＬＥＤ照明装置１００の一部を構成する導光レンズ２の拡大断面図である。詳細には、図５（Ａ）は図４（Ｄ）の一部分の拡大図、図５（Ｂ）は図４（Ｄ）の残りの部分の拡大図である。
【００７９】
図６は第１の実施形態のＬＥＤ照明装置１００の一部を構成する導光レンズ３の部品図である。詳細には、図６（Ａ）は導光レンズ３の平面図、図６（Ｂ）は導光レンズ３の正面図、図６（Ｃ）は導光レンズ３の右側面図、図６（Ｄ）は図６（Ａ）のＦ−Ｆ線に沿った断面図、図６（Ｅ）は導光レンズ３の左側面図である。図７は第１の実施形態のＬＥＤ照明装置１００の一部を構成する導光レンズ３の拡大断面図である。詳細には、図７（Ａ）は図６（Ｄ）の一部分の拡大図、図７（Ｂ）は図６（Ｄ）の残りの部分の拡大図である。
【００８０】
図８（Ａ）は図３（Ｂ）に示す断面内における第１の実施形態のＬＥＤ照明装置１００のＬＥＤ光源１ａからの光の光路を説明するための図である。図８（Ｂ）は図３に示す状態における第１の実施形態のＬＥＤ照明装置１００の導光レンズ２の平面図である。詳細には、図８（Ｂ）は図３に示す状態の第１の実施形態のＬＥＤ照明装置１００の導光レンズ２をＬＥＤ光源１ａ（図８（Ａ）参照）の光軸１ａ’（図８（Ａ）参照）の方向（図８（Ａ）の上側）から見た場合の導光レンズ２の出射面２ｇ，２ｍの見え方を説明するための図である。
【００８１】
図９（Ａ）は図３（Ｃ）に示す断面内における第１の実施形態のＬＥＤ照明装置１００のＬＥＤ光源１ｂからの光の光路を説明するための図である。図９（Ｂ）は図３に示す状態における第１の実施形態のＬＥＤ照明装置１００の導光レンズ３の平面図である。詳細には、図９（Ｂ）は図３に示す状態の第１の実施形態のＬＥＤ照明装置１００の導光レンズ３をＬＥＤ光源１ｂ（図９（Ａ）参照）の光軸１ｂ’（図９（Ａ）参照）の方向（図９（Ａ）の上側）から見た場合の導光レンズ３の出射面３ｇ，３ｍの見え方を説明するための図である。
【００８２】
図１０（Ａ）は図１（Ｂ）に示す断面内における第１の実施形態のＬＥＤ照明装置１００のＬＥＤ光源１ａ（図１（Ｂ）参照）からの光およびＬＥＤ光源１ｂからの光の光路を説明するための図である。図１０（Ｂ）は図１に示す状態における第１の実施形態のＬＥＤ照明装置１００の導光レンズ３の平面図である。詳細には、図１０（Ｂ）は図１に示す状態の第１の実施形態のＬＥＤ照明装置１００の導光レンズ３をＬＥＤ光源１ｂ（図１０（Ａ）参照）の光軸１ｂ’（図１０（Ａ）参照）の方向（図１０（Ａ）の上側）から見た場合の導光レンズ３の出射面３ｇ，３ｍの見え方を説明するための図である。
【００８３】
図１１（Ａ）は図２（Ｂ）に示す断面内における第１の実施形態のＬＥＤ照明装置１００のＬＥＤ光源１ａからの光およびＬＥＤ光源１ｂ（図２（Ｂ）参照）からの光の光路を説明するための図である。図１１（Ｂ）は図２に示す状態における第１の実施形態のＬＥＤ照明装置１００の導光レンズ２の平面図である。詳細には、図１１（Ｂ）は図２に示す状態の第１の実施形態のＬＥＤ照明装置１００の導光レンズ２をＬＥＤ光源１ａ（図１１（Ａ）参照）の光軸１ａ’（図１１（Ａ）参照）の方向（図１１（Ａ）の上側）から見た場合の導光レンズ２の出射面２ｇ，２ｍの見え方を説明するための図である。
【００８４】
第１の実施形態のＬＥＤ照明装置１００では、図１（Ｂ）に示すように、第１色の光を発するＬＥＤ光源１ａと、第１色とは異なる第２色の光を発するＬＥＤ光源１ｂとが、ＬＥＤ光源１ａの光軸１ａ’とＬＥＤ光源１ｂの光軸１ｂ’とが平行になるように配置されている。詳細には、ＬＥＤ光源１ａが支持部材４ａを介してベース部材５に接続され、ＬＥＤ光源１ｂが支持部材４ｂを介してベース部材５に接続されている。また、ＬＥＤ光源１ａからの光を導光する導光レンズ２と、ＬＥＤ光源１ｂからの光を導光する導光レンズ３とが設けられている。更に、図４および図６に示すように、導光レンズ２と導光レンズ３とが同一形状に形成されている。詳細には、導光レンズ２，３が透光性材料によって形成されている。更に、図８（Ａ）に示すように、ＬＥＤ光源１ａの光軸１ａ’と導光レンズ２の回転中心軸線２ｎ’とが概略一致せしめられている。また、図９（Ａ）に示すように、ＬＥＤ光源１ｂの光軸１ｂ’と導光レンズ３の回転中心軸線３ｎ’とが概略一致せしめられている。
【００８５】
更に、第１の実施形態のＬＥＤ照明装置１００では、図４（Ｄ）、図５（Ａ）、図５（Ｂ）および図８（Ａ）に示すように、ＬＥＤ光源１ａ（図８（Ａ）参照）の光軸１ａ’（図８（Ａ）参照）と例えば０°〜５０°の角度をなしてＬＥＤ光源１ａから放射された光が入射する入射面２ａが導光レンズ２に設けられている。また、ＬＥＤ光源１ａの光軸１ａ’を中心に曲線ａｂ（図５（Ａ）参照）を回転させることにより得られる回転面によって入射面２ａが構成されている。更に、図８（Ａ）に示すように、入射面２ａを透過したＬＥＤ光源１ａからの光がＬＥＤ光源１ａの光軸１ａ’に平行に進むように、入射面２ａが形成されている。
【００８６】
また、第１の実施形態のＬＥＤ照明装置１００では、図４（Ｄ）、図５（Ａ）、図５（Ｂ）および図８（Ａ）に示すように、ＬＥＤ光源１ａ（図８（Ａ）参照）の光軸１ａ’（図８（Ａ）参照）と例えば５０°〜９０°の角度をなしてＬＥＤ光源１ａから放射された光が入射する入射面２ｂが導光レンズ２に設けられている。更に、ＬＥＤ光源１ａの光軸１ａ’を中心に直線ｂｃ（図５（Ａ）参照）または曲線（図示せず）を回転させることにより得られる回転面によって入射面２ｂが構成されている。
【００８７】
更に、第１の実施形態のＬＥＤ照明装置１００では、図４（Ｄ）、図５（Ａ）、図５（Ｂ）および図８（Ａ）に示すように、入射面２ｂを透過したＬＥＤ光源１ａからの光を反射する反射面２ｃが導光レンズ２に設けられている。また、ＬＥＤ光源１ａ（図８（Ａ）参照）の光軸１ａ’（図８（Ａ）参照）を中心に曲線ｄｅ（図５（Ａ）参照）を回転させることにより得られる回転面によって反射面２ｃが構成されている。更に、図８（Ａ）に示すように、反射面２ｃから反射光がＬＥＤ光源１ａの光軸１ａ’に平行に進むように、入射面２ｂ（図５参照）および反射面２ｃ（図５参照）が形成されている。
【００８８】
また、第１の実施形態のＬＥＤ照明装置１００では、図４（Ａ）、図４（Ｂ）、図４（Ｄ）、図５（Ａ）および図８（Ａ）に示すように、入射面２ａ（図５（Ａ）参照）からの光および反射面２ｃ（図５（Ａ）参照）からの光を反射する反射面２ｄが導光レンズ２に設けられている。更に、ＬＥＤ光源１ａ（図８（Ａ）参照）の光軸１ａ’（図８（Ａ）参照）と４５°をなす平面によって反射面２ｄが構成されている。また、反射面２ｄがＬＥＤ光源１ａの光軸１ａ’の一方の側（図８（Ａ）の右側）に配置されている。
【００８９】
更に、第１の実施形態のＬＥＤ照明装置１００では、図５（Ａ）および図８（Ａ）に示すように、反射面２ｄからの光を反射する反射面２ｅ１，２ｅ２，２ｅ３，２ｅ４，２ｅ５，２ｅ６，２ｅ７，２ｅ８が導光レンズ２に設けられている。また、反射面２ｄと平行な平面によって反射面２ｅ１，２ｅ２，２ｅ３，２ｅ４，２ｅ５，２ｅ６，２ｅ７，２ｅ８のそれぞれが構成されている。詳細には、反射面２ｅ１，２ｅ２，２ｅ３，２ｅ４，２ｅ５，２ｅ６，２ｅ７，２ｅ８がＬＥＤ光源１ａ（図８（Ａ）参照）の光軸１ａ’（図８（Ａ）参照）の一方の側（図８（Ａ）の右側）に配置されている。更に、反射面２ｅ１がＬＥＤ光源１ａの光軸１ａ’（導光レンズ２の回転中心軸線２ｎ’）と反射面２ｅ２との間に配置されている。
【００９０】
また、第１の実施形態のＬＥＤ照明装置１００では、図５（Ａ）に示すように、ＬＥＤ光源１ａ（図８（Ａ）参照）の光軸１ａ’（図８（Ａ）参照）（導光レンズ２の回転中心軸線２ｎ’）に垂直な平面により構成された接続面２ｆ１によって、反射面２ｅ１と反射面２ｅ２とが接続されている。更に、ＬＥＤ光源１ａの光軸１ａ’（導光レンズ２の回転中心軸線２ｎ’）に垂直な平面により構成された接続面２ｆ２によって、反射面２ｅ２と反射面２ｅ３とが接続されている。また、ＬＥＤ光源１ａの光軸１ａ’（導光レンズ２の回転中心軸線２ｎ’）に垂直な平面により構成された接続面２ｆ３によって、反射面２ｅ３と反射面２ｅ４とが接続されている。更に、ＬＥＤ光源１ａの光軸１ａ’（導光レンズ２の回転中心軸線２ｎ’）に垂直な平面により構成された接続面２ｆ４によって、反射面２ｅ４と反射面２ｅ５とが接続されている。また、ＬＥＤ光源１ａの光軸１ａ’（導光レンズ２の回転中心軸線２ｎ’）に垂直な平面により構成された接続面２ｆ５によって、反射面２ｅ５と反射面２ｅ６とが接続されている。更に、ＬＥＤ光源１ａの光軸１ａ’（導光レンズ２の回転中心軸線２ｎ’）に垂直な平面により構成された接続面２ｆ６によって、反射面２ｅ６と反射面２ｅ７とが接続されている。また、ＬＥＤ光源１ａの光軸１ａ’（導光レンズ２の回転中心軸線２ｎ’）に垂直な平面により構成された接続面２ｆ７によって、反射面２ｅ７と反射面２ｅ８とが接続されている。
【００９１】
更に、第１の実施形態のＬＥＤ照明装置１００では、図４（Ａ）、図４（Ｂ）、図４（Ｄ）、図５（Ａ）および図８（Ａ）に示すように、反射面２ｅ１，２ｅ２，２ｅ３，２ｅ４，２ｅ５，２ｅ６，２ｅ７，２ｅ８からの光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８（図８（Ａ）参照）が透過する出射面２ｇが導光レンズ２に設けられている。また、出射面２ｇがＬＥＤ光源１ａ（図８（Ａ）参照）の光軸１ａ’（図８（Ａ）参照）の一方の側（図８（Ａ）の右側）に配置されている。
【００９２】
また、第１の実施形態のＬＥＤ照明装置１００では、図４（Ａ）、図４（Ｂ）、図４（Ｃ）、図４（Ｄ）、図５（Ｂ）および図８（Ａ）に示すように、入射面２ａ（図５（Ｂ）参照）からの光および反射面２ｃ（図５（Ｂ）参照）からの光を反射する反射面２ｈが導光レンズ２に設けられている。更に、ＬＥＤ光源１ａ（図８（Ａ）参照）の光軸１ａ’（図８（Ａ）参照）と４５°をなすと共に、反射面２ｄに垂直な平面によって反射面２ｈが構成されている。また、反射面２ｈがＬＥＤ光源１ａの光軸１ａ’の他方の側（図８（Ａ）の左側）に配置されている。
【００９３】
更に、第１の実施形態のＬＥＤ照明装置１００では、図４、図５（Ｂ）および図８（Ａ）に示すように、反射面２ｈからの光を反射して反射面２ｈに戻す反射面２ｉが導光レンズ２に設けられている。また、反射面２ｈと平行な平面によって反射面２ｉが構成されている。
【００９４】
また、第１の実施形態のＬＥＤ照明装置１００では、図５（Ｂ）および図８（Ａ）に示すように、反射面２ｈからの光のうち、反射面２ｉによって反射されない光を反射する反射面２ｊ１，２ｊ２，２ｊ３，２ｊ４，２ｊ５，２ｊ６，２ｊ７，２ｊ８，２ｊ９が導光レンズ２に設けられている。更に、反射面２ｈと平行な平面によって反射面２ｊ１，２ｊ２，２ｊ３，２ｊ４，２ｊ５，２ｊ６，２ｊ７，２ｊ８，２ｊ９のそれぞれが構成されている。また、反射面２ｊ１，２ｊ２，２ｊ３，２ｊ４，２ｊ５，２ｊ６，２ｊ７，２ｊ８，２ｊ９がＬＥＤ光源１ａ（図８（Ａ）参照）の光軸１ａ’（図８（Ａ）参照）の他方の側（図８（Ａ）の左側）に配置されている。詳細には、例えば反射面２ｊ４がＬＥＤ光源１ａの光軸１ａ’（導光レンズ２の回転中心軸線２ｎ’）と反射面２ｊ３との間に配置されている。更に、反射面２ｊ３が反射面２ｊ２と反射面２ｊ４との間に配置されている。
【００９５】
また、第１の実施形態のＬＥＤ照明装置１００では、図５（Ｂ）に示すように、ＬＥＤ光源１ａ（図８（Ａ）参照）の光軸１ａ’（図８（Ａ）参照）（導光レンズ２の回転中心軸線２ｎ’）に垂直な平面により構成された接続面２ｋ１によって、反射面２ｊ１と反射面２ｊ２とが接続されている。更に、ＬＥＤ光源１ａの光軸１ａ’（導光レンズ２の回転中心軸線２ｎ’）に垂直な平面により構成された接続面２ｋ２によって、反射面２ｊ２と反射面２ｊ３とが接続されている。また、ＬＥＤ光源１ａの光軸１ａ’（導光レンズ２の回転中心軸線２ｎ’）に垂直な平面により構成された接続面２ｋ３によって、反射面２ｊ３と反射面２ｊ４とが接続されている。更に、ＬＥＤ光源１ａの光軸１ａ’（導光レンズ２の回転中心軸線２ｎ’）に垂直な平面により構成された接続面２ｋ４によって、反射面２ｊ４と反射面２ｊ５とが接続されている。また、ＬＥＤ光源１ａの光軸１ａ’（導光レンズ２の回転中心軸線２ｎ’）に垂直な平面により構成された接続面２ｋ５によって、反射面２ｊ５と反射面２ｊ６とが接続されている。更に、ＬＥＤ光源１ａの光軸１ａ’（導光レンズ２の回転中心軸線２ｎ’）に垂直な平面により構成された接続面２ｋ６によって、反射面２ｊ６と反射面２ｊ７とが接続されている。また、ＬＥＤ光源１ａの光軸１ａ’（導光レンズ２の回転中心軸線２ｎ’）に垂直な平面により構成された接続面２ｋ７によって、反射面２ｊ７と反射面２ｊ８とが接続されている。更に、ＬＥＤ光源１ａの光軸１ａ’（導光レンズ２の回転中心軸線２ｎ’）に垂直な平面により構成された接続面２ｋ８によって、反射面２ｊ８と反射面２ｊ９とが接続されている。また、ＬＥＤ光源１ａの光軸１ａ’（導光レンズ２の回転中心軸線２ｎ’）に垂直な平面により構成された接続面２ｋ９によって、反射面２ｊ９と反射面２ｉとが接続されている。
【００９６】
更に、第１の実施形態のＬＥＤ照明装置１００では、図４（Ｄ）および図５に示すように、反射面２ｊ１，２ｊ２，２ｊ３，２ｊ４，２ｊ５，２ｊ６，２ｊ７，２ｊ８，２ｊ９および接続面２ｋ１，２ｋ２，２ｋ３，２ｋ４，２ｋ５，２ｋ６，２ｋ７，２ｋ８，２ｋ９が、ＬＥＤ光源１ａ（図８（Ａ）参照）の光軸１ａ’（図８（Ａ）参照）（導光レンズ２の回転中心軸線２ｎ’）の方向（図４（Ｄ）、図５および図８（Ａ）の上下方向）に出射面２ｇよりもＬＥＤ光源１ａから離れた位置に配置されている。
【００９７】
更に、第１の実施形態のＬＥＤ照明装置１００では、図４（Ａ）、図４（Ｂ）、図４（Ｄ）、図５（Ｂ）および図８（Ａ）に示すように、反射面２ｊ１，２ｊ２，２ｊ３，２ｊ４，２ｊ５，２ｊ６，２ｊ７，２ｊ８，２ｊ９からの光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９（図８（Ａ）参照）が透過する出射面２ｍが導光レンズ２に設けられている。また、出射面２ｍがＬＥＤ光源１ａ（図８（Ａ）参照）の光軸１ａ’（図８（Ａ）参照）の他方の側（図８（Ａ）の左側）に配置されている。
【００９８】
更に、第１の実施形態のＬＥＤ照明装置１００では、図６（Ｄ）、図７（Ａ）、図７（Ｂ）および図９（Ａ）に示すように、ＬＥＤ光源１ｂ（図９（Ａ）参照）の光軸１ｂ’（図９（Ａ）参照）と例えば０°〜５０°の角度をなしてＬＥＤ光源１ｂから放射された光が入射する入射面３ａが導光レンズ３に設けられている。また、ＬＥＤ光源１ｂの光軸１ｂ’を中心に曲線ｆｇ（図７（Ａ）参照）を回転させることにより得られる回転面によって入射面３ａが構成されている。更に、図９（Ａ）に示すように、入射面３ａを透過したＬＥＤ光源１ｂからの光がＬＥＤ光源１ｂの光軸１ｂ’に平行に進むように、入射面３ａが形成されている。
【００９９】
また、第１の実施形態のＬＥＤ照明装置１００では、図６（Ｄ）、図７（Ａ）、図７（Ｂ）および図９（Ａ）に示すように、ＬＥＤ光源１ｂ（図９（Ａ）参照）の光軸１ｂ’（図９（Ａ）参照）と例えば５０°〜９０°の角度をなしてＬＥＤ光源１ｂから放射された光が入射する入射面３ｂが導光レンズ３に設けられている。更に、ＬＥＤ光源１ｂの光軸１ｂ’を中心に直線ｇｈ（図７（Ａ）参照）または曲線（図示せず）を回転させることにより得られる回転面によって入射面３ｂが構成されている。
【０１００】
更に、第１の実施形態のＬＥＤ照明装置１００では、図６（Ｄ）、図７（Ａ）、図７（Ｂ）および図９（Ａ）に示すように、入射面３ｂを透過したＬＥＤ光源１ｂからの光を反射する反射面３ｃが導光レンズ３に設けられている。また、ＬＥＤ光源１ｂ（図９（Ａ）参照）の光軸１ｂ’（図９（Ａ）参照）を中心に曲線ｉｊ（図７（Ａ）参照）を回転させることにより得られる回転面によって反射面３ｃが構成されている。更に、図９（Ａ）に示すように、反射面３ｃから反射光がＬＥＤ光源１ｂの光軸１ｂ’に平行に進むように、入射面３ｂ（図７参照）および反射面３ｃ（図７参照）が形成されている。
【０１０１】
また、第１の実施形態のＬＥＤ照明装置１００では、図６（Ａ）、図６（Ｂ）、図６（Ｄ）、図７（Ａ）および図９（Ａ）に示すように、入射面３ａ（図７（Ａ）参照）からの光および反射面３ｃ（図７（Ａ）参照）からの光を反射する反射面３ｄが導光レンズ３に設けられている。更に、ＬＥＤ光源１ｂ（図９（Ａ）参照）の光軸１ｂ’（図９（Ａ）参照）と４５°をなす平面によって反射面３ｄが構成されている。また、反射面３ｄがＬＥＤ光源１ｂの光軸１ｂ’の一方の側（図９（Ａ）の右側）に配置されている。
【０１０２】
更に、第１の実施形態のＬＥＤ照明装置１００では、図７（Ａ）および図９（Ａ）に示すように、反射面３ｄからの光を反射する反射面３ｅ１，３ｅ２，３ｅ３，３ｅ４，３ｅ５，３ｅ６，３ｅ７，３ｅ８が導光レンズ３に設けられている。また、反射面３ｄと平行な平面によって反射面３ｅ１，３ｅ２，３ｅ３，３ｅ４，３ｅ５，３ｅ６，３ｅ７，３ｅ８のそれぞれが構成されている。詳細には、反射面３ｅ１，３ｅ２，３ｅ３，３ｅ４，３ｅ５，３ｅ６，３ｅ７，３ｅ８がＬＥＤ光源１ｂ（図９（Ａ）参照）の光軸１ｂ’（図９（Ａ）参照）の一方の側（図９（Ａ）の右側）に配置されている。更に、反射面３ｅ１がＬＥＤ光源１ｂの光軸１ｂ’（導光レンズ３の回転中心軸線３ｎ’）と反射面３ｅ２との間に配置されている。
【０１０３】
また、第１の実施形態のＬＥＤ照明装置１００では、図７（Ａ）に示すように、ＬＥＤ光源１ｂ（図９（Ａ）参照）の光軸１ｂ’（図９（Ａ）参照）（導光レンズ３の回転中心軸線３ｎ’）に垂直な平面により構成された接続面３ｆ１によって、反射面３ｅ１と反射面３ｅ２とが接続されている。更に、ＬＥＤ光源１ｂの光軸１ｂ’（導光レンズ３の回転中心軸線３ｎ’）に垂直な平面により構成された接続面３ｆ２によって、反射面３ｅ２と反射面３ｅ３とが接続されている。また、ＬＥＤ光源１ｂの光軸１ｂ’（導光レンズ３の回転中心軸線３ｎ’）に垂直な平面により構成された接続面３ｆ３によって、反射面３ｅ３と反射面３ｅ４とが接続されている。更に、ＬＥＤ光源１ｂの光軸１ｂ’（導光レンズ３の回転中心軸線３ｎ’）に垂直な平面により構成された接続面３ｆ４によって、反射面３ｅ４と反射面３ｅ５とが接続されている。また、ＬＥＤ光源１ｂの光軸１ｂ’（導光レンズ３の回転中心軸線３ｎ’）に垂直な平面により構成された接続面３ｆ５によって、反射面３ｅ５と反射面３ｅ６とが接続されている。更に、ＬＥＤ光源１ｂの光軸１ｂ’（導光レンズ３の回転中心軸線３ｎ’）に垂直な平面により構成された接続面３ｆ６によって、反射面３ｅ６と反射面３ｅ７とが接続されている。また、ＬＥＤ光源１ｂの光軸１ｂ’（導光レンズ３の回転中心軸線３ｎ’）に垂直な平面により構成された接続面３ｆ７によって、反射面３ｅ７と反射面３ｅ８とが接続されている。
【０１０４】
更に、第１の実施形態のＬＥＤ照明装置１００では、図６（Ａ）、図６（Ｂ）、図６（Ｄ）、図７（Ａ）および図９（Ａ）に示すように、反射面３ｅ１，３ｅ２，３ｅ３，３ｅ４，３ｅ５，３ｅ６，３ｅ７，３ｅ８からの光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８（図９（Ａ）参照）が透過する出射面３ｇが導光レンズ３に設けられている。また、出射面３ｇがＬＥＤ光源１ｂ（図９（Ａ）参照）の光軸１ｂ’（図９（Ａ）参照）の一方の側（図９（Ａ）の右側）に配置されている。
【０１０５】
また、第１の実施形態のＬＥＤ照明装置１００では、図６（Ａ）、図６（Ｂ）、図６（Ｃ）、図６（Ｄ）、図７（Ｂ）および図９（Ａ）に示すように、入射面３ａ（図７（Ｂ）参照）からの光および反射面３ｃ（図７（Ｂ）参照）からの光を反射する反射面３ｈが導光レンズ３に設けられている。更に、ＬＥＤ光源１ｂ（図９（Ａ）参照）の光軸１ｂ’（図９（Ａ）参照）と４５°をなすと共に、反射面３ｄに垂直な平面によって反射面３ｈが構成されている。また、反射面３ｈがＬＥＤ光源１ｂの光軸１ｂ’の他方の側（図９（Ａ）の左側）に配置されている。
【０１０６】
更に、第１の実施形態のＬＥＤ照明装置１００では、図６、図７（Ｂ）および図９（Ａ）に示すように、反射面３ｈからの光を反射して反射面３ｈに戻す反射面３ｉが導光レンズ３に設けられている。また、反射面３ｈと平行な平面によって反射面３ｉが構成されている。
【０１０７】
また、第１の実施形態のＬＥＤ照明装置１００では、図７（Ｂ）および図９（Ａ）に示すように、反射面３ｈからの光のうち、反射面３ｉによって反射されない光を反射する反射面３ｊ１，３ｊ２，３ｊ３，３ｊ４，３ｊ５，３ｊ６，３ｊ７，３ｊ８，３ｊ９が導光レンズ３に設けられている。更に、反射面３ｈと平行な平面によって反射面３ｊ１，３ｊ２，３ｊ３，３ｊ４，３ｊ５，３ｊ６，３ｊ７，３ｊ８，３ｊ９のそれぞれが構成されている。また、反射面３ｊ１，３ｊ２，３ｊ３，３ｊ４，３ｊ５，３ｊ６，３ｊ７，３ｊ８，３ｊ９がＬＥＤ光源１ｂ（図９（Ａ）参照）の光軸１ｂ’（図９（Ａ）参照）の他方の側（図９（Ａ）の左側）に配置されている。詳細には、例えば反射面３ｊ４がＬＥＤ光源１ｂの光軸１ｂ’（導光レンズ３の回転中心軸線３ｎ’）と反射面３ｊ３との間に配置されている。更に、反射面３ｊ３が反射面３ｊ２と反射面３ｊ４との間に配置されている。
【０１０８】
また、第１の実施形態のＬＥＤ照明装置１００では、図７（Ｂ）に示すように、ＬＥＤ光源１ｂ（図９（Ａ）参照）の光軸１ｂ’（図９（Ａ）参照）（導光レンズ３の回転中心軸線３ｎ’）に垂直な平面により構成された接続面３ｋ１によって、反射面３ｊ１と反射面３ｊ２とが接続されている。更に、ＬＥＤ光源１ｂの光軸１ｂ’（導光レンズ３の回転中心軸線３ｎ’）に垂直な平面により構成された接続面３ｋ２によって、反射面３ｊ２と反射面３ｊ３とが接続されている。また、ＬＥＤ光源１ｂの光軸１ｂ’（導光レンズ３の回転中心軸線３ｎ’）に垂直な平面により構成された接続面３ｋ３によって、反射面３ｊ３と反射面３ｊ４とが接続されている。更に、ＬＥＤ光源１ｂの光軸１ｂ’（導光レンズ３の回転中心軸線３ｎ’）に垂直な平面により構成された接続面３ｋ４によって、反射面３ｊ４と反射面３ｊ５とが接続されている。また、ＬＥＤ光源１ｂの光軸１ｂ’（導光レンズ３の回転中心軸線３ｎ’）に垂直な平面により構成された接続面３ｋ５によって、反射面３ｊ５と反射面３ｊ６とが接続されている。更に、ＬＥＤ光源１ｂの光軸１ｂ’（導光レンズ３の回転中心軸線３ｎ’）に垂直な平面により構成された接続面３ｋ６によって、反射面３ｊ６と反射面３ｊ７とが接続されている。また、ＬＥＤ光源１ｂの光軸１ｂ’（導光レンズ３の回転中心軸線３ｎ’）に垂直な平面により構成された接続面３ｋ７によって、反射面３ｊ７と反射面３ｊ８とが接続されている。更に、ＬＥＤ光源１ｂの光軸１ｂ’（導光レンズ３の回転中心軸線３ｎ’）に垂直な平面により構成された接続面３ｋ８によって、反射面３ｊ８と反射面３ｊ９とが接続されている。また、ＬＥＤ光源１ｂの光軸１ｂ’（導光レンズ３の回転中心軸線３ｎ’）に垂直な平面により構成された接続面３ｋ９によって、反射面３ｊ９と反射面３ｉとが接続されている。
【０１０９】
更に、第１の実施形態のＬＥＤ照明装置１００では、図６（Ｄ）および図７に示すように、反射面３ｊ１，３ｊ２，３ｊ３，３ｊ４，３ｊ５，３ｊ６，３ｊ７，３ｊ８，３ｊ９および接続面３ｋ１，３ｋ２，３ｋ３，３ｋ４，３ｋ５，３ｋ６，３ｋ７，３ｋ８，３ｋ９が、ＬＥＤ光源１ｂ（図９（Ａ）参照）の光軸１ｂ’（図９（Ａ）参照）（導光レンズ３の回転中心軸線３ｎ’）の方向（図６（Ｄ）、図７および図９（Ａ）の上下方向）に出射面３ｇよりもＬＥＤ光源１ｂから離れた位置に配置されている。
【０１１０】
更に、第１の実施形態のＬＥＤ照明装置１００では、図６（Ａ）、図６（Ｂ）、図６（Ｄ）、図７（Ｂ）および図９（Ａ）に示すように、反射面３ｊ１，３ｊ２，３ｊ３，３ｊ４，３ｊ５，３ｊ６，３ｊ７，３ｊ８，３ｊ９からの光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９（図９（Ａ）参照）が透過する出射面３ｍが導光レンズ３に設けられている。また、出射面３ｍがＬＥＤ光源１ｂ（図９（Ａ）参照）の光軸１ｂ’（図９（Ａ）参照）の他方の側（図９（Ａ）の左側）に配置されている。
【０１１１】
また、第１の実施形態のＬＥＤ照明装置１００では、図１（Ｂ）に示すように、ＬＥＤ光源１ａおよびＬＥＤ光源１ｂが、ＬＥＤ光源１ａの光軸１ａ’およびＬＥＤ光源１ｂの光軸１ｂ’に垂直な同一平面上に配置されている。更に、図８（Ａ）および図９（Ａ）に示すように、ＬＥＤ光源１ａの光軸１ａ’上におけるＬＥＤ光源１ａと導光レンズ２の入射面２ａとの間隔と、ＬＥＤ光源１ｂの光軸１ｂ’上におけるＬＥＤ光源１ｂと導光レンズ３の入射面３ａとの間隔とが等しくされている。
【０１１２】
更に、第１の実施形態のＬＥＤ照明装置１００では、図１〜図３に示すように、導光レンズ２がＬＥＤ光源１ａの光軸１ａ’を中心に回転可能に構成されている。更に、導光レンズ３がＬＥＤ光源１ｂの光軸１ｂ’を中心に回転可能に構成されている。詳細には、図１（Ｂ）に示すように、導光レンズ２の回転軸部２ｎがハウジング６の穴６ａによって回転可能に支持されている。また、導光レンズ３の回転軸部３ｎがハウジング６の穴６ｂによって回転可能に支持されている。更に、導光レンズ２のギヤ２ｐと、ハウジング６の穴６ｃに対して位置決めされたモータ７の出力ギヤ７ａとが歯合せしめられている。また、ハウジング６の軸部６ｄを中心に回転可能なアイドルギヤ８と、導光レンズ２のギヤ２ｐおよび導光レンズ３のギヤ３ｐとが歯合せしめられている。そのため、第１の実施形態のＬＥＤ照明装置１００では、図１〜図３に示すように、導光レンズ２および導光レンズ３が同一の向きに等速（等角速度）で回転可能に構成されている。
【０１１３】
第１の実施形態のＬＥＤ照明装置１００の変形例では、代わりに、導光レンズ２が回転する向きと導光レンズ３が回転する向きとを逆向きに設定することも可能である。また、第１の実施形態のＬＥＤ照明装置１００の他の変形例では、代わりに、導光レンズ２の角速度を導光レンズ３の角速度の整数倍に設定することも可能である。第１の実施形態のＬＥＤ照明装置１００の更に他の変形例では、代わりに、モータ７およびギヤ列とは異なる公知の任意の駆動機構によって導光レンズ２，３を回転させることも可能である。
【０１１４】
詳細には、第１の実施形態のＬＥＤ照明装置１００では、図１に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近する時に導光レンズ２の反射面２ｄと導光レンズ３の反射面３ｈとが垂直になるように（つまり、図１（Ａ）および図１（Ｂ）に示す状態になるように）、導光レンズ２および導光レンズ３の回転のタイミングが設定されている。
【０１１５】
更に、第１の実施形態のＬＥＤ照明装置１００では、図１および図１０（Ａ）に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近し、導光レンズ２の反射面２ｄと導光レンズ３の反射面３ｈとが垂直になる時（つまり、図１（Ａ）、図１（Ｂ）および図１０（Ａ）に示す状態になる時）に、導光レンズ２の反射面２ｅ１（図５（Ａ）参照）をＬＥＤ光源１ａの光軸１ａ’の方向（図１（Ｂ）および図１０（Ａ）の上向き）に投影した位置に、導光レンズ３の接続面３ｋ２（図７（Ｂ）参照）が配置され、導光レンズ２の反射面２ｅ２（図５（Ａ）参照）をＬＥＤ光源１ａの光軸１ａ’の方向（図１（Ｂ）および図１０（Ａ）の上向き）に投影した位置に、導光レンズ３の接続面３ｋ３（図７（Ｂ）参照）が配置され、導光レンズ２の反射面２ｅ３（図５（Ａ）参照）をＬＥＤ光源１ａの光軸１ａ’の方向（図１（Ｂ）および図１０（Ａ）の上向き）に投影した位置に、導光レンズ３の接続面３ｋ４（図７（Ｂ）参照）が配置され、導光レンズ２の反射面２ｅ４（図５（Ａ）参照）をＬＥＤ光源１ａの光軸１ａ’の方向（図１（Ｂ）および図１０（Ａ）の上向き）に投影した位置に、導光レンズ３の接続面３ｋ５（図７（Ｂ）参照）が配置され、導光レンズ２の反射面２ｅ５（図５（Ａ）参照）をＬＥＤ光源１ａの光軸１ａ’の方向（図１（Ｂ）および図１０（Ａ）の上向き）に投影した位置に、導光レンズ３の接続面３ｋ６（図７（Ｂ）参照）が配置され、導光レンズ２の反射面２ｅ６（図５（Ａ）参照）をＬＥＤ光源１ａの光軸１ａ’の方向（図１（Ｂ）および図１０（Ａ）の上向き）に投影した位置に、導光レンズ３の接続面３ｋ７（図７（Ｂ）参照）が配置され、導光レンズ２の反射面２ｅ７（図５（Ａ）参照）をＬＥＤ光源１ａの光軸１ａ’の方向（図１（Ｂ）および図１０（Ａ）の上向き）に投影した位置に、導光レンズ３の接続面３ｋ８（図７（Ｂ）参照）が配置され、導光レンズ２の反射面２ｅ８（図５（Ａ）参照）をＬＥＤ光源１ａの光軸１ａ’の方向（図１（Ｂ）および図１０（Ａ）の上向き）に投影した位置に、導光レンズ３の接続面３ｋ９（図７（Ｂ）参照）が配置される。
【０１１６】
また、第１の実施形態のＬＥＤ照明装置１００では、図２および図１１（Ａ）に示すように、導光レンズ３の反射面３ｄ（図６（Ａ）、図６（Ｂ）および図６（Ｄ）参照）と導光レンズ２の反射面２ｈ（図４（Ａ）、図４（Ｂ）、図４（Ｃ）および図４（Ｄ）参照）とが最も接近し、導光レンズ３の反射面３ｄと導光レンズ２の反射面２ｈとが垂直になる時（つまり、図２（Ａ）、図２（Ｂ）および図１１（Ａ）に示す状態になる時）に、導光レンズ３の反射面３ｅ１（図７（Ａ）参照）をＬＥＤ光源１ｂの光軸１ｂ’の方向（図２（Ｂ）および図１１（Ａ）の上向き）に投影した位置に、導光レンズ２の接続面２ｋ２（図５（Ｂ）参照）が配置され、導光レンズ３の反射面３ｅ２（図７（Ａ）参照）をＬＥＤ光源１ｂの光軸１ｂ’の方向（図２（Ｂ）および図１１（Ａ）の上向き）に投影した位置に、導光レンズ２の接続面２ｋ３（図５（Ｂ）参照）が配置され、導光レンズ３の反射面３ｅ３（図７（Ａ）参照）をＬＥＤ光源１ｂの光軸１ｂ’の方向（図２（Ｂ）および図１１（Ａ）の上向き）に投影した位置に、導光レンズ２の接続面２ｋ４（図５（Ｂ）参照）が配置され、導光レンズ３の反射面３ｅ４（図７（Ａ）参照）をＬＥＤ光源１ｂの光軸１ｂ’の方向（図２（Ｂ）および図１１（Ａ）の上向き）に投影した位置に、導光レンズ２の接続面２ｋ５（図５（Ｂ）参照）が配置され、導光レンズ３の反射面３ｅ５（図７（Ａ）参照）をＬＥＤ光源１ｂの光軸１ｂ’の方向（図２（Ｂ）および図１１（Ａ）の上向き）に投影した位置に、導光レンズ２の接続面２ｋ６（図５（Ｂ）参照）が配置され、導光レンズ３の反射面３ｅ６（図７（Ａ）参照）をＬＥＤ光源１ｂの光軸１ｂ’の方向（図２（Ｂ）および図１１（Ａ）の上向き）に投影した位置に、導光レンズ２の接続面２ｋ７（図５（Ｂ）参照）が配置され、導光レンズ３の反射面３ｅ７（図７（Ａ）参照）をＬＥＤ光源１ｂの光軸１ｂ’の方向（図２（Ｂ）および図１１（Ａ）の上向き）に投影した位置に、導光レンズ２の接続面２ｋ８（図５（Ｂ）参照）が配置され、導光レンズ３の反射面３ｅ８（図７（Ａ）参照）をＬＥＤ光源１ｂの光軸１ｂ’の方向（図２（Ｂ）および図１１（Ａ）の上向き）に投影した位置に、導光レンズ２の接続面２ｋ９（図５（Ｂ）参照）が配置される。
【０１１７】
詳細には、第１の実施形態のＬＥＤ照明装置１００では、例えば図３に示すように、導光レンズ２の出射面２ｇおよび出射面２ｍをＬＥＤ光源１ａの光軸１ａ’の方向（図３（Ｂ）の上下方向）に投影した位置に導光レンズ３が配置されておらず、導光レンズ３の出射面３ｇおよび出射面３ｍをＬＥＤ光源１ｂの光軸１ｂ’の方向（図３（Ｃ）の上下方向）に投影した位置に導光レンズ２が配置されていない時（つまり、例えば図３（Ａ）、図３（Ｂ）および図３（Ｃ）に示す状態になる時）に、図８（Ａ）に示すように、導光レンズ２の反射面２ｅ１，２ｅ２，２ｅ３，２ｅ４，２ｅ５，２ｅ６，２ｅ７，２ｅ８（図５（Ａ）参照）からの第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８が、導光レンズ２の出射面２ｇ（図５（Ａ）参照）を透過してＬＥＤ光源１ａの光軸１ａ’の方向（図８（Ａ）の上向き）に照射され、導光レンズ２の反射面２ｊ１，２ｊ２，２ｊ３，２ｊ４，２ｊ５，２ｊ６，２ｊ７，２ｊ８，２ｊ９（図５（Ｂ）参照）からの第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９が、導光レンズ２の出射面２ｍ（図５（Ｂ）参照）を透過してＬＥＤ光源１ａの光軸１ａ’の方向（図８（Ａ）の上向き）に照射され、更に、図９（Ａ）に示すように、導光レンズ３の反射面３ｅ１，３ｅ２，３ｅ３，３ｅ４，３ｅ５，３ｅ６，３ｅ７，３ｅ８（図７（Ａ）参照）からの第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８が、導光レンズ３の出射面３ｇ（図７（Ａ）参照）を透過してＬＥＤ光源１ｂの光軸１ｂ’の方向（図９（Ａ）の上向き）に照射され、導光レンズ３の反射面３ｊ１，３ｊ２，３ｊ３，３ｊ４，３ｊ５，３ｊ６，３ｊ７，３ｊ８，３ｊ９（図７（Ｂ）参照）からの第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が、導光レンズ３の出射面３ｍ（図７（Ｂ）参照）を透過してＬＥＤ光源１ｂの光軸１ｂ’の方向（図９（Ａ）の上向き）に照射される。
【０１１８】
また、第１の実施形態のＬＥＤ照明装置１００では、図１および図１０（Ａ）に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近し、導光レンズ２の反射面２ｄと導光レンズ３の反射面３ｈとが垂直になる時（つまり、図１（Ａ）、図１（Ｂ）および図１０（Ａ）に示す状態になる時）に、図１０（Ａ）に示すように、導光レンズ２の反射面２ｅ１（図５（Ａ）参照）からの第１色の光Ｌ２ｅ１が、導光レンズ２の出射面２ｇを透過し、次いで、導光レンズ３の接続面３ｋ２（図７（Ｂ）参照）を透過し、次いで、導光レンズ３の出射面３ｍ（図７（Ｂ）参照）を透過してＬＥＤ光源１ａの光軸１ａ’の方向（図１０（Ａ）の上向き）に照射され、同様に、導光レンズ２の反射面２ｅ２，２ｅ３，２ｅ４，２ｅ５，２ｅ６，２ｅ７，２ｅ８（図５（Ａ）参照）からの第１色の光Ｌ２ｅ２，Ｌ２ｅ３，Ｌ２ｅ４，Ｌ２ｅ５，Ｌ２ｅ６，Ｌ２ｅ７，Ｌ２ｅ８が、導光レンズ２の出射面２ｇを透過し、次いで、導光レンズ３の接続面３ｋ３，３ｋ４，３ｋ５，３ｋ６，３ｋ７，３ｋ８，３ｋ９（図７（Ｂ）参照）を透過し、次いで、導光レンズ３の出射面３ｍ（図７（Ｂ）参照）を透過してＬＥＤ光源１ａの光軸１ａ’の方向（図１０（Ａ）の上向き）に照射され、更に、図８（Ａ）に示すように、導光レンズ２の反射面２ｊ１（図５（Ｂ）参照）からの第１色の光Ｌ２ｊ１が、導光レンズ２の出射面２ｍ（図５（Ｂ）参照）を透過してＬＥＤ光源１ａの光軸１ａ’の方向（図８（Ａ）の上向き）に照射され、同様に、導光レンズ２の反射面２ｊ２，２ｊ３，２ｊ４，２ｊ５，２ｊ６，２ｊ７，２ｊ８，２ｊ９（図５（Ｂ）参照）からの第１色の光Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９が、導光レンズ２の出射面２ｍ（図５（Ｂ）参照）を透過してＬＥＤ光源１ａの光軸１ａ’の方向（図８（Ａ）の上向き）に照射され、更に、図１０（Ａ）に示すように、導光レンズ３の反射面３ｅ１（図７（Ａ）参照）からの第２色の光Ｌ３ｅ１が、導光レンズ３の出射面３ｇ（図７（Ａ）参照）を透過してＬＥＤ光源１ｂの光軸１ｂ’の方向（図１０（Ａ）の上向き）に照射され、同様に、導光レンズ３の反射面３ｅ２，３ｅ３，３ｅ４，３ｅ５，３ｅ６，３ｅ７，３ｅ８（図７（Ａ）参照）からの第２色の光Ｌ３ｅ２，Ｌ３ｅ３，Ｌ３ｅ４，Ｌ３ｅ５，Ｌ３ｅ６，Ｌ３ｅ７，Ｌ３ｅ８が、導光レンズ３の出射面３ｇ（図７（Ａ）参照）を透過してＬＥＤ光源１ｂの光軸１ｂ’の方向（図１０（Ａ）の上向き）に照射され、更に、図９（Ａ）に示すように、導光レンズ３の反射面３ｊ１（図７（Ｂ）参照）からの第２色の光Ｌ３ｊ１が、導光レンズ３の出射面３ｍ（図７（Ｂ）参照）を透過してＬＥＤ光源１ｂの光軸１ｂ’の方向（図９（Ａ）の上向き）に照射され、同様に、導光レンズ３の反射面３ｊ２，３ｊ３，３ｊ４，３ｊ５，３ｊ６，３ｊ７，３ｊ８，３ｊ９（図７（Ｂ）参照）からの第２色の光Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が、導光レンズ３の出射面３ｍ（図７（Ｂ）参照）を透過してＬＥＤ光源１ｂの光軸１ｂ’の方向（図９（Ａ）の上向き）に照射される。
【０１１９】
更に、第１の実施形態のＬＥＤ照明装置１００では、図２および図１１（Ａ）に示すように、導光レンズ３の反射面３ｄ（図６（Ａ）、図６（Ｂ）および図６（Ｄ）参照）と導光レンズ２の反射面２ｈ（図４（Ａ）、図４（Ｂ）、図４（Ｃ）および図４（Ｄ）参照）とが最も接近し、導光レンズ３の反射面３ｄと導光レンズ２の反射面２ｈとが垂直になる時（つまり、図２（Ａ）、図２（Ｂ）および図１１（Ａ）に示す状態になる時）に、図１１（Ａ）に示すように、導光レンズ２の反射面２ｅ１（図５（Ａ）参照）からの第１色の光Ｌ２ｅ１が、導光レンズ２の出射面２ｇ（図５（Ａ）参照）を透過してＬＥＤ光源１ａの光軸１ａ’の方向（図１１（Ａ）の上向き）に照射され、同様に、導光レンズ２の反射面２ｅ２，２ｅ３，２ｅ４，２ｅ５，２ｅ６，２ｅ７，２ｅ８（図５（Ａ）参照）からの第１色の光Ｌ２ｅ２，Ｌ２ｅ３，Ｌ２ｅ４，Ｌ２ｅ５，Ｌ２ｅ６，Ｌ２ｅ７，Ｌ２ｅ８が、導光レンズ２の出射面２ｇ（図５（Ａ）参照）を透過してＬＥＤ光源１ａの光軸１ａ’の方向（図１１（Ａ）の上向き）に照射され、更に、図８（Ａ）に示すように、導光レンズ２の反射面２ｊ１（図５（Ｂ）参照）からの第１色の光Ｌ２ｊ１が、導光レンズ２の出射面２ｍ（図５（Ｂ）参照）を透過してＬＥＤ光源１ａの光軸１ａ’の方向（図８（Ａ）の上向き）に照射され、同様に、導光レンズ２の反射面２ｊ２，２ｊ３，２ｊ４，２ｊ５，２ｊ６，２ｊ７，２ｊ８，２ｊ９（図５（Ｂ）参照）からの第１色の光Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９が、導光レンズ２の出射面２ｍ（図５（Ｂ）参照）を透過してＬＥＤ光源１ａの光軸１ａ’の方向（図８（Ａ）の上向き）に照射され、更に、図１１（Ａ）に示すように、導光レンズ３の反射面３ｅ１（図７（Ａ）参照）からの第２色の光Ｌ３ｅ１が、導光レンズ３の出射面３ｇを透過し、次いで、導光レンズ２の接続面２ｋ２（図５（Ｂ）参照）を透過し、次いで、導光レンズ２の出射面２ｍ（図５（Ｂ）参照）を透過してＬＥＤ光源１ｂの光軸１ｂ’の方向（図１１（Ａ）の上向き）に照射され、同様に、導光レンズ３の反射面３ｅ２，３ｅ３，３ｅ４，３ｅ５，３ｅ６，３ｅ７，３ｅ８（図７（Ａ）参照）からの第２色の光Ｌ３ｅ２，Ｌ３ｅ３，Ｌ３ｅ４，Ｌ３ｅ５，Ｌ３ｅ６，Ｌ３ｅ７，Ｌ３ｅ８が、導光レンズ３の出射面３ｇを透過し、次いで、導光レンズ２の接続面２ｋ３，２ｋ４，２ｋ５，２ｋ６，２ｋ７，２ｋ８，２ｋ９（図５（Ｂ）参照）を透過し、次いで、導光レンズ２の出射面２ｍ（図５（Ｂ）参照）を透過してＬＥＤ光源１ｂの光軸１ｂ’の方向（図１１（Ａ）の上向き）に照射され、更に、図９（Ａ）に示すように、導光レンズ３の反射面３ｊ１（図７（Ｂ）参照）からの第２色の光Ｌ３ｊ１が、導光レンズ３の出射面３ｍ（図７（Ｂ）参照）を透過してＬＥＤ光源１ｂの光軸１ｂ’の方向（図９（Ａ）の上向き）に照射され、同様に、導光レンズ３の反射面３ｊ２，３ｊ３，３ｊ４，３ｊ５，３ｊ６，３ｊ７，３ｊ８，３ｊ９（図７（Ｂ）参照）からの第２色の光Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が、導光レンズ３の出射面３ｍ（図７（Ｂ）参照）を透過してＬＥＤ光源１ｂの光軸１ｂ’の方向（図９（Ａ）の上向き）に照射される。
【０１２０】
換言すれば、第１の実施形態のＬＥＤ照明装置１００では、図１および図１０（Ａ）に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近し、導光レンズ２の反射面２ｄと導光レンズ３の反射面３ｈとが垂直になる時（つまり、図１（Ａ）、図１（Ｂ）および図１０（Ａ）に示す状態になる時）に、図１０（Ａ）に示すように、導光レンズ２の反射面２ｅ１，２ｅ２，２ｅ３，２ｅ４，２ｅ５，２ｅ６，２ｅ７，２ｅ８（図５（Ａ）参照）からの第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８が、導光レンズ３の出射面３ｍ（図７（Ｂ）参照）から出射すると共に、図９（Ａ）に示すように、導光レンズ３の反射面３ｊ１，３ｊ２，３ｊ３，３ｊ４，３ｊ５，３ｊ６，３ｊ７，３ｊ８，３ｊ９（図７（Ｂ）参照）からの第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が、導光レンズ３の出射面３ｍ（図７（Ｂ）参照）から出射する。
【０１２１】
また、第１の実施形態のＬＥＤ照明装置１００では、図２および図１１（Ａ）に示すように、導光レンズ３の反射面３ｄ（図６（Ａ）、図６（Ｂ）および図６（Ｄ）参照）と導光レンズ２の反射面２ｈ（図４（Ａ）、図４（Ｂ）、図４（Ｃ）および図４（Ｄ）参照）とが最も接近し、導光レンズ３の反射面３ｄと導光レンズ２の反射面２ｈとが垂直になる時（つまり、図２（Ａ）、図２（Ｂ）および図１１（Ａ）に示す状態になる時）に、図８（Ａ）に示すように、導光レンズ２の反射面２ｊ１，２ｊ２，２ｊ３，２ｊ４，２ｊ５，２ｊ６，２ｊ７，２ｊ８，２ｊ９（図５（Ｂ）参照）からの第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９が、導光レンズ２の出射面２ｍ（図５（Ｂ）参照）から出射すると共に、図１１（Ａ）に示すように、導光レンズ３の反射面３ｅ１，３ｅ２，３ｅ３，３ｅ４，３ｅ５，３ｅ６，３ｅ７，３ｅ８（図７（Ａ）参照）からの第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８が、導光レンズ２の出射面２ｍ（図５（Ｂ）参照）から出射する。
【０１２２】
すなわち、第１の実施形態のＬＥＤ照明装置１００によれば、図９（Ａ）および図１０（Ａ）に示すように、導光レンズ３の出射面３ｍ（図７（Ｂ）参照）から第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８および第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９を出射することができ、図８（Ａ）および図１１（Ａ）に示すように、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９および第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８を出射することができる。
【０１２３】
詳細には、第１の実施形態のＬＥＤ照明装置１００では、例えば図３に示すように、導光レンズ２の出射面２ｇおよび出射面２ｍをＬＥＤ光源１ａの光軸１ａ’の方向（図３（Ｂ）の上下方向）に投影した位置に導光レンズ３が配置されておらず、導光レンズ３の出射面３ｇおよび出射面３ｍをＬＥＤ光源１ｂの光軸１ｂ’の方向（図３（Ｃ）の上下方向）に投影した位置に導光レンズ２が配置されていない時（つまり、例えば図３（Ａ）、図３（Ｂ）および図３（Ｃ）に示す状態になる時）に、図８（Ａ）に示すように、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９のみが出射し、かつ、図９（Ａ）に示すように、導光レンズ３の出射面３ｍ（図７（Ｂ）参照）から第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９のみが出射する状態になる。
【０１２４】
また、第１の実施形態のＬＥＤ照明装置１００では、図１および図１０（Ａ）に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近し、導光レンズ２の反射面２ｄと導光レンズ３の反射面３ｈとが垂直になる時（つまり、図１（Ａ）、図１（Ｂ）および図１０（Ａ）に示す状態になる時）に、図８（Ａ）に示すように、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９のみが出射し、かつ、図９（Ａ）および図１０（Ａ）に示すように、導光レンズ３の出射面３ｍ（図７（Ｂ）参照）から第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８および第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が出射する状態になる。
【０１２５】
更に、第１の実施形態のＬＥＤ照明装置１００では、図２および図１１（Ａ）に示すように、導光レンズ３の反射面３ｄ（図６（Ａ）、図６（Ｂ）および図６（Ｄ）参照）と導光レンズ２の反射面２ｈ（図４（Ａ）、図４（Ｂ）、図４（Ｃ）および図４（Ｄ）参照）とが最も接近し、導光レンズ３の反射面３ｄと導光レンズ２の反射面２ｈとが垂直になる時（つまり、図２（Ａ）、図２（Ｂ）および図１１（Ａ）に示す状態になる時）に、図８（Ａ）および図１１（Ａ）に示すように、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９および第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８が出射し、かつ、図９（Ａ）に示すように、導光レンズ３の出射面３ｍ（図７（Ｂ）参照）から第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９のみが出射する状態になる。
【０１２６】
換言すれば、第１の実施形態のＬＥＤ照明装置１００によれば、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９のみが出射し、かつ、導光レンズ３の出射面３ｍ（図７（Ｂ）参照）から第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９のみが出射する状態（つまり、例えば図３（Ａ）、図３（Ｂ）および図３（Ｃ）に示す状態）と、導光レンズ２の出射面２ｍから第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９のみが出射し、かつ、導光レンズ３の出射面３ｍから第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８および第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が出射する状態（つまり、図１（Ａ）、図１（Ｂ）および図１０（Ａ）に示す状態）と、導光レンズ２の出射面２ｍから第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９および第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８が出射し、かつ、導光レンズ３の出射面３ｍから第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９のみが出射する状態（つまり、図２（Ａ）、図２（Ｂ）および図１１（Ａ）に示す状態）とを形成することができる。
【０１２７】
詳細には、第１の実施形態のＬＥＤ照明装置１００では、図８（Ａ）に示すように、導光レンズ２の反射面２ｅ１（図５（Ａ）参照）からの光Ｌ２ｅ１がＬＥＤ光源１ａの光軸１ａ’に平行に進むように、導光レンズ２の反射面２ｅ１が形成されている。つまり、例えばシボ加工などのような粗面加工が導光レンズ２の反射面２ｅ１に施されていない。同様に、導光レンズ２の反射面２ｅ２，２ｅ３，２ｅ４，２ｅ５，２ｅ６，２ｅ７，２ｅ８（図５（Ａ）参照）からの光Ｌ２ｅ２，Ｌ２ｅ３，Ｌ２ｅ４，Ｌ２ｅ５，Ｌ２ｅ６，Ｌ２ｅ７，Ｌ２ｅ８がＬＥＤ光源１ａの光軸１ａ’に平行に進むように、導光レンズ２の反射面２ｅ２，２ｅ３，２ｅ４，２ｅ５，２ｅ６，２ｅ７，２ｅ８が形成されている。更に、導光レンズ２の出射面２ｇ（図５（Ａ）参照）が素通し面によって構成されている。つまり、例えばシボ加工などのような粗面加工が導光レンズ２の出射面２ｇに施されていない。
【０１２８】
更に、第１の実施形態のＬＥＤ照明装置１００では、図１０（Ａ）に示すように、導光レンズ２の出射面２ｇを透過した導光レンズ２の反射面２ｅ１（図５（Ａ）参照）からの光Ｌ２ｅ１が透過する導光レンズ３の接続面３ｋ２（図７（Ｂ）参照）が素通し面によって構成されている。つまり、例えばシボ加工などのような粗面加工が導光レンズ３の接続面３ｋ２に施されていない。同様に、導光レンズ２の出射面２ｇを透過した導光レンズ２の反射面２ｅ２，２ｅ３，２ｅ４，２ｅ５，２ｅ６，２ｅ７，２ｅ８（図５（Ａ）参照）からの光Ｌ２ｅ２，Ｌ２ｅ３，Ｌ２ｅ４，Ｌ２ｅ５，Ｌ２ｅ６，Ｌ２ｅ７，Ｌ２ｅ８が透過する導光レンズ３の接続面３ｋ３，３ｋ４，３ｋ５，３ｋ６，３ｋ７，３ｋ８，３ｋ９（図７（Ｂ）参照）が素通し面によって構成されている。
【０１２９】
また、第１の実施形態のＬＥＤ照明装置１００では、図９（Ａ）に示すように、導光レンズ３の反射面３ｊ１（図７（Ｂ）参照）からの光Ｌ３ｊ１がＬＥＤ光源１ｂの光軸１ｂ’に平行に進むように、導光レンズ３の反射面３ｊ１が形成されている。つまり、例えばシボ加工などのような粗面加工が導光レンズ３の反射面３ｊ１に施されていない。同様に、導光レンズ３の反射面３ｊ２，３ｊ３，３ｊ４，３ｊ５，３ｊ６，３ｊ７，３ｊ８，３ｊ９（図７（Ｂ）参照）からの光Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９がＬＥＤ光源１ｂの光軸１ｂ’に平行に進むように、導光レンズ３の反射面３ｊ２，３ｊ３，３ｊ４，３ｊ５，３ｊ６，３ｊ７，３ｊ８，３ｊ９が形成されている。また、導光レンズ３の出射面３ｍ（図７（Ｂ）参照）が素通し面によって構成されている。つまり、例えばシボ加工などのような粗面加工が導光レンズ３の出射面３ｍに施されていない。
【０１３０】
更に、第１の実施形態のＬＥＤ照明装置１００では、図９（Ａ）に示すように、導光レンズ３の反射面３ｅ１（図７（Ａ）参照）からの光Ｌ３ｅ１がＬＥＤ光源１ｂの光軸１ｂ’に平行に進むように、導光レンズ３の反射面３ｅ１が形成されている。つまり、例えばシボ加工などのような粗面加工が導光レンズ３の反射面３ｅ１に施されていない。同様に、導光レンズ３の反射面３ｅ２，３ｅ３，３ｅ４，３ｅ５，３ｅ６，３ｅ７，３ｅ８（図７（Ａ）参照）からの光Ｌ３ｅ２，Ｌ３ｅ３，Ｌ３ｅ４，Ｌ３ｅ５，Ｌ３ｅ６，Ｌ３ｅ７，Ｌ３ｅ８がＬＥＤ光源１ｂの光軸１ｂ’に平行に進むように、導光レンズ３の反射面３ｅ２，３ｅ３，３ｅ４，３ｅ５，３ｅ６，３ｅ７，３ｅ８が形成されている。更に、導光レンズ３の出射面３ｇ（図７（Ａ）参照）が素通し面によって構成されている。つまり、例えばシボ加工などのような粗面加工が導光レンズ３の出射面３ｇに施されていない。
【０１３１】
また、第１の実施形態のＬＥＤ照明装置１００では、図１１（Ａ）に示すように、導光レンズ３の出射面３ｇを透過した導光レンズ３の反射面３ｅ１（図７（Ａ）参照）からの光Ｌ３ｅ１が透過する導光レンズ２の接続面２ｋ２（図５（Ｂ）参照）が素通し面によって構成されている。つまり、例えばシボ加工などのような粗面加工が導光レンズ２の接続面２ｋ２に施されていない。同様に、導光レンズ３の出射面３ｇを透過した導光レンズ３の反射面３ｅ２，３ｅ３，３ｅ４，３ｅ５，３ｅ６，３ｅ７，３ｅ８（図７（Ａ）参照）からの光Ｌ３ｅ２，Ｌ３ｅ３，Ｌ３ｅ４，Ｌ３ｅ５，Ｌ３ｅ６，Ｌ３ｅ７，Ｌ３ｅ８が透過する導光レンズ２の接続面２ｋ３，２ｋ４，２ｋ５，２ｋ６，２ｋ７，２ｋ８，２ｋ９（図５（Ｂ）参照）が素通し面によって構成されている。
【０１３２】
更に、第１の実施形態のＬＥＤ照明装置１００では、図８（Ａ）に示すように、導光レンズ２の反射面２ｊ１（図５（Ｂ）参照）からの光Ｌ２ｊ１がＬＥＤ光源１ａの光軸１ａ’に平行に進むように、導光レンズ２の反射面２ｊ１が形成されている。つまり、例えばシボ加工などのような粗面加工が導光レンズ２の反射面２ｊ１に施されていない。同様に、導光レンズ２の反射面２ｊ２，２ｊ３，２ｊ４，２ｊ５，２ｊ６，２ｊ７，２ｊ８，２ｊ９（図５（Ｂ）参照）からの光Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９がＬＥＤ光源１ａの光軸１ａ’に平行に進むように、導光レンズ２の反射面２ｊ２，２ｊ３，２ｊ４，２ｊ５，２ｊ６，２ｊ７，２ｊ８，２ｊ９が形成されている。また、導光レンズ２の出射面２ｍ（図５（Ｂ）参照）が素通し面によって構成されている。つまり、例えばシボ加工などのような粗面加工が導光レンズ２の出射面２ｍに施されていない。
【０１３３】
そのため、第１の実施形態のＬＥＤ照明装置１００では、図８（Ａ）および図１１（Ａ）に示すように、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９および第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８が出射する時に、図１１（Ｂ）に示すように、導光レンズ２の反射面２ｊ１，２ｊ２，２ｊ３，２ｊ４，２ｊ５，２ｊ６，２ｊ７，２ｊ８，２ｊ９（図５（Ｂ）参照）からの第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９（図８（Ａ）参照）によって縞状に光って見える部分２ｍ２ｊ１，２ｍ２ｊ２，２ｍ２ｊ３，２ｍ２ｊ４，２ｍ２ｊ５，２ｍ２ｊ６，２ｍ２ｊ７，２ｍ２ｊ８，２ｍ２ｊ９と、導光レンズ３の反射面３ｅ１，３ｅ２，３ｅ３，３ｅ４，３ｅ５，３ｅ６，３ｅ７，３ｅ８（図７（Ａ）参照）からの第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８（図１１（Ａ）参照）によって縞状に光って見える部分２ｍ３ｅ１，２ｍ３ｅ２，２ｍ３ｅ３，２ｍ３ｅ４，２ｍ３ｅ５，２ｍ３ｅ６，２ｍ３ｅ７，２ｍ３ｅ８とが形成される。詳細には、図１１（Ｂ）に示すように、例えば縞状に光って見える部分２ｍ２ｊ２と、縞状に光って見える部分２ｍ２ｊ３との間に、縞状に光って見える部分２ｍ３ｅ１が形成されると共に、縞状に光って見える部分２ｍ２ｊ３と、縞状に光って見える部分２ｍ２ｊ４との間に、縞状に光って見える部分２ｍ３ｅ２が形成される。
【０１３４】
また、第１の実施形態のＬＥＤ照明装置１００では、図９（Ａ）および図１０（Ａ）に示すように、導光レンズ３の出射面３ｍ（図７（Ｂ）参照）から第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８および第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が出射する時に、図１０（Ｂ）に示すように、導光レンズ３の反射面３ｊ１，３ｊ２，３ｊ３，３ｊ４，３ｊ５，３ｊ６，３ｊ７，３ｊ８，３ｊ９（図７（Ｂ）参照）からの第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９（図９（Ａ）参照）によって縞状に光って見える部分３ｍ３ｊ１，３ｍ３ｊ２，３ｍ３ｊ３，３ｍ３ｊ４，３ｍ３ｊ５，３ｍ３ｊ６，３ｍ３ｊ７，３ｍ３ｊ８，３ｍ３ｊ９と、導光レンズ２の反射面２ｅ１，２ｅ２，２ｅ３，２ｅ４，２ｅ５，２ｅ６，２ｅ７，２ｅ８（図５（Ａ）参照）からの第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８（図１０（Ａ）参照）によって縞状に光って見える部分３ｍ２ｅ１，３ｍ２ｅ２，３ｍ２ｅ３，３ｍ２ｅ４，３ｍ２ｅ５，３ｍ２ｅ６，３ｍ２ｅ７，３ｍ２ｅ８とが形成される。詳細には、図１０（Ｂ）に示すように、例えば縞状に光って見える部分３ｍ３ｊ２と、縞状に光って見える部分３ｍ３ｊ３との間に、縞状に光って見える部分３ｍ２ｅ１が形成されると共に、縞状に光って見える部分３ｍ３ｊ３と、縞状に光って見える部分３ｍ３ｊ４との間に、縞状に光って見える部分３ｍ２ｅ２が形成される。
【０１３５】
換言すれば、第１の実施形態のＬＥＤ照明装置１００によれば、図８（Ａ）および図１１（Ａ）に示すように、導光レンズ２の出射面２ｍ（図５（Ｂ）参照）から第１色の光Ｌ２ｊ１，Ｌ２ｊ２，Ｌ２ｊ３，Ｌ２ｊ４，Ｌ２ｊ５，Ｌ２ｊ６，Ｌ２ｊ７，Ｌ２ｊ８，Ｌ２ｊ９および第２色の光Ｌ３ｅ１，Ｌ３ｅ２，Ｌ３ｅ３，Ｌ３ｅ４，Ｌ３ｅ５，Ｌ３ｅ６，Ｌ３ｅ７，Ｌ３ｅ８が出射する時に、図１１（Ｂ）に示すように、例えば縞状の第１色に光って見える部分２ｍ２ｊ２，２ｍ２ｊ３，２ｍ２ｊ４の間に縞状の第２色に光って見える部分２ｍ３ｅ１，２ｍ３ｅ２を形成することができ、図９（Ａ）および図１０（Ａ）に示すように、導光レンズ３の出射面３ｍ（図７（Ｂ）参照）から第１色の光Ｌ２ｅ１，Ｌ２ｅ２，Ｌ２ｅ３，Ｌ２ｅ４，Ｌ２ｅ５，Ｌ２ｅ６，Ｌ２ｅ７，Ｌ２ｅ８および第２色の光Ｌ３ｊ１，Ｌ３ｊ２，Ｌ３ｊ３，Ｌ３ｊ４，Ｌ３ｊ５，Ｌ３ｊ６，Ｌ３ｊ７，Ｌ３ｊ８，Ｌ３ｊ９が出射する時に、図１０（Ｂ）に示すように、例えば縞状の第２色に光って見える部分３ｍ３ｊ２，３ｍ３ｊ３，３ｍ３ｊ４の間に縞状の第１色に光って見える部分３ｍ２ｅ１，３ｍ２ｅ２を形成することができる。
【０１３６】
以下、本発明のＬＥＤ照明装置の第２の実施形態について説明する。第２の実施形態のＬＥＤ照明装置１００は、後述する点を除き、上述した第１の実施形態のＬＥＤ照明装置１００とほぼ同様に構成されている。
【０１３７】
図１２（Ａ）は図３（Ｂ）に示す断面内における第２の実施形態のＬＥＤ照明装置１００のＬＥＤ光源１ａからの光の光路を説明するための図である。図１２（Ｂ）は図３に示す状態における第２の実施形態のＬＥＤ照明装置１００の導光レンズ２の平面図である。詳細には、図１２（Ｂ）は図３に示す状態の第２の実施形態のＬＥＤ照明装置１００の導光レンズ２をＬＥＤ光源１ａ（図１２（Ａ）参照）の光軸１ａ’（図１２（Ａ）参照）の方向（図１２（Ａ）の上側）から見た場合の導光レンズ２の出射面２ｇ，２ｍの見え方を説明するための図である。
【０１３８】
図１３（Ａ）は図３（Ｃ）に示す断面内における第２の実施形態のＬＥＤ照明装置１００のＬＥＤ光源１ｂからの光の光路を説明するための図である。図１３（Ｂ）は図３に示す状態における第２の実施形態のＬＥＤ照明装置１００の導光レンズ３の平面図である。詳細には、図１３（Ｂ）は図３に示す状態の第２の実施形態のＬＥＤ照明装置１００の導光レンズ３をＬＥＤ光源１ｂ（図１３（Ａ）参照）の光軸１ｂ’（図１３（Ａ）参照）の方向（図１３（Ａ）の上側）から見た場合の導光レンズ３の出射面３ｇ，３ｍの見え方を説明するための図である。
【０１３９】
図１４（Ａ）は図１（Ｂ）に示す断面内における第２の実施形態のＬＥＤ照明装置１００のＬＥＤ光源１ａ（図１（Ｂ）参照）からの光およびＬＥＤ光源１ｂからの光の光路を説明するための図である。図１４（Ｂ）は図１に示す状態における第２の実施形態のＬＥＤ照明装置１００の導光レンズ３の平面図である。詳細には、図１４（Ｂ）は図１に示す状態の第２の実施形態のＬＥＤ照明装置１００の導光レンズ３をＬＥＤ光源１ｂ（図１４（Ａ）参照）の光軸１ｂ’（図１４（Ａ）参照）の方向（図１４（Ａ）の上側）から見た場合の導光レンズ３の出射面３ｇ，３ｍの見え方を説明するための図である。
【０１４０】
図１５（Ａ）は図２（Ｂ）に示す断面内における第２の実施形態のＬＥＤ照明装置１００のＬＥＤ光源１ａからの光およびＬＥＤ光源１ｂ（図２（Ｂ）参照）からの光の光路を説明するための図である。図１５（Ｂ）は図２に示す状態における第２の実施形態のＬＥＤ照明装置１００の導光レンズ２の平面図である。詳細には、図１５（Ｂ）は図２に示す状態の第２の実施形態のＬＥＤ照明装置１００の導光レンズ２をＬＥＤ光源１ａ（図１５（Ａ）参照）の光軸１ａ’（図１５（Ａ）参照）の方向（図１５（Ａ）の上側）から見た場合の導光レンズ２の出射面２ｇ，２ｍの見え方を説明するための図である。
【０１４１】
第１の実施形態のＬＥＤ照明装置１００では、例えばシボ加工などのような粗面加工が導光レンズ２の反射面２ｅ１，２ｅ２，２ｅ３，２ｅ４，２ｅ５，２ｅ６，２ｅ７，２ｅ８（図５（Ａ）参照）に施されていないが、第２の実施形態のＬＥＤ照明装置１００では、例えばシボ加工などのような粗面加工が導光レンズ２の反射面２ｅ１，２ｅ２，２ｅ３，２ｅ４，２ｅ５，２ｅ６，２ｅ７，２ｅ８（図５（Ａ）参照）に施されている。
【０１４２】
第１の実施形態のＬＥＤ照明装置１００では、例えばシボ加工などのような粗面加工が導光レンズ２の出射面２ｇ（図５（Ａ）参照）に施されていないが、第２の実施形態のＬＥＤ照明装置１００では、例えばシボ加工などのような粗面加工が導光レンズ２の出射面２ｇ（図５（Ａ）参照）に施されている。
【０１４３】
そのため、第２の実施形態のＬＥＤ照明装置１００では、図１２（Ａ）に示すように、導光レンズ２の出射面２ｇから第１色の光Ｌ２ｅが出射する時に、図１２（Ｂ）に示すように、導光レンズ２の出射面２ｇの全体が第１色に光って見える。
【０１４４】
第１の実施形態のＬＥＤ照明装置１００では、例えばシボ加工などのような粗面加工が導光レンズ３の接続面３ｋ１，３ｋ２，３ｋ３，３ｋ４，３ｋ５，３ｋ６，３ｋ７，３ｋ８，３ｋ９（図７（Ｂ）参照）に施されていないが、第２の実施形態のＬＥＤ照明装置１００では、例えばシボ加工などのような粗面加工が導光レンズ３の接続面３ｋ１，３ｋ２，３ｋ３，３ｋ４，３ｋ５，３ｋ６，３ｋ７，３ｋ８，３ｋ９（図７（Ｂ）参照）に施されている。
【０１４５】
第１の実施形態のＬＥＤ照明装置１００では、例えばシボ加工などのような粗面加工が導光レンズ３の反射面３ｊ１，３ｊ２，３ｊ３，３ｊ４，３ｊ５，３ｊ６，３ｊ７，３ｊ８，３ｊ９（図７（Ｂ）参照）に施されていないが、第２の実施形態のＬＥＤ照明装置１００では、例えばシボ加工などのような粗面加工が導光レンズ３の反射面３ｊ１，３ｊ２，３ｊ３，３ｊ４，３ｊ５，３ｊ６，３ｊ７，３ｊ８，３ｊ９（図７（Ｂ）参照）に施されている。
【０１４６】
第１の実施形態のＬＥＤ照明装置１００では、例えばシボ加工などのような粗面加工が導光レンズ３の出射面３ｍ（図７（Ｂ）参照）に施されていないが、第２の実施形態のＬＥＤ照明装置１００では、例えばシボ加工などのような粗面加工が導光レンズ３の出射面３ｍ（図７（Ｂ）参照）に施されている。
【０１４７】
そのため、第２の実施形態のＬＥＤ照明装置１００では、図１４（Ａ）に示すように、導光レンズ３の出射面３ｍから第１色の光Ｌ２ｅおよび第２色の光Ｌ３ｊ（図１３（Ａ）参照）が出射する時に、図１４（Ｂ）に示すように、導光レンズ３の出射面３ｍの全体が、第１色と第２色とが混合した第３色に光って見える。
【０１４８】
また、第２の実施形態のＬＥＤ照明装置１００では、図１３（Ａ）に示すように、導光レンズ３の出射面３ｍから第２色の光Ｌ３ｊのみが出射する時に、図１３（Ｂ）に示すように、導光レンズ３の出射面３ｍの全体が第２色に光って見える。
【０１４９】
第１の実施形態のＬＥＤ照明装置１００では、例えばシボ加工などのような粗面加工が導光レンズ３の反射面３ｅ１，３ｅ２，３ｅ３，３ｅ４，３ｅ５，３ｅ６，３ｅ７，３ｅ８（図７（Ａ）参照）に施されていないが、第２の実施形態のＬＥＤ照明装置１００では、例えばシボ加工などのような粗面加工が導光レンズ３の反射面３ｅ１，３ｅ２，３ｅ３，３ｅ４，３ｅ５，３ｅ６，３ｅ７，３ｅ８（図７（Ａ）参照）に施されている。
【０１５０】
第１の実施形態のＬＥＤ照明装置１００では、例えばシボ加工などのような粗面加工が導光レンズ３の出射面３ｇ（図７（Ａ）参照）に施されていないが、第２の実施形態のＬＥＤ照明装置１００では、例えばシボ加工などのような粗面加工が導光レンズ２の出射面３ｇ（図７（Ａ）参照）に施されている。
【０１５１】
そのため、第２の実施形態のＬＥＤ照明装置１００では、図１３（Ａ）に示すように、導光レンズ３の出射面３ｇから第２色の光Ｌ３ｅが出射する時に、図１３（Ｂ）に示すように、導光レンズ３の出射面３ｇの全体が第２色に光って見える。
【０１５２】
第１の実施形態のＬＥＤ照明装置１００では、例えばシボ加工などのような粗面加工が導光レンズ２の接続面２ｋ１，２ｋ２，２ｋ３，２ｋ４，２ｋ５，２ｋ６，２ｋ７，２ｋ８，２ｋ９（図５（Ｂ）参照）に施されていないが、第２の実施形態のＬＥＤ照明装置１００では、例えばシボ加工などのような粗面加工が導光レンズ２の接続面２ｋ１，２ｋ２，２ｋ３，２ｋ４，２ｋ５，２ｋ６，２ｋ７，２ｋ８，２ｋ９（図５（Ｂ）参照）に施されている。
【０１５３】
第１の実施形態のＬＥＤ照明装置１００では、例えばシボ加工などのような粗面加工が導光レンズ２の反射面２ｊ１，２ｊ２，２ｊ３，２ｊ４，２ｊ５，２ｊ６，２ｊ７，２ｊ８，２ｊ９（図５（Ｂ）参照）に施されていないが、第２の実施形態のＬＥＤ照明装置１００では、例えばシボ加工などのような粗面加工が導光レンズ２の反射面２ｊ１，２ｊ２，２ｊ３，２ｊ４，２ｊ５，２ｊ６，２ｊ７，２ｊ８，２ｊ９（図５（Ｂ）参照）に施されている。
【０１５４】
第１の実施形態のＬＥＤ照明装置１００では、例えばシボ加工などのような粗面加工が導光レンズ２の出射面２ｍ（図５（Ｂ）参照）に施されていないが、第２の実施形態のＬＥＤ照明装置１００では、例えばシボ加工などのような粗面加工が導光レンズ２の出射面２ｍ（図５（Ｂ）参照）に施されている。
【０１５５】
そのため、第２の実施形態のＬＥＤ照明装置１００では、図１５（Ａ）に示すように、導光レンズ２の出射面２ｍから第１色の光Ｌ２ｊ（図１２（Ａ）参照）および第２色の光Ｌ３ｅが出射する時に、図１５（Ｂ）に示すように、導光レンズ２の出射面２ｍの全体が、第１色と第２色とが混合した第３色に光って見える。
【０１５６】
また、第２の実施形態のＬＥＤ照明装置１００では、図１２（Ａ）に示すように、導光レンズ２の出射面２ｍから第１色の光Ｌ２ｊのみが出射する時に、図１２（Ｂ）に示すように、導光レンズ２の出射面２ｍの全体が第１色に光って見える。
【０１５７】
換言すれば、第２の実施形態のＬＥＤ照明装置１００によれば、図１５（Ａ）に示すように、導光レンズ２の出射面２ｍから第１色の光Ｌ２ｊ（図１２（Ａ）参照）および第２色の光Ｌ３ｅが出射する時に、図１５（Ｂ）に示すように、導光レンズ２の出射面２ｍの全体が第１色と第２色とが混合した第３色に光って見えるようにすることができ、更に、図１４（Ａ）に示すように、導光レンズ３の出射面３ｍから第１色の光Ｌ２ｅおよび第２色の光Ｌ３ｊ（図１３（Ａ）参照）が出射する時に、図１４（Ｂ）に示すように、導光レンズ３の出射面３ｍの全体が第１色と第２色とが混合した第３色に光って見えるようにすることができる。
【０１５８】
更に、第２の実施形態のＬＥＤ照明装置１００では、図１および図１４（Ａ）に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近し、導光レンズ２の反射面２ｄと導光レンズ３の反射面３ｈとが垂直になる時（つまり、図１（Ａ）、図１（Ｂ）および図１４（Ａ）に示す状態になる時）に、図１４（Ａ）に示すように、導光レンズ２の反射面２ｅ１，２ｅ２，２ｅ３，２ｅ４，２ｅ５，２ｅ６，２ｅ７，２ｅ８（図５（Ａ）参照）からの第１色の光Ｌ２ｅが、導光レンズ２の出射面２ｇおよび導光レンズ３の接続面３ｋ１，３ｋ２，３ｋ３，３ｋ４，３ｋ５，３ｋ６，３ｋ７，３ｋ８，３ｋ９（図７（Ｂ）参照）および出射面３ｍ（図７（Ｂ）参照）によって拡散せしめられて、導光レンズ３の出射面３ｍ（図７（Ｂ）参照）から出射すると共に、図１３（Ａ）に示すように、導光レンズ３の反射面３ｊ１，３ｊ２，３ｊ３，３ｊ４，３ｊ５，３ｊ６，３ｊ７，３ｊ８，３ｊ９（図７（Ｂ）参照）からの第２色の光Ｌ３ｊが、導光レンズ３の反射面３ｊ１，３ｊ２，３ｊ３，３ｊ４，３ｊ５，３ｊ６，３ｊ７，３ｊ８，３ｊ９（図７（Ｂ）参照）および出射面３ｍ（図７（Ｂ）参照）によって拡散せしめられて、導光レンズ３の出射面３ｍ（図７（Ｂ）参照）から出射する。
【０１５９】
また、第２の実施形態のＬＥＤ照明装置１００では、図２および図１５（Ａ）に示すように、導光レンズ３の反射面３ｄ（図６（Ａ）、図６（Ｂ）および図６（Ｄ）参照）と導光レンズ２の反射面２ｈ（図４（Ａ）、図４（Ｂ）、図４（Ｃ）および図４（Ｄ）参照）とが最も接近し、導光レンズ３の反射面３ｄと導光レンズ２の反射面２ｈとが垂直になる時（つまり、図２（Ａ）、図２（Ｂ）および図１５（Ａ）に示す状態になる時）に、図１２（Ａ）に示すように、導光レンズ２の反射面２ｊ１，２ｊ２，２ｊ３，２ｊ４，２ｊ５，２ｊ６，２ｊ７，２ｊ８，２ｊ９（図５（Ｂ）参照）からの第１色の光Ｌ２ｊが、導光レンズ２の反射面２ｊ１，２ｊ２，２ｊ３，２ｊ４，２ｊ５，２ｊ６，２ｊ７，２ｊ８，２ｊ９（図５（Ｂ）参照）および出射面２ｍ（図５（Ｂ）参照）によって拡散せしめられて、導光レンズ２の出射面２ｍ（図５（Ｂ）参照）から出射すると共に、図１５（Ａ）に示すように、導光レンズ３の反射面３ｅ１，３ｅ２，３ｅ３，３ｅ４，３ｅ５，３ｅ６，３ｅ７，３ｅ８（図７（Ａ）参照）からの第２色の光Ｌ３ｅが、導光レンズ３の出射面３ｇおよび導光レンズ２の接続面２ｋ１，２ｋ２，２ｋ３，２ｋ４，２ｋ５，２ｋ６，２ｋ７，２ｋ８，２ｋ９（図５（Ｂ）参照）および出射面２ｍ（図５（Ｂ）参照）によって拡散せしめられて、導光レンズ２の出射面２ｍ（図５（Ｂ）参照）から出射する。
【０１６０】
すなわち、第２の実施形態のＬＥＤ照明装置１００によれば、図１３（Ａ）および図１４（Ａ）に示すように、導光レンズ３の出射面３ｍ（図７（Ｂ）参照）から第１色の光Ｌ２ｅおよび第２色の光Ｌ３ｊを出射することができ、図１２（Ａ）および図１５（Ａ）に示すように、導光レンズ２の出射面２ｍ（図５（Ｂ）参照）から第１色の光Ｌ２ｊおよび第２色の光Ｌ３ｅを出射することができる。
【０１６１】
詳細には、第２の実施形態のＬＥＤ照明装置１００では、例えば図３に示すように、導光レンズ２の出射面２ｇおよび出射面２ｍをＬＥＤ光源１ａの光軸１ａ’の方向（図３（Ｂ）の上下方向）に投影した位置に導光レンズ３が配置されておらず、導光レンズ３の出射面３ｇおよび出射面３ｍをＬＥＤ光源１ｂの光軸１ｂ’の方向（図３（Ｃ）の上下方向）に投影した位置に導光レンズ２が配置されていない時（つまり、例えば図３（Ａ）、図３（Ｂ）および図３（Ｃ）に示す状態になる時）に、図１２（Ａ）に示すように、導光レンズ２の出射面２ｍ（図５（Ｂ）参照）から第１色の光Ｌ２ｊのみが出射し、かつ、図１３（Ａ）に示すように、導光レンズ３の出射面３ｍ（図７（Ｂ）参照）から第２色の光Ｌ３ｊのみが出射する状態になる。
【０１６２】
また、第２の実施形態のＬＥＤ照明装置１００では、図１および図１４（Ａ）に示すように、導光レンズ２の反射面２ｄ（図４（Ａ）、図４（Ｂ）および図４（Ｄ）参照）と導光レンズ３の反射面３ｈ（図６（Ａ）、図６（Ｂ）、図６（Ｃ）および図６（Ｄ）参照）とが最も接近し、導光レンズ２の反射面２ｄと導光レンズ３の反射面３ｈとが垂直になる時（つまり、図１（Ａ）、図１（Ｂ）および図１４（Ａ）に示す状態になる時）に、図１２（Ａ）に示すように、導光レンズ２の出射面２ｍ（図５（Ｂ）参照）から第１色の光Ｌ２ｊのみが出射し、かつ、図１３（Ａ）および図１４（Ａ）に示すように、導光レンズ３の出射面３ｍ（図７（Ｂ）参照）から第１色の光Ｌ２ｅおよび第２色の光Ｌ３ｊが出射する状態になる。
【０１６３】
更に、第２の実施形態のＬＥＤ照明装置１００では、図２および図１５（Ａ）に示すように、導光レンズ３の反射面３ｄ（図６（Ａ）、図６（Ｂ）および図６（Ｄ）参照）と導光レンズ２の反射面２ｈ（図４（Ａ）、図４（Ｂ）、図４（Ｃ）および図４（Ｄ）参照）とが最も接近し、導光レンズ３の反射面３ｄと導光レンズ２の反射面２ｈとが垂直になる時（つまり、図２（Ａ）、図２（Ｂ）および図１５（Ａ）に示す状態になる時）に、図１２（Ａ）および図１５（Ａ）に示すように、導光レンズ２の出射面２ｍ（図５（Ｂ）参照）から第１色の光Ｌ２ｊおよび第２色の光Ｌ３ｅが出射し、かつ、図１３（Ａ）に示すように、導光レンズ３の出射面３ｍ（図７（Ｂ）参照）から第２色の光Ｌ３ｊのみが出射する状態になる。
【０１６４】
換言すれば、第２の実施形態のＬＥＤ照明装置１００によれば、導光レンズ２の出射面２ｍ（図５（Ｂ）参照）から第１色の光Ｌ２ｊのみが出射し、かつ、導光レンズ３の出射面３ｍ（図７（Ｂ）参照）から第２色の光Ｌ３ｊのみが出射する状態（つまり、例えば図３（Ａ）、図３（Ｂ）および図３（Ｃ）に示す状態）と、導光レンズ２の出射面２ｍから第１色の光Ｌ２ｊのみが出射し、かつ、導光レンズ３の出射面３ｍから第１色の光Ｌ２ｅおよび第２色の光Ｌ３ｊが出射する状態（つまり、図１（Ａ）、図１（Ｂ）および図１４（Ａ）に示す状態）と、導光レンズ２の出射面２ｍから第１色の光Ｌ２ｊおよび第２色の光Ｌ３ｅが出射し、かつ、導光レンズ３の出射面３ｍから第２色の光Ｌ３ｊのみが出射する状態（つまり、図２（Ａ）、図２（Ｂ）および図１５（Ａ）に示す状態）とを形成することができる。
【０１６５】
図１６は第３の実施形態のＬＥＤ照明装置１００の一部を構成する導光レンズ２の部品図である。詳細には、図１６（Ａ）は導光レンズ２の平面図、図１６（Ｂ）は導光レンズ２の正面図、図１６（Ｃ）は導光レンズ２の右側面図、図１６（Ｄ）は図１６（Ａ）のＧ−Ｇ線に沿った断面図、図１６（Ｅ）は導光レンズ２の左側面図である。
【０１６６】
図１７は第３の実施形態のＬＥＤ照明装置１００の一部を構成する導光レンズ３の部品図である。詳細には、図１７（Ａ）は導光レンズ３の平面図、図１７（Ｂ）は導光レンズ３の正面図、図１７（Ｃ）は導光レンズ３の右側面図、図１７（Ｄ）は図１７（Ａ）のＨ−Ｈ線に沿った断面図、図１７（Ｅ）は導光レンズ３の左側面図である。
【０１６７】
第１の実施形態のＬＥＤ照明装置１００では、図４に示すように、導光レンズ２の出射面２ｇ，２ｍが平面によって構成されているが、第３の実施形態のＬＥＤ照明装置１００では、図１６に示すように、導光レンズ２の出射面２ｇ，２ｍが円筒面の一部を切り取った曲面によって構成されている。そのため、第３の実施形態のＬＥＤ照明装置１００では、導光レンズ２内を進む導光レンズ２の回転中心軸線２ｎ’に平行な光が、導光レンズ２の出射面２ｇ，２ｍによって屈折せしめられ、図１６（Ｃ）および図１６（Ｅ）の左右方向に拡散せしめられる。その結果、第３の実施形態のＬＥＤ照明装置１００によれば、図１６（Ｃ）の右上側および左上側から導光レンズ２の出射面２ｇが光って見えるようにすることができると共に、図１６（Ｅ）の右上側および左上側から導光レンズ２の出射面２ｍが光って見えるようにすることができる。また、第１の実施形態のＬＥＤ照明装置１００では、図６に示すように、導光レンズ３の出射面３ｇ，３ｍが平面によって構成されているが、第３の実施形態のＬＥＤ照明装置１００では、図１７に示すように、導光レンズ３の出射面３ｇ，３ｍが円筒面の一部を切り取った曲面によって構成されている。そのため、第３の実施形態のＬＥＤ照明装置１００では、導光レンズ３内を進む導光レンズ３の回転中心軸線３ｎ’に平行な光が、導光レンズ３の出射面３ｇ，３ｍによって屈折せしめられ、図１７（Ｃ）および図１７（Ｅ）の左右方向に拡散せしめられる。その結果、第３の実施形態のＬＥＤ照明装置１００によれば、図１７（Ｃ）の右上側および左上側から導光レンズ３の出射面３ｇが光って見えるようにすることができると共に、図１７（Ｅ）の右上側および左上側から導光レンズ３の出射面３ｍが光って見えるようにすることができる。
【０１６８】
図１８は第４の実施形態のＬＥＤ照明装置１００の一部を構成する導光レンズ２の部品図である。詳細には、図１８（Ａ）は導光レンズ２の平面図、図１８（Ｂ）は導光レンズ２の正面図、図１８（Ｃ）は導光レンズ２の右側面図、図１８（Ｄ）は図１８（Ａ）のＩ−Ｉ線に沿った断面図、図１８（Ｅ）は導光レンズ２の左側面図である。
【０１６９】
図１９は第４の実施形態のＬＥＤ照明装置１００の一部を構成する導光レンズ３の部品図である。詳細には、図１９（Ａ）は導光レンズ３の平面図、図１９（Ｂ）は導光レンズ３の正面図、図１９（Ｃ）は導光レンズ３の右側面図、図１９（Ｄ）は図１９（Ａ）のＪ−Ｊ線に沿った断面図、図１９（Ｅ）は導光レンズ３の左側面図である。
【０１７０】
第１の実施形態のＬＥＤ照明装置１００では、図４に示すように、導光レンズ２の出射面２ｍにプリズムカットが形成されていないが、第４の実施形態のＬＥＤ照明装置１００では、図１８（Ａ）に示すように、導光レンズ２の出射面２ｍにプリズムカット２ｍ’が形成されている。そのため、第１の実施形態のＬＥＤ照明装置１００では、図８（Ｂ）および図１１（Ｂ）に示すように、導光レンズ２の出射面２ｍが面状に光って見えるのに対し、第４の実施形態のＬＥＤ照明装置１００では、導光レンズ２の出射面２ｍが筋状に光って見えるようにすることができる。また、第１の実施形態のＬＥＤ照明装置１００では、図６に示すように、導光レンズ３の出射面３ｇにプリズムカットが形成されていないが、第４の実施形態のＬＥＤ照明装置１００では、図１９（Ａ）に示すように、導光レンズ３の出射面３ｇにプリズムカット３ｇ’が形成されている。そのため、第１の実施形態のＬＥＤ照明装置１００では、図９（Ｂ）および図１０（Ｂ）に示すように、導光レンズ３の出射面３ｇが面状に光って見えるのに対し、第４の実施形態のＬＥＤ照明装置１００では、導光レンズ３の出射面３ｇが筋状に光って見えるようにすることができる。
【０１７１】
第５の実施形態では、上述した第１から第４の実施形態および変形例を適宜組み合わせることも可能である。
【産業上の利用可能性】
【０１７２】
本発明のＬＥＤ照明装置は、例えば演出用照明装置などのような照明装置などに適用可能である。
【符号の説明】
【０１７３】
１ａ，１ｂ                              ＬＥＤ光源
１ａ’，１ｂ’                          光軸
２，３                                  導光レンズ
２ａ，２ｂ，３ａ，３ｂ                  入射面
２ｃ，３ｃ                              反射面
２ｄ，３ｄ                              反射面
２ｅ１，２ｅ２，２ｅ３，２ｅ４          反射面
２ｅ５，２ｅ６，２ｅ７，２ｅ８          反射面
２ｆ１，２ｆ２，２ｆ３，２ｆ４          接続面
２ｆ５，２ｆ６，２ｆ７                  接続面
３ｅ１，３ｅ２，３ｅ３，３ｅ４          反射面
３ｅ５，３ｅ６，３ｅ７，３ｅ８          反射面
３ｆ１，３ｆ２，３ｆ３，３ｆ４          接続面
３ｆ５，３ｆ６，３ｆ７                  接続面
２ｇ，３ｇ                              出射面
２ｈ，３ｈ                              反射面
２ｉ，３ｉ                              反射面
２ｊ１，２ｊ２，２ｊ３，２ｊ４，２ｊ５  反射面
２ｊ６，２ｊ７，２ｊ８，２ｊ９          反射面
２ｋ１，２ｋ２，２ｋ３，２ｋ４，２ｋ５  接続面
２ｋ６，２ｋ７，２ｋ８，２ｋ９          接続面
３ｊ１，３ｊ２，３ｊ３，３ｊ４，３ｊ５  反射面
３ｊ６，３ｊ７，３ｊ８，３ｊ９          反射面
３ｋ１，３ｋ２，３ｋ３，３ｋ４，３ｋ５  接続面
３ｋ６，３ｋ７，３ｋ８，３ｋ９          接続面
２ｍ，３ｍ                              出射面
１００                                  ＬＥＤ照明装置
【図１】
2012119161.tif 000003
【図２】
2012119161.tif 000004
【図３】
2012119161.tif 000005
【図４】
2012119161.tif 000006
【図５】
2012119161.tif 000007
【図６】
2012119161.tif 000008
【図７】
2012119161.tif 000009
【図８】
2012119161.tif 000010
【図９】
2012119161.tif 000011
【図１０】
2012119161.tif 000012
【図１１】
2012119161.tif 000013
【図１２】
2012119161.tif 000014
【図１３】
2012119161.tif 000015
【図１４】
2012119161.tif 000016
【図１５】
2012119161.tif 000017
【図１６】
2012119161.tif 000018
【図１７】
2012119161.tif 000019
【図１８】
2012119161.tif 000020
【図１９】
2012119161.tif 000021